(57)【要約】  本願の実施例は、３ＧＰＰネットワーク内のデータパケットの伝送を実現し、通信遅延を低減させることができる無線通信方法及びデバイスを提供する。該方法は、ネットワークデバイスが、第１の端末デバイスから第３世代パートナーシッププロジェクト３ＧＰＰネットワークにおける制御プレーンまたはユーザプレーンを介して伝送されたデータパケットを受信することと、前記ネットワークデバイスが３ＧＰＰネットワークにおける制御プレーンまたはユーザプレーンを介して第２の端末デバイスに前記データパケットを送信することとを含む。
2022501866.tif 000002
【特許請求の範囲】
【請求項１】
ネットワークデバイスが、第１の端末デバイスから第３世代パートナーシッププロジェクト３ＧＰＰネットワークにおける制御プレーンまたはユーザプレーンを介して伝送されるデータパケットを受信することと、
前記ネットワークデバイスが３ＧＰＰネットワークにおける制御プレーンまたはユーザプレーンを介して第２の端末デバイスに前記データパケットを送信することとを含む
ことを特徴とする無線通信方法。
【請求項２】
前記第１の端末デバイスと前記第２の端末デバイスとの間に第１のセッション接続が存在し、前記第１のセッション接続が前記第１の端末デバイスと前記第２の端末デバイスとの間の通信に使用され、
前記データパケットが前記第１のセッション接続を利用してユーザプレーンを介して前記ネットワークデバイスに送信され、
前記ネットワークデバイスが３ＧＰＰネットワークにおける制御プレーンまたはユーザプレーンを介して第２の端末デバイスに前記データパケットを送信することは、
前記ネットワークデバイスが前記第１のセッション接続を利用して、前記３ＧＰＰネットワークにおけるユーザプレーンを介して前記第２の端末デバイスに前記データパケットを送信することを含む
ことを特徴とする請求項１に記載の無線通信方法。
【請求項３】
前記第１の端末デバイスのユーザプレーン機能ＵＰＦと前記第２の端末デバイスのＵＰＦとが同一の第１のＵＰＦであり、前記ネットワークデバイスが前記第１のＵＰＦである
ことを特徴とする請求項２に記載の無線通信方法。
【請求項４】
前記ネットワークデバイスが受信した前記データパケットには、前記第１のセッション接続において前記第１の端末デバイスと前記第１のＵＰＦとの間の接続の第１のアドレス情報が含まれ、
前記ネットワークデバイスが前記第１のセッション接続を利用して前記３ＧＰＰネットワークにおけるユーザプレーンを介して前記第２の端末デバイスに前記データパケットを送信することは、
前記ネットワークデバイスが前記第１のアドレス情報に基づいて第２のアドレス情報を決定し、前記第２のアドレス情報が前記第１のセッション接続において前記第２の端末デバイスと前記第１のＵＰＦとの間の接続の第２のアドレス情報であることと、
前記ネットワークデバイスが前記データパケットに前記第２のアドレス情報をカプセル化し、前記第２の端末デバイスに前記データパケットを送信することとを含む
ことを特徴とする請求項３に記載の無線通信方法。
【請求項５】
前記第１の端末デバイスのＵＰＦが第２のＵＰＦであり、前記第２の端末デバイスのＵＰＦが前記第２のＵＰＦではない第３のＵＰＦであり、前記ネットワークデバイスが前記第２のＵＰＦである
ことを特徴とする請求項２に記載の無線通信方法。
【請求項６】
前記ネットワークデバイスが受信した前記データパケットには、前記第１のセッション接続において前記第１の端末デバイスと前記第２のＵＰＦとの間の第３のアドレス情報が含まれ、
前記ネットワークデバイスが前記第１のセッション接続を利用して前記３ＧＰＰネットワークにおけるユーザプレーンを介して前記第２の端末デバイスに前記データパケットを送信することは、
前記ネットワークデバイスが前記第３のアドレス情報に基づいて第４のアドレス情報を決定し、前記第４のアドレス情報が前記第１のセッション接続において前記第２のＵＰＦと前記第３のＵＰＦとの間の接続の第４のアドレス情報であることと、
前記ネットワークデバイスが前記データパケットに前記第４のアドレス情報をカプセル化し、前記第３のＵＰＦを介して前記第２の端末デバイスに前記データパケットを送信することとを含む
ことを特徴とする請求項５に記載の無線通信方法。
【請求項７】
前記第１の端末デバイスのＵＰＦが第２のＵＰＦであり、前記第２の端末デバイスのＵＰＦが前記第２のＵＰＦではない第３のＵＰＦであり、前記ネットワークデバイスが前記第３のＵＰＦである
ことを特徴とする請求項２に記載の無線通信方法。
【請求項８】
前記ネットワークデバイスが受信した前記データパケットには、前記第１のセッション接続において前記第２のＵＰＦと前記第３のＵＰＦとの間の第４のアドレス情報が含まれ、
前記ネットワークデバイスが前記第１のセッション接続を利用して、前記３ＧＰＰネットワークにおけるユーザプレーンを介して前記第２の端末デバイスに前記データパケットを送信することは、
前記ネットワークデバイスが前記第４のアドレス情報に基づいて第５のアドレス情報を決定し、前記第５のアドレス情報が前記第１のセッション接続において第３のＵＰＦと前記第２の端末デバイスとの間の接続のアドレス情報であることと、
前記ネットワークデバイスが前記データパケットに前記第５のアドレス情報をカプセル化し、前記第２の端末デバイスに前記データパケットを送信することとを含む
ことを特徴とする請求項７に記載の無線通信方法。
【請求項９】
前記ネットワークデバイスがコアネットワークエンティティであり、前記データパケットには、前記第１のセッション接続の識別子、前記第１のセッション接続のアドレス情報、前記第１の端末デバイスの識別情報及び前記第２の端末デバイスの識別情報のうちの少なくとも１つの情報が含まれ、前記データパケットが制御プレーンを介して前記ネットワークデバイスに伝送され、
前記ネットワークデバイスが３ＧＰＰネットワークにおける制御プレーンまたはユーザプレーンを介して第２の端末デバイスに前記データパケットを送信することは、
前記ネットワークデバイスが前記少なくとも１つの情報に基づいて前記データパケットの直後のホップノードを決定することと、
前記ネットワークデバイスが制御プレーンを介して前記データパケットを前記直後のホップノードに送信して、前記直後のホップノードが前記データパケットを前記第２の端末デバイスに送信することとを含む
ことを特徴とする請求項２に記載の無線通信方法。
【請求項１０】
前記第１の端末デバイスとＵＰＦとの間に第２のセッション接続が存在し、前記第２の端末デバイスとＵＰＦとの間に第３のセッション接続が存在し、前記第１の端末デバイスのＵＰＦと前記第２の端末デバイスのＵＰＦとが同一の第４のＵＰＦであり、前記ネットワークデバイスが前記第４のＵＰＦである
ことを特徴とする請求項１に記載の無線通信方法。
【請求項１１】
前記データパケットには前記第３のセッション接続のアドレス情報及び／又は前記第２の端末デバイスの識別情報が含まれ、
前記ネットワークデバイスが３ＧＰＰネットワークにおける制御プレーンまたはユーザプレーンを介して第２の端末デバイスに前記データパケットを送信することは、
前記ネットワークデバイスが前記第３のセッション接続のアドレス情報及び／又は前記第２の端末デバイスの識別情報に基づいて、ユーザプレーンを介して前記第２の端末デバイスに前記データパケットを送信することを含む
ことを特徴とする請求項１０に記載の無線通信方法。
【請求項１２】
前記ネットワークデバイスが前記第２の端末デバイスの識別情報に基づいてユーザプレーンを介して前記第２の端末デバイスに前記データパケットを送信することは、
前記ネットワークデバイスが前記第２の端末デバイスの識別情報に基づいて前記第３のセッション接続のアドレス情報を決定することと、
前記ネットワークデバイスが前記データパケットに前記第３のセッション接続のアドレス情報をカプセル化し、前記第２の端末デバイスに前記データパケットを送信することとを含む
ことを特徴とする請求項１１に記載の無線通信方法。
【請求項１３】
前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイスが前記第５のＵＰＦである
ことを特徴とする請求項１に記載の無線通信方法。
【請求項１４】
前記データパケットには前記第３のセッション接続のアドレス情報及び／又は前記第２の端末デバイスの識別情報が含まれ、
前記ネットワークデバイスが３ＧＰＰネットワークにおける制御プレーンまたはユーザプレーンを介して第２の端末デバイスに前記データパケットを送信することは、
前記ネットワークデバイスが前記第３のセッション接続のアドレス情報及び／又は前記第２の端末デバイスの識別情報に基づいて第６のＵＰＦを決定することと、
前記ネットワークデバイスが前記第６のＵＰＦを介して前記第２の端末デバイスに前記データパケットを送信することとを含む
ことを特徴とする請求項１３に記載の無線通信方法。
【請求項１５】
前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイスが前記第６のＵＰＦである
ことを特徴とする請求項１に記載の無線通信方法。
【請求項１６】
前記データパケットには前記第３のセッション接続のアドレス情報又は前記第２の端末デバイスの識別情報が含まれ、
前記ネットワークデバイスが３ＧＰＰネットワークにおける制御プレーンまたはユーザプレーンを介して第２の端末デバイスに前記データパケットを送信することは、
前記ネットワークデバイスが前記第３のセッション接続のアドレス情報又は前記第２の端末デバイスの識別情報に基づいて、ユーザプレーンを介して前記第２の端末デバイスに前記データパケットを送信することを含む
ことを特徴とする請求項１５に記載の無線通信方法。
【請求項１７】
前記ネットワークデバイスが前記第３のセッション接続のアドレス情報又は前記第２の端末デバイスの識別情報に基づいて前記第２の端末デバイスに前記データパケットを送信することは、
前記ネットワークデバイスが前記第２の端末デバイスの識別情報に基づいて前記第３のセッション接続のアドレス情報を決定することと、
前記ネットワークデバイスが前記データパケットに前記第３のセッション接続のアドレス情報をカプセル化し、前記第２の端末デバイスに前記データパケットを送信することとを含む
ことを特徴とする請求項１６に記載の無線通信方法。
【請求項１８】
前記第１の端末デバイスとＵＰＦとの間に第２のセッション接続が存在し、前記第２の端末デバイスとＵＰＦとの間に第３のセッション接続が存在し、  
前記データパケットには、前記第２のセッション接続の識別子、前記第３のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれ、前記データパケットが制御プレーンを介して前記ネットワークデバイスに伝送され、
前記ネットワークデバイスが３ＧＰＰネットワークにおける制御プレーンまたはユーザプレーンを介して第２の端末デバイスに前記データパケットを送信することは、
前記ネットワークデバイスが前記少なくとも１つの情報に基づいて前記データパケットの直後のホップノードを決定することと、
前記ネットワークデバイスが制御プレーンを介して前記データパケットを前記直後のホップノードに送信して、前記直後のホップノードが前記データパケットを前記第２の端末デバイスに送信することとを含む
ことを特徴とする請求項１に記載の無線通信方法。
【請求項１９】
前記ネットワークデバイスがコアネットワーク制御プレーンエンティティであり、前記ネットワークデバイスが受信したデータパケットには第２の端末デバイスの識別情報又はアドレス情報が含まれ、
前記ネットワークデバイスが前記第２の端末デバイスの識別情報又はアドレス情報に基づいて制御プレーンを介して前記第２の端末デバイスに前記データパケットを送信する
ことを特徴とする請求項１に記載の無線通信方法。
【請求項２０】
前記ネットワークデバイスが前記第２の端末デバイスの識別情報又はアドレス情報に基づいて制御プレーンを介して前記端末デバイスに前記データパケットを送信することは、
前記ネットワークデバイスが前記第２の端末デバイスの識別情報又はアドレス情報に基づいて、前記第２の端末デバイスが接続状態にある場合に制御プレーンを介して前記第２の端末デバイスに前記データパケットを送信することを含む
ことを特徴とする請求項１９に記載の無線通信方法。
【請求項２１】
前記ネットワークデバイスが前記第２の端末デバイスの識別情報又はアドレス情報に基づいて、前記第２の端末デバイスが接続状態にある場合に制御プレーンを介して前記第２の端末デバイスに前記データパケットを送信する前に、前記方法は、さらに、
前記第２の端末デバイスがアイドル状態にある場合、コアネットワーク制御プレーンエンティティが前記第２の端末デバイスにページングメッセージを送信して、前記第２の端末デバイスがアイドル状態から接続状態に遷移することとを含む
ことを特徴とする請求項２０に記載の無線通信方法。
【請求項２２】
前記ネットワークデバイスが前記第２の端末デバイスの識別情報又はアドレス情報に基づいて制御プレーンを介して前記端末デバイスに前記データパケットを送信することは、
前記ネットワークデバイスが、前記第２の端末デバイスがアイドル状態にある場合、前記第２の端末デバイスの識別情報又はアドレス情報に基づいて、ページングメッセージを利用して制御プレーンを介して前記第２の端末デバイスに前記データパケットを送信することを含む
ことを特徴とする請求項１９に記載の無線通信方法。
【請求項２３】
コアネットワーク制御プレーンエンティティが第１の端末デバイスに第２の端末デバイスとユーザプレーン機能ＵＰＦとの間のセッション接続のアドレス情報を送信することを含み、前記アドレス情報は、前記第１の端末デバイスと前記第２の端末デバイスとが第３世代パートナーシッププロジェクト３ＧＰＰネットワークにおいて通信するために使用される
ことを特徴とする無線通信方法。
【請求項２４】
前記方法は、さらに、
前記コアネットワーク制御プレーンエンティティが前記第２の端末デバイスに前記第１の端末デバイスとＵＰＦとの間のセッションのアドレス情報を送信することを含む
ことを特徴とする請求項２３に記載の無線通信方法。
【請求項２５】
前記方法は、さらに、
前記第１の端末デバイスのＵＰＦが前記第２の端末デバイスのＵＰＦと異なる場合、前記コアネットワーク制御プレーンエンティティが第１の端末デバイスと第２の端末デバイスとの間の通信のための前記第１の端末デバイスのＵＰＦと前記第２の端末デバイスのＵＰＦとの間のチャネルを確立することを含む
ことを特徴とする請求項２３又は２４に記載の無線通信方法。
【請求項２６】
前記チャネルは、インターネットプロトコルＩＰチャネル又は汎用パケット無線サービストンネリングプロトコルＧＴＰ−Ｕチャネルである
ことを特徴とする請求項２５に記載の無線通信方法。
【請求項２７】
前記方法は、さらに、
前記コアネットワーク制御プレーンエンティティが前記第１の端末デバイスにより送信された、前記第２の端末デバイスの識別情報が含まれるサービス要求メッセージを受信することと、
前記コアネットワーク制御プレーンエンティティが第１の端末デバイスに第２の端末デバイスとＵＰＦとの間のセッションのアドレス情報を送信することは、
前記コアネットワーク制御プレーンエンティティが前記サービス要求メッセージに応答し、サービス確認メッセージで第１の端末デバイスに第２の端末デバイスとＵＰＦとの間のセッションのアドレス情報を送信することを含む
ことを特徴とする請求項２３〜２６のいずれか１項に記載の無線通信方法。
【請求項２８】
前記方法は、さらに、
前記コアネットワーク制御プレーンエンティティが前記第１の端末デバイスにより送信された、前記第２の端末デバイスの識別情報が含まれるセッション確立要求メッセージを受信することを含み、
前記コアネットワーク制御プレーンエンティティが第１の端末デバイスに第２の端末デバイスとＵＰＦとの間のセッションのアドレス情報を送信することは、
前記コアネットワーク制御プレーンエンティティが前記セッション確立要求メッセージに応答し、セッション確立確認メッセージで第１の端末デバイスに第２の端末デバイスとＵＰＦとの間のセッションのアドレス情報を送信することを含む
ことを特徴とする請求項２３〜２６のいずれか１項に記載の無線通信方法。
【請求項２９】
前記方法は、さらに、
前記第２の端末デバイスがＵＰＦとのセッションを確立しない場合、前記コアネットワーク制御プレーンエンティティが前記第２の端末デバイスのために前記第２の端末デバイスとＵＰＦとの間の接続を確立することを含む
ことを特徴とする請求項２８に記載の無線通信方法。
【請求項３０】
前記コアネットワーク制御プレーンエンティティが前記第２の端末デバイスのために前記第２の端末デバイスとＵＰＦとの間の接続を確立する前に、前記方法は、さらに、
前記コアネットワーク制御プレーンエンティティが前記第２の端末デバイスをページングすることを含む
ことを特徴とする請求項２９に記載の無線通信方法。
【請求項３１】
前記方法は、さらに、
前記コアネットワーク制御プレーンエンティティが前記第１の端末デバイスのために前記第１の端末デバイスと前記ＵＰＦとの間の接続を確立することを含む
ことを特徴とする請求項２８〜３０のいずれか１項に記載の無線通信方法。
【請求項３２】
前記コアネットワーク制御プレーンエンティティが前記第１の端末デバイスと前記ＵＰＦとの間の接続を確立する時に、前記第１の端末デバイスのために選定されたＵＰＦが前記第２の端末デバイスのＵＰＦと同じである
ことを特徴とする請求項３１に記載の無線通信方法。
【請求項３３】
前記コアネットワーク制御プレーンエンティティが第１の端末デバイスに第２の端末デバイスとＵＰＦとの間のセッションのアドレス情報を送信することは、
前記第２の端末デバイスとＵＰＦとの間のセッションを確立した後、前記コアネットワーク制御プレーンエンティティが第１の端末デバイスに第２の端末デバイスとＵＰＦとの間のセッションのアドレス情報を送信することを含む
ことを特徴とする請求項２３〜２６のいずれか１項に記載の無線通信方法。
【請求項３４】
前記アドレス情報は、ブロードキャストメッセージ又は専用シグナリングに搬送される
ことを特徴とする請求項２３〜２６、３３のいずれか１項に記載の無線通信方法。
【請求項３５】
前記アドレス情報は、ＩＰアドレス、媒体アクセス制御ＭＡＣアドレス又はトンネルエンドポイント識別子ＴＥＩＤである
ことを特徴とする請求項２３〜３４のいずれか１項に記載の無線通信方法。
【請求項３６】
ネットワークデバイスが第１の端末デバイスのために、前記第１の端末デバイスが第３世代パートナーシッププロジェクト３ＧＰＰネットワークにおいて前記第２の端末デバイスと通信するためのセッション接続を確立することを含み、前記セッション接続が前記第１の端末デバイスとユーザプレーン機能ＵＰＦとの間のセッション接続を含む
ことを特徴とする無線通信方法。
【請求項３７】
前記ネットワークデバイスが第１の端末デバイスのために、前記第１の端末デバイスが３ＧＰＰネットワークにおいて前記第２の端末デバイスと通信するためのセッション接続を確立することは、
前記ネットワークデバイスが前記第１の端末デバイスに、前記第２の端末デバイスとの通信に専用するアドレス情報を割り当て、前記アドレス情報が前記第１の端末デバイスとＵＰＦとの間のセッション接続のアドレス情報である
ことを特徴とする請求項３６に記載の無線通信方法。
【請求項３８】
前記方法は、さらに、
前記ネットワークデバイスが前記第１の端末デバイスにより送信された、前記第２の端末デバイスの識別情報が含まれるセッション確立要求を受信することを含み、
ネットワークデバイスが第１の端末デバイスのために、前記第１の端末デバイスが３ＧＰＰネットワークにおいて前記第２の端末デバイスと通信するためのセッション接続を確立することは、
前記ネットワークデバイスが前記セッション確立要求に応答し、第１の端末デバイスのために前記第１の端末デバイスが前記第２の端末デバイスと通信するセッション接続を確立することを含む
ことを特徴とする請求項３６又は３７に記載の無線通信方法。
【請求項３９】
前記ネットワークデバイスが第１の端末デバイスのために、前記第１の端末デバイスが３ＧＰＰネットワークにおいて前記第２の端末デバイスと通信するためのセッション接続を確立することは、
前記第２の端末デバイスがＵＰＦとの共通セッション接続を確立した場合、前記ネットワークデバイスが前記共通セッション接続に基づいて、第１の端末デバイスのために前記第１の端末デバイスが前記第２の端末デバイスと通信するセッション接続を確立することを含む
ことを特徴とする請求項３８に記載の無線通信方法。
【請求項４０】
前記ネットワークデバイスが前記共通セッション接続に基づいて、第１の端末デバイスのために前記第２の端末デバイスと通信するセッション接続を確立することは、
前記ネットワークデバイスが前記第１の端末デバイスのＵＰＦにおいて、前記第１の端末デバイスが前記第２の端末デバイスと通信するセッション接続のアドレス情報と、前記共通セッション接続のアドレス情報との関連関係を確立することを含む
ことを特徴とする請求項３９に記載の無線通信方法。
【請求項４１】
前記方法は、さらに、
前記ネットワークデバイスが前記第２の端末デバイスのために第２のセッション接続を確立することを含み、前記第２のセッション接続が前記第２の端末デバイスとＵＰＦとの間のセッション接続であり、前記第２のセッション接続が前記第２の端末デバイスと前記第１の端末デバイスとの間の通信に使用される
ことを特徴とする請求項３６〜３８のいずれか１項に記載の無線通信方法。
【請求項４２】
前記方法は、さらに、
前記第２の端末デバイスがアイドル状態にある場合、前記ネットワークデバイスが前記第２の端末デバイスをページングして、前記第２の端末デバイスがセッション接続確立要求を送信するようにトリガーすることを含む
ことを特徴とする請求項４１に記載の無線通信方法。
【請求項４３】
前記ネットワークデバイスが第１の端末デバイスのために、前記第１の端末デバイスが３ＧＰＰネットワークにおいて前記第２の端末デバイスと通信するためのセッション接続を確立することは、
前記ネットワークデバイスが前記第１の端末デバイスのために、前記第２の端末デバイスと同じであるＵＰＦを選定することを含む
ことを特徴とする請求項３６〜４２のいずれか１項に記載の無線通信方法。
【請求項４４】
前記方法は、さらに、
前記第１の端末デバイスのＵＰＦが前記第２の端末デバイスのＵＰＦと異なる場合、前記ネットワークデバイスが前記第１の端末デバイスのＵＰＦと前記第２の端末デバイスのＵＰＦとの間の接続を確立することを含む
ことを特徴とする請求項３６〜４３のいずれか１項に記載の無線通信方法。
【請求項４５】
第１の端末デバイスが第２の端末デバイスにデータパケットを送信することを含み、前記データパケットには、第２の端末デバイスとユーザプレーン機能ＵＰＦとの間のセッション接続のアドレス情報又は第１の端末デバイスとＵＰＦとの間のセッション接続のアドレス情報が含まれ、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される
ことを特徴とする無線通信方法。
【請求項４６】
前記方法は、さらに、
前記第１の端末デバイスがネットワークデバイスにより送信された、第２の端末デバイスとＵＰＦとの間のセッション接続のアドレス情報又は第１の端末デバイスとＵＰＦとの間のセッション接続のアドレス情報を受信することを含む
ことを特徴とする請求項４５に記載の無線通信方法。
【請求項４７】
第２の端末デバイスとＵＰＦとの間のセッション接続のアドレス情報は、ブロードキャスト情報又は専用シグナリングに搬送される
ことを特徴とする請求項４６に記載の無線通信方法。
【請求項４８】
通信ユニットを含むネットワークデバイスであって、
前記通信ユニットは、第１の端末デバイスから第３世代パートナーシッププロジェクト３ＧＰＰネットワークにおける制御プレーンまたはユーザプレーンを介して伝送されたデータパケットを受信し、
３ＧＰＰネットワークにおける制御プレーンまたはユーザプレーンを介して第２の端末デバイスに前記データパケットを送信するように構成される
ことを特徴とするネットワークデバイス。
【請求項４９】
通信ユニットを含むコアネットワーク制御プレーンエンティティであって、
前記通信ユニットは、第１の端末デバイスに第２の端末デバイスとユーザプレーン機能ＵＰＦとの間のセッション接続のアドレス情報を送信するように構成され、前記アドレス情報は、前記第１の端末デバイスと前記第２の端末デバイスとが第３世代パートナーシッププロジェクト３ＧＰＰネットワークにおいて通信するために使用される
ことを特徴とするコアネットワーク制御プレーンエンティティ。
【請求項５０】
処理ユニットを含むネットワークデバイスであって、
前記処理ユニットは、第１の端末デバイスのために、前記第１の端末デバイスが第３世代パートナーシッププロジェクト３ＧＰＰネットワークにおいて前記第２の端末デバイスと通信するためのセッション接続を確立するように構成され、前記セッション接続が前記第１の端末デバイスとユーザプレーン機能ＵＰＦとの間のセッション接続を含む
ことを特徴とするネットワークデバイス。
【請求項５１】
通信ユニットを含み、第１の端末デバイスとする端末デバイスであって、
前記通信ユニットは、第２の端末デバイスにデータパケットを送信するように構成され、前記データパケットには第２の端末デバイスとユーザプレーン機能ＵＰＦとの間のセッション接続のアドレス情報又は第１の端末デバイスとＵＰＦとの間のセッション接続のアドレス情報が含まれ、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される
ことを特徴とする端末デバイス。
【請求項５２】
コンピュータプログラムを記憶するメモリと、前記メモリに記憶されたコンピュータプログラムを呼び出して実行し、請求項１〜２２のいずれか１項に記載の方法を実行するプロセッサとを備える
ことを特徴とするネットワークデバイス。
【請求項５３】
コンピュータプログラムを記憶するメモリと、前記メモリに記憶されたコンピュータプログラムを呼び出して実行し、請求項２３〜３５のいずれか１項に記載の方法を実行するプロセッサとを備える
ことを特徴とするコアネットワーク制御プレーンエンティティ。
【請求項５４】
コンピュータプログラムを記憶するメモリと、前記メモリに記憶されたコンピュータプログラムを呼び出して実行し、請求項３６〜４４のいずれか１項に記載の方法を実行するプロセッサとを備える
ことを特徴とするネットワークデバイス。
【請求項５５】
コンピュータプログラムを記憶するメモリと、前記メモリに記憶されたコンピュータプログラムを呼び出して実行し、請求項４５〜４７のいずれか１項に記載の方法を実行するプロセッサとを備える
ことを特徴とする端末デバイス。
【請求項５６】
コンピュータプログラムをメモリから呼び出して実行し、チップが搭載されるデバイスに請求項１〜２２のいずれか１項に記載の方法を実行させるプロセッサを有する
ことを特徴とするチップ。
【請求項５７】
コンピュータプログラムをメモリから呼び出して実行し、チップが搭載されるデバイスに請求項２３〜３５のいずれか１項に記載の方法を実行させるプロセッサを有する
ことを特徴とするチップ。
【請求項５８】
コンピュータプログラムをメモリから呼び出して実行し、チップが搭載されるデバイスに請求項３６〜４４のいずれか１項に記載の方法を実行させるプロセッサを有する
ことを特徴とするチップ。
【請求項５９】
コンピュータプログラムをメモリから呼び出して実行し、チップが搭載されるデバイスに請求項４５〜４７のいずれか１項に記載の方法を実行させるプロセッサを有する
ことを特徴とするチップ。
【請求項６０】
コンピュータに請求項１〜２２のいずれか１項に記載の方法を実行させるコンピュータプログラムを記憶する
ことを特徴とするコンピュータ可読記憶媒体。
【請求項６１】
コンピュータに請求項２３〜３５のいずれか１項に記載の方法を実行させるコンピュータプログラムを記憶する
ことを特徴とするコンピュータ可読記憶媒体。
【請求項６２】
コンピュータに請求項３６〜４４のいずれか１項に記載の方法を実行させるコンピュータプログラムを記憶する
ことを特徴とするコンピュータ可読記憶媒体。
【請求項６３】
コンピュータに請求項４５〜４７のいずれか１項に記載の方法を実行させるコンピュータプログラムを記憶する
ことを特徴とするコンピュータ可読記憶媒体。
【請求項６４】
コンピュータに請求項１〜２２のいずれか１項に記載の方法を実行させるコンピュータプログラム命令を有する
ことを特徴とするコンピュータプログラム製品。
【請求項６５】
コンピュータに請求項２３〜３５のいずれか１項に記載の方法を実行させるコンピュータプログラム命令を有する
ことを特徴とするコンピュータプログラム製品。
【請求項６６】
コンピュータに請求項３６〜４４のいずれか１項に記載の方法を実行させるコンピュータプログラム命令を有する
ことを特徴とするコンピュータプログラム製品。
【請求項６７】
コンピュータに請求項４５〜４７のいずれか１項に記載の方法を実行させるコンピュータプログラム命令を有する
ことを特徴とするコンピュータプログラム製品。
【請求項６８】
コンピュータに、請求項１〜２２のいずれか１項に記載の方法を実行させる
ことを特徴とするコンピュータプログラム。
【請求項６９】
コンピュータに、請求項２３〜３５のいずれか１項に記載の方法を実行させる
ことを特徴とするコンピュータプログラム。
【請求項７０】
コンピュータに、請求項３６〜４４のいずれか１項に記載の方法を実行させる
ことを特徴とするコンピュータプログラム。
【請求項７１】
コンピュータに、請求項４５〜４７のいずれか１項に記載の方法を実行させる
ことを特徴とコンピュータプログラム。
【発明の詳細な説明】
【技術分野】
【０００１】
本願の実施例は、通信技術分野に関し、具体的に、無線通信方法及び通信デバイスに関する。
【背景技術】
【０００２】
現在、第１の端末デバイスが第２の端末デバイスにデータパケットを送信する際、第１の端末デバイスから送信されたデータパケットが、アクセスネットワーク、コアネットワーク、及び、ＤＮＳ (ｄｏｍａｉｎ ｎａｍｅ ｓｙｓｔｅｍ)などの外部サーバーを経由して、第２の端末デバイスに到達する。
【０００３】
データパケットの送信過程において、第３世代パートナーシッププロジェクト(３ｒｄ ｇｅｎｅｒａｔｉｏｎ ｐａｒｔｎｅｒｓｈｉｐ ｐｒｏｊｅｃｔ、３ＧＰＰ)内部ネットワークだけでなく、ＤＮＳのような外部サーバーの解析及びルーティングを経由する必要があり、通信遅延が長い。
【発明の概要】
【０００４】
本願の実施例は、３ＧＰＰネットワーク内でのデータパケットの伝送を実現し、通信遅延を低減することができる無線通信方法及びデバイスを提供する。
【０００５】
第１の態様は、無線通信方法を提供し、ネットワークデバイスが、第１の端末デバイスから第３世代パートナーシッププロジェクト３ＧＰＰネットワークにおける制御プレーンまたはユーザプレーンを介して伝送されるデータパケットを受信することと、前記ネットワークデバイスが３ＧＰＰネットワークにおける制御プレーンまたはユーザプレーンを介して第２の端末デバイスに前記データパケットを送信することとを含む。
【０００６】
第２の態様は、無線通信方法を提供し、コアネットワーク制御プレーンエンティティが第１の端末デバイスに第２の端末デバイスとユーザプレーン機能ＵＰＦとの間のセッション接続のアドレス情報を送信することを含み、前記アドレス情報は、前記第１の端末デバイスと前記第２の端末デバイスとが第３世代パートナーシッププロジェクト３ＧＰＰネットワークにおいて通信するために使用される。
【０００７】
第３の態様は、無線通信方法を提供し、ネットワークデバイスが第１の端末デバイスのために、前記第１の端末デバイスが第３世代パートナーシッププロジェクト３ＧＰＰネットワークにおいて前記第２の端末デバイスと通信するためのセッション接続を確立することを含み、前記セッション接続が前記第１の端末デバイスとユーザプレーン機能ＵＰＦとの間のセッション接続を含む。
【０００８】
第４の態様は、無線通信方法を提供し、第１の端末デバイスが第２の端末デバイスにデータパケットを送信することを含み、前記データパケットには第２の端末デバイスとユーザプレーン機能ＵＰＦとの間のセッション接続のアドレス情報又は第１の端末デバイスとＵＰＦとの間のセッション接続のアドレス情報が含まれ、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０００９】
第５の態様は、上記第１の態様又はその様々な実施態様における方法を実行するためのネットワークデバイスを提供する。
【００１０】
具体的には、このネットワークデバイスは、上記第１の態様又はその各実施例による方法を実行するための機能モジュールを備える。
【００１１】
第６の態様は、上記第２の態様又はその様々な実施態様における方法を実行するためのコアネットワーク制御プレーンエンティティを提供する。
【００１２】
具体的には、このコアネットワーク制御プレーンエンティティは、上記第２の態様又はその各実施例による方法を実行するための機能モジュールを備える。
【００１３】
第７の態様は、上記第３の態様又はその様々な実施態様における方法を実行するためのネットワークデバイスを提供する。
【００１４】
具体的には、このネットワークデバイスは、上記第３の態様又はその各実施例による方法を実行するための機能モジュールを備える。
【００１５】
第８の態様は、上記第４の態様又はその様々な実施態様における方法を実行するための端末デバイスを提供する。
【００１６】
具体的には、この端末デバイスは、上記第４の態様又はその各実施例による方法を実行するための機能モジュールを備える。
【００１７】
第９の態様は、プロセッサとメモリとを備えるネットワークデバイスを提供する。このメモリは、コンピュータプログラムを記憶し、プロセッサは、メモリに記憶されたコンピュータプログラムを呼び出して実行し、上記第１の態様またはその様々な実施例における方法を実行する。
【００１８】
第１０の態様は、プロセッサとメモリとを備えるコアネットワーク制御プレーンエンティティを提供する。このメモリは、コンピュータプログラムを記憶し、プロセッサは、メモリに記憶されたコンピュータプログラムを呼び出して実行し、上記第２の態様またはその様々な実施例における方法を実行する。
【００１９】
第１１の態様は、プロセッサとメモリとを備えるネットワークデバイスを提供する。このメモリは、コンピュータプログラムを記憶し、プロセッサは、メモリに記憶されたコンピュータプログラムを呼び出して実行し、上記第３の態様またはその様々な実施例における方法を実行する。
【００２０】
第１２の態様は、プロセッサとメモリとを備える端末デバイスを提供する。このメモリは、コンピュータプログラムを記憶し、プロセッサは、メモリに記憶されたコンピュータプログラムを呼び出して実行し、上記第４の態様またはその様々な実施例における方法を実行する。
【００２１】
第１３の態様は、上述の第１から第４の態様のいずれか、またはその各実施態様における方法を実施するためのチップを提供する。
【００２２】
具体的には、このチップは、コンピュータプログラムをメモリから呼び出して実行し、このチップが実装されたデバイスに、第１の態様から第４の態様のいずれか、またはそれらの実装形態による方法を実行させるプロセッサを含む。
【００２３】
第１４の態様は、コンピュータに、上述の第１の態様から第４の態様のいずれか、またはそれらの実装形態における方法を実行させるコンピュータプログラムを記憶するコンピュータ可読記憶媒体を提供する。
【００２４】
第１５の態様は、コンピュータに、上述の第１の態様から第４の態様のいずれか、またはそれらの実装形態における方法を実行させるコンピュータプログラム命令を含む、コンピュータプログラム製品を提供する。
【００２５】
第１０の態様は、コンピュータ上で実行されたときに、コンピュータに、上記の第１から第４の態様のいずれか、またはその様々な実施態様における方法を実行させるコンピュータプログラムを提供する。
【００２６】
上記技術案により、３ＧＰＰネットワーク内の制御プレーン又はユーザプレーンを介してデータパケットの伝送を行うことができ、外部サーバーの解析及びルーティングの経由が不要となり、通信遅延を低減することができる。
【図面の簡単な説明】
【００２７】
【図１】本願の実施例における通信システムのアーキテクチャの模式図である。
【図２】本願の実施例における無線通信方法の模式図である。
【図３】本願の実施例における無線通信方法の模式図である。
【図４】本願の実施例における無線通信方法の模式図である。
【図５】本願の実施例における無線通信方法の模式図である。
【図６】本願の実施例における無線通信方法の模式図である。
【図７】本願の実施例における無線通信方法の模式図である。
【図８】本願の実施例における無線通信方法の模式図である。
【図９】本願の実施例における無線通信方法の模式図である。
【図１０】本願の実施例におけるネットワークデバイスのブロック図である。
【図１１】本願の実施例におけるコアネットワーク制御プレーンエンティティのブロック図である。
【図１２】本願の実施例におけるネットワークデバイスのブロック図である。
【図１３】本願の実施例におけるネットワークデバイスのブロック図である。
【図１４】本願の実施例における通信デバイスの構成図である。
【図１５】本願の実施例におけるシステムチップの構成図である。
【図１６】本願の実施例における通信システムのブロック図である。
【発明を実施するための形態】
【００２８】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００２９】
本明細書において、用語「システム」及び「ネットワーク」は、しばしば、交換可能に使用されることが理解される。ここで言う「及び/又は」とは、単に関連対象を説明する関連関係のことであり、Ａ及び/又はＢのように３つの関係があり、Ａ単独の場合、ＡとＢの両方の場合、Ｂ単独の場合の３つの場合があることを意味する。また、本文中の「/」は、前後関係オブジェクトが「または」の関係であることを一般的に示す。
【００３０】
本願の実施例に係る技術方案は、様々な通信システム、例えば、ＧＳＭ (Ｇｌｏｂａｌ Ｓｙｓｔｅｍ ｏｆ Ｍｏｂｉｌｅ Ｃｏｍｍｕｎｉｃａｔｉｏｎ)システム、ＣＤＭＡ (Ｃｏｄｅ Ｄｉｖｉｓｉｏｎ Ｍｕｌｔｉｐｌｅ Ａｃｃｅｓｓ)システム、ＷＣＤＭＡ (Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ (Ｇｅｎｅｒａｌ Ｐａｃｋｅｔ Ｒａｄｉｏ Ｓｅｒｖｉｃｅ)、ＬＴＥ (Ｌｏｎｇ Ｔｅｒｍ Ｅｖｏｌｕｔｉｏｎ)システム、ＬＴＥのＦＤＤ (Ｆｒｅｑｕｅｎｃｙ Ｄｉｖｉｓｉｏｎ Ｄｕｐｌｅｘ)システム、ＬＴＥのＴＤＤ (Ｔｉｍｅ  Ｄｉｖｉｓｉｏｎ  Ｄｕｐｌｅｘ)システム、ＵＭＴＳ (Ｕｎｉｖｅｒｓａｌ  Ｍｏｂｉｌｅ  Ｔｅｌｅｃｏｍｍｕｎｉｃａｔｉｏｎ  Ｓｙｓｔｅｍ)、ＷｉＭＡＸ (Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ)通信システム又は５Ｇシステムに適用されることができる。
【００３１】
本願の実施例に係る端末デバイスとは、公衆回線交換網ＰＳＴＮ、ＤＳＬ、デジタル回線、直接ケーブルなどの有線回線接続、および/または別のデータ接続/ネットワーク、および/または、例えばセルラネットワーク、無線ローカルエリアネットワーク(ＷＬＡＮ)、例えばＤＶＢ−Ｈネットワークのようなディジタルテレビネットワーク、衛星ネットワーク、ＡＭ−ＦＭ放送送信機のための無線インターフェースを介し、及び/又は別の端末デバイスの通信信号を受信/送信するように構成された手段、および/またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム(ＰＣＳ)端末、無線電話、ページャ、インターネット/イントラネット接続、Ｗｅｂブラウザ、メモ帳、カレンダ、及び/又はＧＰＳ受信機を含むことができるＰＤＡ、および従来のラップトップおよび/またはパームトップ受信機または無線電話送受信機を含む他の電子デバイスが挙げられる。端末デバイスは、アクセス端末、ＵＥ、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ)電話、ＷＬＬ （ Ｗｉｒｅｌｅｓｓ Ｌｏｃａｌ Ｌｏｏｐ)局、ＰＤＡ (Ｐｅｒｓｏｎａｌ Ｄｉｇｉｔａｌ Ａｓｓｉｓｔａｎｔ)、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００３２】
本願の実施例に係るアクセスネットワークデバイスは、端末デバイス(または通信端末、端末)と通信するデバイスであってもよい。ネットワークデバイスは、特定の地理的エリアに通信カバレッジを提供し得、そのカバレッジ内に位置する端末デバイスと通信し得る。任意選択で、ネットワークデバイス１１０は、ＧＳＭシステムまたはＣＤＭＡシステムにおける基地局(Ｂａｓｅ Ｔｒａｎｓｃｅｉｖｅｒ Ｓｔａｔｉｏｎ、ＢＴＳ)、ＷＣＤＭＡシステムにおける基地局（ ＮｏｄｅＢ、ＮＢ ）、ＬＴＥシステムにおける発展型基地局（ Ｅｖｏｌｕｔｉｏｎａｌ Ｎｏｄｅ Ｂ、ｅＮＢ、またはｅＮｏｄｅＢ ）、又はクラウド無線アクセスネットワーク（ Ｃｌｏｕｄ Ｒａｄｉｏ Ａｃｃｅｓｓ Ｎｅｔｗｏｒｋ、ＣＲＡＮ)における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、又は将来進化するパブリック地上モバイルネットワーク(Ｐｕｂｌｉｃ Ｌａｎｄ Ｍｏｂｉｌｅ Ｎｅｔｗｏｒｋ、ＰＬＭＮ)におけるネットワークデバイスなどであってもよい。
【００３３】
本願の実施例に係るコアネットワークデバイスは、５Ｇコアネットワークデバイスであり得る。例えば、アクセス及び移動性管理機能(Ａｃｃｅｓｓ ａｎｄ Ｍｏｂｉｌｉｔｙ Ｍａｎａｇｅｍｅｎｔ Ｆｕｎｃｔｉｏｎ、ＡＭＦ)のように、アクセス及び移動性管理を担当することができ、ユーザに対する認証、ハンドオーバー、位置更新などの機能を有することができる。また例えば、セッション管理機能(ＳＭＦ)であってもよく、セッション管理を担当し、パケットデータユニット(ＰＤＵ)セッションの確立、修正、解放などを含む。また例えば、ユーザデータの転送を担当するユーザプレーン機能（ｕｓｅｒ ｐｌａｎｅ ｆｕｎｃｔｉｏｎ、ＵＰＦ）であってもよい。ここで、コアネットワークデバイスは、ＬＴＥシステム又は他のシステムのコアネットワークデバイスであってもよい。
【００３４】
任意選択で、本願の実施例は、ローカルネットワーク及び公衆陸上ネットワークに適用され得る。
【００３５】
ここで、公衆陸上ネットワークはＰＬＭＮに基づく公衆陸上ネットワークであってもよい。
【００３６】
ローカルネットワークは、ローカルエリアネットワーク又はプライベートネットワークとも称され、オフィス、家庭、工場の現場に配置されることが多く、ローカルネットワークは、典型的には、ローカルなユーザ又は管理者によってレイアウトされることが多く、より効率的で安全な管理を可能にする。通常、許可されたアクセス可能なユーザは、ローカルネットワークへのアクセス権を有する。
【００３７】
ローカルネットワークは、公衆陸上ネットワークによって管理又は管轄され得るが、公衆陸上ネットワークによって管理又は管轄されなくてもよい。
【００３８】
任意選択で、ローカルネットワークは、免許不要周波数帯域を用いて通信を行ってもよいし、公衆陸上ネットワークとの間で免許周波数帯域を共有してもよい。
【００３９】
任意選択で、ローカルネットワークは、３ＧＰＰの範囲に属するネットワークでもある。ここで、該ローカルネットワークのコアネットワークはＮＲ技術又はＬＴＥ技術のコアネットワークであってもよく、及びローカルネットワークはＮＲアクセスネットワーク、ＬＴＥアクセスネットワーク又はＷｉｒｅｌｅｓｓ Ｆｉｄｅｌｉｔｙ （Ｗｉｆｉ)を介してコアネットワークにアクセスしてもよい。
【００４０】
任意選択で、本願の実施例では、公衆陸上ネットワークおよびローカルネットワークは、コアネットワークを共用し、アクセスネットワークは独立しており、又は、アクセスネットワークを共用し、コアネットワークが独立しおり、又は、アクセスネットワークおよびコアネットワークを共用し、又は、アクセスネットワークもコアネットワークも共用しない。通信システムの中でも、例えば、ＰＬＭＮ (ｐｕｂｌｉｃ ｌａｎｄ ｍｏｂｉｌｅ ｎｅｔｗｏｒｋ)に基づくネットワークシステムのような公共ネットワークシステムが一般的に構成される。しかしながら、公共ネットワークシステムにおいて、第１の端末デバイスと第２の端末デバイスとの間で通信を行う場合、データパケットは、３ＧＰＰネットワークの内部のノードだけでなく、３ＧＰＰネットワークの外部のＤＮＳによるデータの解析やルーティングを経由して第２の端末デバイスに到達する必要があり、通信遅延が長くなる。
【００４１】
本願の実施例は、上記に鑑み、データパケットが送信過程において、３ＧＰＰネットワーク内部ノード間でルーティングするだけで、第２端末デバイスに到達することができるポイントツーポイント通信方式を提供する。
【００４２】
３ＧＰＰ内部でのデータの伝送が伝送遅延を低減することができ、内部伝送は、データが３ＧＰＰ内部においてネットワークノードＲＡＮ（ｒａｄｉｏ ａｃｃｅｓｓ ｎｅｔｗｏｒｋ）、ＡＭＦ及び/又はＳＭＦ間でのルーティングのみを指し、外部のＤＮＳの解析ルーティングプロセスを経由しない。
【００４３】
本願の実施例は、ローカルネットワーク又は公衆陸上ネットワークに適用され得る。
【００４４】
ここで、公衆陸上ネットワークはＰＬＭＮに基づく公衆陸上ネットワークであってもよい。
【００４５】
ローカルネットワークは、ローカルエリアネットワーク又はプライベートネットワークとも称され、オフィス、家庭、工場の現場に配置されることが多く、ローカルネットワークは、典型的には、ローカルなユーザ又は管理者によってレイアウトされることが多く、より効率的で安全な管理を可能にする。通常、許可されたアクセス可能なユーザは、ローカルネットワークへのアクセス権を有する。
【００４６】
ローカルネットワークは、公衆陸上ネットワークによって管理又は管轄され得るが、公衆陸上ネットワークによって管理又は管轄されなくてもよい。
【００４７】
任意選択で、ローカルネットワークは、免許不要周波数帯域を用いて通信を行ってもよいし、公衆陸上ネットワークとの間で免許周波数帯域を共有してもよい。
【００４８】
任意選択で、ローカルネットワークは、３ＧＰＰの範囲に属するネットワークでもある。ここで、該ローカルネットワークのコアネットワークはＮＲ技術又はＬＴＥ技術のコアネットワークであってもよく、及びローカルネットワークはＮＲアクセスネットワーク、ＬＴＥアクセスネットワーク又はＷｉｒｅｌｅｓｓ Ｆｉｄｅｌｉｔｙ （Ｗｉｆｉ)を介してコアネットワークにアクセスしてもよい。
【００４９】
任意選択で、本願の実施例では、公衆陸上ネットワークおよびローカルネットワークは、コアネットワークを共用し、アクセスネットワークは独立しており、又は、アクセスネットワークを共用し、コアネットワークが独立しおり、又は、アクセスネットワークおよびコアネットワークを共用し、又は、アクセスネットワークもコアネットワークも共用しない。
【００５０】
図１は本願の実施例におけるポイントツーポイント通信方式の構成図である。該通信方式は、伝送遅延を低減させることができる。
【００５１】
第１の端末デバイスが第２の端末デバイスにデータパケットを送信する時に、データパケットは、３ＧＰＰネットワーク内部のノード間のみでルーティングされ、第２の端末デバイスに到達する。
【００５２】
例えば、データパケットは、ユーザプレーンのみを介して第２の端末デバイスに到達する。第１の端末デバイスが送信したデータパケットは、第１のＵＰＦ、第２のＵＰＦを介して第２の端末デバイスに到達する。
【００５３】
また、例えば、データパケットは、制御プレーンを介して第２の端末デバイスに到達する。第１の端末デバイスがデータパケットを制御プレーンを介してＳＭＦエンティティに送信し、次に、ＳＭＦエンティティが該データパケットを第１のＵＰＦにルーティングし、第１のＵＰＦが該データパケットを第２のＵＰＦに送信し、次に、第２のＵＰＦがデータパケットを第２の端末デバイスに送信する。
【００５４】
図２は本願の実施例における無線通信方法の模式図であり、図２の方法は、ステップ１１０〜１２０を含む。
【００５５】
Ｓ１１０において、ネットワークデバイスが第１の端末デバイスから３ＧＰＰネットワークにおける制御プレーンまたはユーザプレーンを介して伝送されたデータパケットを受信する。
【００５６】
任意選択で、該ネットワークデバイスは、コアネットワークデバイス、例えば、ＡＭＦ、ＳＭＦ又はＵＰＦ等であっても良い。
【００５７】
制御プレーンを介して伝送されたデータパケットは、制御プレーンデータパケットと呼ばれ、例えば、ＡＭＦを介して伝送されたデータパケット又はＳＭＦを介して伝送されたデータパケットである。
【００５８】
Ｓ１２０において、ネットワークデバイスは、３ＧＰＰネットワークにおける制御プレーンまたはユーザプレーンを介して第２の端末デバイスにデータパケットを伝送する。
【００５９】
本願の実施例に係る技術案は、第１の端末デバイスが第２の端末デバイスにデータパケットを送信する場合、該データパケットは３ＧＰＰネットワーク内部のノード間でのみ伝送され、外部サーバーを経由せず、データ伝送過程でカプセル化や解析の回数を減少させ、遅延を減少させることができる。
【００６０】
任意選択で、第１の端末デバイスと第２の端末デバイスとの間に第１のセッション接続が存在し、該第１のセッションが接続第１の端末デバイスと第２の端末デバイスとの間の通信に使用される。
【００６１】
該第１のセッション接続は、第１の端末デバイスと第２の端末デバイスとの間に専用されるセッション接続であっても良い。
【００６２】
該第１のセッション接続は、セッション接続識別子、第１の端末デバイスとＵＰＦとの間のセッションのアドレス情報、第１の端末デバイスのＵＰＦと第２の端末デバイスのＵＰＦとの間のアドレス情報、第２の端末デバイスとＵＰＦとの間のセッションのアドレス情報のうちの少なくとも１つによって識別する。例えば、該第１のセッション接続は、セッション接続識別子によって識別する。また、例えば、該第１のセッション接続は、第１の端末デバイスとＵＰＦとの間のセッションのアドレス情報、第１の端末デバイスのＵＰＦと第２の端末デバイスのＵＰＦとの間のアドレス情報及び第２の端末デバイスとＵＰＦとの間のセッションのアドレス情報によって識別する。
【００６３】
第１の端末デバイスは、第１のセッション接続を利用してネットワークデバイスにデータパケットを送信することができる。該データパケットがユーザプレーンデータパケットである場合、第１の端末デバイスは、ユーザプレーンを介してネットワークデバイスにデータパケットを送信する。該ネットワークデバイスは、第１の端末デバイスのＵＰＦであっても良いし、第２の端末デバイスのＵＰＦであっても良い。ネットワークデバイスは、第１の端末デバイスが送信したデータパケットを受信した後、第１のセッション接続を利用して第２の端末デバイスにデータパケットを送信しても良い。
【００６４】
任意選択で、第１の端末デバイスのＵＰＦと第２の端末デバイスのＵＰＦとは、同一のＵＰＦであっても良い。本願の実施例は、同じＵＰＦを第１のＵＰＦと呼ばれる。
【００６５】
第１の端末デバイスが第１のＵＰＦにユーザプレーンデータパケットを送信し、該データパケットに第１の端末デバイスと第１のＵＰＦとの間の接続の第１のアドレス情報が含まれる。第１のＵＰＦが該データパケットを受信した後、該第１のアドレス情報を利用して、第２のアドレス情報を決定し、該第２のアドレス情報が第１のセッション接続における第２の端末デバイスと第１のＵＰＦとの間の接続のアドレス情報であっても良い。
【００６６】
第１のセッション接続が第１の端末デバイスと第２の端末デバイスとの間の専用セッション接続であるため、第１のアドレス情報と第２のアドレス情報とが一意の対応関係を有し、第１のアドレス情報が第２のアドレス情報に一意にマッピングし、第２のアドレス情報が第２のアドレス情報に一意にマッピングする。第１の端末デバイスが送信するデータパケットに含まれる第１のアドレス情報は、該データパケットが第２の端末デバイスに送信することを指示する。
【００６７】
任意選択で、第１のＵＰＦに第１のアドレス情報と第２のアドレス情報との対応関係が予め構成される。第１のＵＰＦは、受信した第１のアドレス情報に基づいて対応関係を検索して第２のアドレス情報を決定し、データパケットに第２のアドレス情報をカプセル化し第２の端末デバイスに送信することができる。
【００６８】
任意選択で、あるシナリオにおいて、第１の端末デバイスのＵＰＦが第１の端末デバイスと第２の端末デバイスとの通信に専用される場合、データパケットには第１の端末デバイスの識別情報のみが含まれても良い。第１の端末デバイスのＵＰＦが受信したデータパケットに第１の端末デバイスの識別子が含まれる場合、該データパケットが第２の端末デバイスに送信すると決定されても良い。
【００６９】
端末デバイスの識別情報は、端末デバイスの一時識別子、永久識別子又はデバイス番号であっても良い。なお、本願の実施例において、端末デバイスの識別情報は、端末デバイスのアドレス情報で切り替えても良く、例えば、端末デバイスのインターネットプロトコル（Ｉｎｔｅｒｎｅｔ Ｐｒｏｔｏｃｏｌ、ＩＰ）アドレス又は媒体アクセス制御（ｍｅｄｉｕｍ ａｃｃｅｓｓ ｃｏｎｔｒｏｌ、ＭＡＣ）アドレス等であっても良い。
【００７０】
また、例えば、第１の端末デバイスのＵＰＦは、第２の端末デバイスとの間の通信に専用されなくても良く、他の端末デバイスとの通信に使用されても良い。しかし、第１の端末デバイスのＵＰＦと第１の端末デバイスとの間の接続のアドレス情報は、第２の端末デバイスとの通信に専用されても良い。第１の端末デバイスのＵＰＦが受信したデータパケットに第１の端末デバイスと第１の端末デバイスのＵＰＦとの間の接続のアドレス情報が含まれる場合、第１の端末デバイスのＵＰＦは、該データパケットが第２の端末デバイスに送信されると決定することができる。
【００７１】
任意選択で、第１の端末デバイスのＵＰＦと第２の端末デバイスのＵＰＦとが異なっても良く、第１の端末デバイスと第２の端末デバイスとが自分のＵＰＦをそれぞれ有しても良い。
【００７２】
第１の端末デバイスのＵＰＦが第２のＵＰＦ、第２の端末デバイスのＵＰＦが第３のＵＰＦであると仮定する。
【００７３】
ネットワークデバイスが第２のＵＰＦである場合、第２のＵＰＦが第１の端末デバイスにより送信されたデータパケットを受信し、該データパケットには第１の端末デバイスと第２のＵＰＦとの間の第３のアドレス情報が含まれる。第２のＵＰＦが第３のアドレス情報に基づいて、第４のアドレス情報を決定することができ、該第４のアドレス情報は、第２のＵＰＦと第３のＵＰＦとの間の接続のアドレス情報である。
【００７４】
第２のＵＰＦは、第４のアドレス情報をデータパケットにカプセル化し、第３のＵＰＦを介して第２の端末デバイスにデータパケットを送信することができる。
【００７５】
ネットワークデバイスが第３のＵＰＦである場合、第３のＵＰＦが受信したデータパケットには第４のアドレス情報が含まれ、第３のＵＰＦが第４のアドレス情報に基づいて第５のアドレス情報を一意に決定することができ、該第５のアドレス情報は、第３のＵＰＦと第２の端末デバイスとの間の接続のアドレス情報である。
【００７６】
第３のＵＰＦは、第５のアドレス情報をデータパケットにカプセル化し、該データパケットを第２の端末デバイスに送信することができる。
【００７７】
任意選択で、該ネットワークデバイスがコアネットワークエンティティ（例えば、ＵＰＦ、ＳＭＦ又はＡＭＦ）であっても良く、コアネットワークエンティティが第１の端末デバイスが制御プレーンを介して送信されたデータパケットを受信し、該データパケットには、第１のセッション接続の識別子、第１のセッション接続のアドレス情報、第１の端末デバイスの識別情報及び第２の端末デバイスの識別情報のうちの少なくとも１つが含まれる。該データパケットは、制御プレーンを介してコアネットワークエンティティに送信されても良い。ここで、該第１のセッション接続は、セッション接続識別子、第１の端末デバイスとＵＰＦとの間のセッションのアドレス情報、第１の端末デバイスのＵＰＦと第２の端末デバイスのＵＰＦとの間のアドレス情報、第２の端末デバイスとＵＰＦとの間のセッションのアドレス情報のうちの少なくとも１つによって識別する。
【００７８】
コアネットワーク制御プレーンエンティティは、データパケットに含まれる上記の少なくとも１つの情報に基づいて、データパケットの直後のホップノードを決定する。コアネットワーク制御プレーンエンティティは、制御プレーンを介してデータパケットを直後のホップノードにルーティングして、直後のホップノードが該データパケットを第２の端末デバイスにルーティングする。
【００７９】
第１の端末デバイスと第２の端末デバイスとの間に第１のセッション接続が確立された場合、上記の少なくとも１つの情報は、互いに関連しても良い。
【００８０】
ここで、第１の端末デバイスと第２の端末デバイスとの間にセッション接続が確立された場合、第１の端末デバイスが第２の端末デバイスにデータパケットを送信することは、第１の端末デバイス、第１の端末デバイスのＡＭＦ、第１の端末デバイスのＳＭＦ、第１の端末デバイスのＵＰＦ、第２の端末デバイスのＵＰＦ、第２の端末デバイスのＳＭＦ、第２の端末デバイスのＡＭＦ、第２の端末デバイス、又は、第１の端末デバイス、ＡＭＦ、ＳＭＦ、第１の端末デバイスのＵＰＦ、第２の端末デバイスのＵＰＦ、第２の端末デバイスのノードを経由する。ここで、アクセスネットワークデバイスは、パススルーの役割を果たすことができる。
【００８１】
任意選択で、第１の端末デバイスがコアネットワーク制御プレーンエンティティに送信するデータパケットには第２の端末デバイスの情報が含まれ、第２の端末デバイスの情報は、第２の端末デバイスの識別情報及び／又は第２の端末デバイスと第２の端末デバイスのＵＰＦとの間のアドレス情報であっても良い。このように、コアネットワーク制御プレーンエンティティは、第２の端末デバイスの情報に基づいて、直後のホップノードを順次決定し、第２の端末デバイスの情報をデータパケットにカプセル化し直後のホップノードに送信することができる。
【００８２】
なお、データパケットに第２の端末デバイスの情報が含まれるとともに、第１の端末デバイスの情報も含まれ、第１の端末デバイスの情報は、第１の端末デバイスの識別情報及び／又は第１の端末デバイスと第１の端末デバイスのＵＰＦとの間のアドレス情報であっても良い。このように、第２の端末デバイスは、該データパケットを受信した後、データパケットの第１の端末デバイスの情報に基づいて、データパケットの送信元が第１の端末デバイスであると決定することができる。
【００８３】
又は、第１の端末デバイスがコアネットワークに送信するデータパケットに第１の端末デバイスの情報が含めるが、第２の端末デバイスの情報が含まない。
【００８４】
第１の端末デバイスの情報が第１のセッション接続に対応する第１の端末デバイスとＵＰＦとの間のアドレス情報である場合、ネットワーク側が該アドレス情報に基づいて直後のホップノードを決定することができる。
【００８５】
第１の端末デバイスの情報が第１のセッション接続に対応する第１の端末デバイスの識別情報である場合、この時、第１の端末デバイスが同一の時刻に１つの端末デバイスと接続を確立する。任意選択で、ネットワークデバイスが第１の端末デバイスのために新しい接続を確立する場合、ネットワークデバイスに記録された第１の端末デバイスの前の接続状態を削除して、第１の端末デバイスが同一の時刻に１つの端末デバイスのみと通信する。
【００８６】
第１の端末デバイスがネットワークデバイスにデータパケットを送信する場合、データパケットに第１の端末デバイスの識別子が含まれても良い。現在確立された接続が第１の端末デバイスと第２の端末デバイスとの接続である場合、ネットワークデバイスは、該データパケットが第２の端末デバイスに送信されると決定することができる。ネットワークデバイスは、データパケットに第１のセッション接続のアドレス情報をカプセル化し、該データパケットを直後のホップノードに送信しても良く、又は、データパケットに第１のセッション接続の識別情報をカプセル化せず第１の端末デバイスの識別情報を保留しても良く、又は、データパケットに第１の端末デバイスの識別情報を保留し、第１のセッション接続の識別情報をカプセル化しても良い。
【００８７】
例えば、第１の端末デバイスが第１の端末デバイスの識別情報をデータパケットにカプセル化し、ネットワークデバイスがＡＭＦである場合、該ＡＭＦは、該第１の端末デバイスの識別情報に基づいて、端末デバイスにサービスするＳＭＦを決定し、該データパケットをＳＭＦを送信し、ＳＭＦは、該データパケットを受信した後、データパケットにおける第１の端末デバイスの識別情報に基づいて、該第１の端末デバイスのセッション接続に対応するＵＰＦを決定し、この時、該ＳＭＦに端末デバイスの識別情報とＵＰＦとの対応関係が記憶されており、次に、該データパケットを第１の端末デバイスのＵＰＦに送信し、第１の端末デバイスのＵＰＦと第２の端末デバイスのＵＰＦとが同じである場合、同じＵＰＦが第１の端末デバイスの識別情報に基づいて、ＵＰＦと第２の端末デバイスとの間のアドレス情報を検索し、該アドレス情報をデータパケットにカプセル化し、第２の端末デバイスに送信し、又は、該ＵＰＦが該第１の端末デバイスの識別情報に基づいて、第２の端末デバイスの識別情報を検索し、該第２の端末デバイスにサービスするＳＭＦを決定し、該第２の端末デバイスの識別情報をデータパケットにカプセル化し、また、該データパケットをＳＭＦに送信し、ＳＭＦは、該データパケットにおける第２の端末デバイスの識別情報に基づいてＡＭＦを決定し、さらに、ＡＭＦは、該データパケットを第２の端末デバイスに送信することができる。
【００８８】
以上の例において、第１の端末デバイスのＵＰＦと第２の端末デバイスのＵＰＦとが異なる場合、該第１の端末デバイスのＵＰＦは、第１の端末デバイスの識別情報に基づいて、第１のセッション接続に対応する、第１の端末デバイスのＵＰＦと第２の端末デバイスのＵＰＦとの間に属するアドレス情報を取得し、該アドレス情報をデータパケットにカプセル化し、該データパケットを第２の端末デバイスのＵＰＦに送信し、第２の端末デバイスのＵＰＦは、データパケットにカプセル化されたアドレス情報に基づいて、第１のセッション接続に対応する、第２の端末デバイスのＵＰＦと第２の端末デバイスとの間に属するアドレス情報を、データパケットにカプセル化し、第２の端末デバイスに送信することができる。該第１の端末デバイスのＵＰＦは、第１の端末デバイスの識別情報に基づいて、第２の端末デバイスのＵＰＦを決定し、該データパケットを介して第２の端末デバイスのＵＰＦに送信し、第２の端末デバイスのＵＰＦは、第２の端末デバイスとの間のアドレス情報を検索し、該アドレス情報をデータパケットにカプセル化し、第２の端末デバイスに送信しても良く、又は、該第１の端末デバイスの識別情報に基づいて、第２の端末デバイスの識別情報を検索し、該第２の端末デバイスにサービスするＳＭＦを決定し、該第２の端末デバイスの識別情報をデータパケットにカプセル化し、また、該データパケットをＳＭＦに送信し、ＳＭＦは、該データパケットにおける第２の端末デバイスの識別情報に基づいてＡＭＦを決定し、さらに、ＡＭＦは、該データパケットを第２の端末デバイスに送信することができる。
【００８９】
任意選択で、データパケットに第１のセッション接続識別子が含まれ、ネットワークデバイスは、該接続識別子に基づいてセッション接続の直後のホップノードを決定することができる。さらに、直後のホップとのアドレス情報を決定し、該アドレス情報をデータパケットにカプセル化し直後のホップノードに送信する。 
任意選択で、データパケットに第２の端末デバイスの識別子が含まれてもよく、ネットワークデバイスが第２の端末デバイスの識別子に基づいて、直後のホップノードを決定してもよい。さらに、直後のホップとの間の接続のアドレス情報を決定し、該アドレス情報が第２の端末デバイスに関連する。ネットワークデバイスは、データパケットに該アドレス情報をカプセル化し、カプセル化されたデータパケットを直後のホップノードに送信することができる。
【００９０】
上記の実施例から分かるように、第１の端末デバイスと第２の端末デバイスとが第１のセッション接続を確立した場合、第１の端末デバイスの情報及び／又は第２の端末デバイスの情報に基づいて、直後のホップノードを取得することができる。ここで、各ホップの間のカプセル化した情報は、同じであってもよいし、異なってもよく、例えば、各ホップが第２の端末デバイスの識別情報をカプセル化し、例えば、直前のホップが第１の端末デバイスの識別情報をカプセル化し、直後のホップが第２の端末デバイスの識別情報をカプセル化し、直後のホップがカプセル化する情報は、直前のホップがカプセル化する情報に基づいて決定される。
【００９１】
任意選択で、第１の端末デバイスとＵＰＦとの間に第２のセッション接続が存在し、第２の端末デバイスとＵＰＦとの間に第３のセッション接続が存在する。第１の端末デバイスのＵＰＦと第２の端末デバイスのＵＰＦとが同一のＵＰＦであり、第４のＵＰＦと表してもよい。
【００９２】
ネットワークデバイスが第４のＵＰＦである場合、第１の端末デバイスが第４のＵＰＦに送信するデータパケットには、第３のセッション接続のアドレス情報、及び／又は第２の端末デバイスの識別情報が含まれてもよい。
【００９３】
第４のＵＰＦは、該第３のセッション接続のアドレス情報、及び／又は第２の端末デバイスの識別情報に基づいて、ユーザプレーンを介して第２の端末デバイスに該データパケットを送信することができる。
【００９４】
具体的に、第４のＵＰＦは、第２の端末デバイスの識別情報に基づいて、第３のセッション接続のアドレス情報を決定し、データパケットに第３のセッション接続のアドレス情報をカプセル化し、ユーザプレーンを介して第２の端末デバイスに送信することができる。
【００９５】
第１の端末デバイスのＵＰＦと第２の端末デバイスのＵＰＦとは、異なるＵＰＦであってもよく、第１の端末デバイスのＵＰＦを第５のＵＰＦと表し、第２の端末デバイスのＵＰＦを第６のＵＰＦと表してもよい。
【００９６】
ネットワークデバイスが第５のＵＰＦである場合、第１の端末デバイスが第５のＵＰＦに送信するデータパケットには、第３のセッション接続のアドレス情報、及び／又は第２の端末デバイスの識別情報が含まれてもよい。第５のＵＰＦは、第３のセッション接続のアドレス情報、及び／又は第２の端末デバイスの識別情報に基づいて第６のＵＰＦを決定し、第６のＵＰＦを介して第２の端末デバイスにデータパケットを送信することができる。
【００９７】
ネットワークデバイスが第６のＵＰＦである場合、第６のＵＰＦが第１の端末デバイスにより送信されたデータパケットを受信し、該データパケットに第３のセッション接続のアドレス情報、及び／又は第２の端末デバイスの識別情報が含まれる。なお、第１の端末デバイスが第６のＵＰＦに送信するデータパケットは、第１の端末デバイスが第５のＵＰＦを介して第６のＵＰＦに送信するデータパケットであってもよい。
【００９８】
第６のＵＰＦは、第３のセッション接続のアドレス情報、及び／又は第２の端末デバイスの識別情報に基づいて、ユーザプレーンを介して第２の端末デバイスにデータパケットを送信することができる。
【００９９】
データパケットに第２の端末デバイスの識別情報が含まれる場合、第６のＵＰＦは、第２の端末デバイスの識別情報に基づいて、第３のセッション接続のアドレスを決定することができる。第６のＵＰＦは、第３のセッション接続識別子をデータパケットにカプセル化し第２の端末デバイスに送信することができる。
【０１００】
なお、第１の端末デバイスがデータパケットにカプセル化する第３のセッション接続識別子は、ネットワークデバイスにより第１の端末デバイスに構成されるものであってもよい。
【０１０１】
任意選択で、上記の第２のセッション接続及び第３のセッション接続が存在する場合、データパケットは、制御プレーンを介して第２の端末デバイスに送信されてもよい。
【０１０２】
第１の端末デバイスにより送信されたデータパケットには、第２のセッション接続の識別子、前記第３のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれてもよい。
【０１０３】
例えば、該データパケットには、第２のセッション接続の情報（例えば、識別子又はアドレス情報）又は第１の端末デバイスの識別子が含まれ、また、第３のセッション接続の情報（例えば、識別子又はアドレス情報）又は第２の端末デバイスの識別情報が含まれ、ネットワークデバイスは、第３のセッション接続の情報又は第２の端末デバイスの識別情報に基づいて直後のホップノードを決定し、第２のセッション接続の情報又は第１の端末デバイスの識別子は、第２の端末デバイスが第１の端末デバイスを識別し及び／又は第１の端末デバイスにデータパケットを送信するために、データパケットにカプセル化されてもよい。
【０１０４】
ネットワークデバイスは、該少なくとも１つの情報に基づいてデータパケットの直後のホップノードを決定することができる。ネットワークデバイスは、制御プレーンを介して、該データパケットを直後のホップノードに送信して、直後のホップノードは、データパケットを第２の端末デバイスに送信する。
【０１０５】
任意選択で、データパケットがルーティングして経由するネットワークノードは、順次に、第１の端末デバイスのＡＭＦ、第１の端末デバイスのＳＭＦ、第１の端末デバイスのＵＰＦ、第２の端末デバイスのＵＰＦ、第２の端末デバイス、又は、第１の端末デバイスのＡＭＦ、第１の端末デバイスのＳＭＦ、第１の端末デバイスのＵＰＦ、第２の端末デバイスのＵＰＦ、第２の端末デバイスのＳＭＦ、第２の端末デバイスのＡＭＦ、第２の端末デバイスである。ここで、アクセスネットワークデバイスは、パススルーの役割を果たすことができる。
【０１０６】
ここで、各ホップの間でカプセル化された情報は、同じであってもよいし、異なってもよく、例えば、第２のセッション接続に対して、各ホップが第２のセッション接続の識別情報をカプセル化し、又は、直前のホップが第２のセッション接続の識別情報をカプセル化し、直後のホップが第２のセッション接続のアドレス情報をカプセル化する。
【０１０７】
任意選択で、ネットワークデバイスがコアネットワーク制御プレーンエンティティであってもよく、該コアネットワーク制御プレーンエンティティが第１の端末デバイスにより送信されたデータパケットを受信し、該データパケットには第１の端末デバイスの識別情報又はアドレス情報（例えば、端末デバイスのＩＰアドレス又はＭＡＣアドレスである）が含まれてもよい。コアネットワーク制御プレーンエンティティは、該第１の端末デバイスの識別情報又はアドレス情報に基づいて、制御プレーンを介して第２の端末デバイスに該データパケットを送信することができる。
【０１０８】
具体的に、コアネットワーク制御プレーンエンティティは、第１の端末デバイスの識別情報又はアドレス情報に基づいて、第２の端末デバイスが接続状態にある場合、制御プレーンを介して第２の端末デバイスにデータパケットを送信することができる。
【０１０９】
第２の端末デバイスがアイドル状態にある場合、コアネットワーク制御プレーンエンティティが第２の端末デバイスにページングメッセージを送信して、該第２の端末デバイスがアイドル状態から接続状態に遷移する。
【０１１０】
任意選択で、該コアネットワーク制御プレーンエンティティがＳＭＦであってもよい。コアネットワーク制御プレーンエンティティが第２の端末デバイスにページングメッセージを送信することは、ＳＭＦがＡＭＦを介して第２の端末デバイスにページングメッセージを送信すると理解されてもよい。
【０１１１】
任意選択で、第２の端末デバイスがアイドル状態にある場合、コアネットワーク制御プレーンエンティティは、第２の端末デバイスの識別情報又はアドレス情報に基づいて、ページングメッセージを利用して制御プレーンを介して第２の端末デバイスにデータパケットを送信することができる。
【０１１２】
具体的に、コアネットワーク制御プレーンエンティティがブロードキャストで端末デバイスにデータパケットを送信してもよく、該データパケットに第２の端末デバイスの識別情報又はアドレス情報が含まれ、第２の端末デバイスは、該データパケットを受信した後、該データパケットに含まれる識別情報又はアドレス情報に基づいて、該データパケットが自分に送信されると決定することができる。
【０１１３】
また、該データパケットには、第１の端末デバイスの識別情報又はアドレス情報が含まれてもよく、このように、第２の端末デバイスは、該データパケットを受信した後、該データパケットの送信元が第１の端末デバイスであると決定することができる。
【０１１４】
図３は本願の実施例における他の無線通信方法を示し、図３の方法はステップ２１０を含む。図３の関連特徴の説明は、図２を参照し、重複を避けるために、ここではその説明を省略する。
【０１１５】
Ｓ２１０において、コアネットワーク制御プレーンエンティティが第１の端末デバイスに第２の端末デバイスとＵＰＦとの間のセッション接続のアドレス情報を送信し、該アドレス情報は、第１の端末デバイスと第２の端末デバイスとが３ＧＰＰネットワークにおいて通信するために使用される。
【０１１６】
本願の実施例に係る技術案は、第２の端末デバイスとＵＰＦとの間にセッション接続を確立した後、コアネットワーク制御プレーンエンティティが第２の端末デバイスとＵＰＦとの間のセッション接続のアドレス情報を第１の端末デバイスに送信し、このように、第１の端末デバイスと第２の端末デバイスとの以降の通信プロセスにおいて、該アドレス情報を直接利用して通信することで、通信プロセスを簡単化させることができる。
【０１１７】
第１の端末デバイスは、該アドレス情報を受信した後、第２の端末デバイスに送信するデータパケットに該アドレス情報をカプセル化してもよい。
【０１１８】
なお、コアネットワーク制御プレーンエンティティは、第１の端末デバイスに第１の端末デバイスとＵＰＦとの間のセッションアドレス情報を送信してもよい。
【０１１９】
そして、第１の端末デバイスは、第１の端末デバイスとＵＰＦとの間のセッションのアドレス情報に基づいて、ユーザプレーンを介して第１の端末デバイスのＵＰＦにデータパケットを送信することができる。
【０１２０】
同様、コアネットワーク制御プレーンエンティティが第２の端末デバイスに第１の端末デバイスとＵＰＦとの間のセッションのアドレス情報を送信してもよい。コアネットワーク制御プレーンエンティティは、第２の端末デバイスに第２の端末デバイスとＵＰＦとの間のセッションのアドレス情報を送信してもよい。
【０１２１】
第１の端末デバイスは、第１の端末デバイスとＵＰＦとの間の接続のアドレス情報をデータパケットにカプセル化し、該データパケットを第２の端末デバイスに送信することができる。第２の端末デバイスは、該データパケットを受信した後、該アドレス情報に基づいて該データパケットの送信元が第１の端末デバイスであると決定することができる。
【０１２２】
任意選択で、第１の端末デバイスのＵＰＦが第２の端末デバイスのＵＰＦと異なる場合、コアネットワーク制御プレーンエンティティは、さらに、該チャネル第１の端末デバイスと第２の端末デバイスとの間の通信のための第１の端末デバイスのＵＰＦと第２の端末デバイスのＵＰＦとの間のチャネルを確立することができる。
【０１２３】
任意選択で、該チャネルは、ＩＰチャネル又は汎用パケット無線サービストンネリングプロトコル（Ｇｅｎｅｒａｌ Ｐａｃｋｅｔ Ｒａｄｉｏ Ｓｅｒｖｉｃｅ Ｔｕｎｎｅｌｌｉｎｇ Ｐｒｏｔｏｃｏｌ、 ＧＴＰ−Ｕ）チャネルであってもよい。
【０１２４】
任意選択で、コアネットワーク制御プレーンエンティティは、第１の端末デバイスにより送信されたサービス要求メッセージを受信し、サービス要求メッセージに第２の端末デバイスの識別情報が含まれる。該識別情報は、第２の端末デバイスの一時識別子、永久識別子又はデバイス番号等であってもよい。
【０１２５】
コアネットワーク制御プレーンエンティティは、該サービス要求メッセージに応答し、第１の端末デバイスにサービス確認メッセージを送信してもよく、該サービス確認メッセージに第２の端末デバイスとＵＰＦとの間のセッションのアドレス情報が含まれる。
【０１２６】
任意選択で、コアネットワーク制御プレーンエンティティが第１の端末デバイスにより送信されたセッション確立要求メッセージを受信し、該セッション確立要求メッセージには第２の端末デバイスの識別情報が含まれる。コアネットワーク制御プレーンエンティティは、該セッション確立要求メッセージに応答し、第１の端末デバイスにセッション確立確定メッセージを送信し、該セッション確認メッセージに第２の端末デバイスとＵＰＦとの間のセッションのアドレス情報が含まれる。
【０１２７】
第２の端末デバイスとＵＰＦとの間にセッション接続が確立されない場合、コアネットワーク制御プレーンエンティティは、第２の端末デバイスのために第２の端末デバイスとＵＰＦとの間の接続を確立することができる。
【０１２８】
具体的に、コアネットワーク制御プレーンエンティティが第２の端末デバイスに要求メッセージを送信し、該要求メッセージが第２の端末デバイスがＵＰＦとの接続を確立するように指示し、該要求メッセージに第１の端末デバイスの識別情報が含まれてもよい。第２の端末デバイスが該要求メッセージを受信した後、ＵＰＦとの接続を確立し、該接続が第１の端末デバイスと第２の端末デバイスとの間の通信に使用される。第２の端末デバイスは、該要求メッセージに応答し、コアネットワーク制御プレーンエンティティに接続確立確認メッセージを送信する。
【０１２９】
任意選択で、第２の端末デバイスがアイドル状態にある場合、コアネットワーク制御プレーンエンティティが第２の端末デバイスのために第２の端末デバイスとＵＰＦとの間の接続を確立する前に、コアネットワーク制御プレーンエンティティが第２の端末デバイスをページングしてもよい。
【０１３０】
任意選択で、コアネットワーク制御プレーンエンティティが第１の端末デバイスのために第１の端末デバイスとＵＰＦとの間の接続を確立することができる。
【０１３１】
任意選択で、コアネットワーク制御プレーンエンティティは、第１の端末デバイスのために第１の端末デバイスとＵＰＦとの間の接続を確立する場合、第１の端末デバイスのためにＵＰＦを選択することができる。
【０１３２】
具体的に、コアネットワーク制御プレーンエンティティは、第２の端末デバイスのＵＰＦを第１の端末デバイスのＵＰＦとし、第１の端末デバイスのために第１の端末デバイスと第２の端末デバイスのＵＰＦとの間の接続を確立することができる。この時、第１の端末デバイスのＵＰＦと第２の端末デバイスのＵＰＦとが、同一のＵＰＦである。又は、コアネットワーク制御プレーンエンティティが第１の端末デバイスと第１の端末デバイスのＵＰＦとの間の接続を確立することができ、この時、第１の端末デバイスのＵＰＦと第２の端末デバイスのＵＰＦとが同一のＵＰＦではない。また、コアネットワーク制御プレーンエンティティは、さらに、第１の端末デバイスのＵＰＦと第２の端末デバイスのＵＰＦとの間の接続チャネルを確立することができる。
【０１３３】
任意選択で、コアネットワーク制御プレーンエンティティが第１の端末デバイスに第２の端末デバイスとＵＰＦとの間のセッションのアドレス情報を送信することは、第２の端末デバイスがＵＰＦとのセッション接続を確立した後、ネットワークデバイスが第１の端末デバイスに第２の端末デバイスとＵＰＦとの間のセッションのアドレス情報に送信するようにトリガーすることであってもよい。
【０１３４】
具体的に、ネットワークシステムにおいて、端末デバイスがＵＰＦとのセッション接続を確立すると、コアネットワーク制御プレーンエンティティが他の端末デバイスに該セッションのアドレス情報を送信して、他の端末デバイスと該端末デバイスとの間の通信に使用される。
【０１３５】
任意選択で、ネットワークデバイスは、第２の端末デバイスとＵＰＦとの間のセッションのアドレス情報をブロードキャストで第１の端末デバイスに送信してもよいし、又は、専用シグナリングで第１の端末デバイスに送信してもよい。
【０１３６】
この方式で第１の端末デバイスがネットワークデバイスに第２の端末デバイスとＵＰＦとの間の接続のアドレス情報を要求せず、ネットワークデバイスが第１の端末デバイスに該情報を能動に送信することで、通信プロセスの遅延を低減させることができる。
【０１３７】
任意選択で、端末デバイスとＵＰＦとの間のセッションのアドレス情報は、ＩＰアドレス、ＭＡＣアドレス又はトンネルエンドポイント識別子（ｔｕｎｎｅｌ ｅｎｄｐｏｉｎｔ ｉｄｅｎｔｉｔｙ、ＴＥＩＤ）であってもよい。
【０１３８】
図４は本願の実施例における無線通信方法の模式図である。図４の方法は、ステップ３１０を含む。
【０１３９】
Ｓ３１０において、ネットワークデバイスは、第１の端末デバイスのために第１の端末デバイスが３ＧＰＰネットワークにおいて第２の端末デバイスと通信するためにセッション接続を確立し、該セッション接続には第１の端末デバイスとＵＰＦとの間のセッション接続が含まれる。
【０１４０】
本願の実施例に係る技術案では、ネットワークデバイスは、第１の端末デバイスのために第２の端末デバイスとの通信に専用されるセッション接続を確立することができ、該セッション接続は、第１の端末デバイスと第２の端末デバイスとが３ＧＰＰネットワーク内部において通信するために使用され、通信遅延を低減させることができる。
【０１４１】
任意選択で、ネットワークデバイスが第１の端末デバイスのために確立する接続は、第２の端末デバイスとの通信に専用される接続であってもよい。
【０１４２】
具体的に、該ネットワークデバイスが第１の端末デバイスに第２の端末デバイスとの通信に専用されるアドレス情報を割り当て、該アドレス情報が第１の端末デバイスとＵＰＦとの間のセッション接続のアドレス情報である。
【０１４３】
例えば、第１の端末デバイスは、該専用されるアドレス情報をデータパケットにカプセル化し、ＵＰＦに送信してもよい。ＵＰＦは、該データパケットを受信した後、該アドレス情報に基づいて該データパケットが第２の端末デバイスに送信されると決定することができる。
【０１４４】
任意選択で、ネットワークデバイスが第１の端末デバイスにより送信されたセッション確立要求メッセージを受信し、該セッション確立要求メッセージに第２の端末デバイスの識別情報が含まれる。該ネットワークデバイスは、該セッション確立要求メッセージに応答し、第１の端末デバイスのために第１の端末デバイスと第２の端末デバイスとの通信のセッション接続を確立することができる。
【０１４５】
第２の端末デバイスとＵＰＦとの間のセッション接続は、共用されるセッション接続であってもよいし、第１の端末デバイスに専用されるものであってもよい。
【０１４６】
任意選択で、第２の端末デバイスがＵＰＦとの共通セッション接続を確立した時、ネットワークデバイスは、該共通セッション接続に基づいて、第１の端末デバイスのために第１の端末デバイスと第２の端末デバイスとの通信のセッション接続を確立することができる。
【０１４７】
第２の端末デバイスとＵＰＦとの間のセッション接続が共通セッション接続に属する場合、ネットワークデバイスは、第１の端末デバイスのＵＰＦにおいて、第１の端末デバイスと第２の端末デバイスとの通信のセッション接続のアドレス情報と、該共通セッション接続のアドレス情報との関連関係を作成することができる。
【０１４８】
該共通セッション接続は、第２の端末デバイスが該共通セッション接続を介して各端末デバイスと通信することができる。
【０１４９】
第２の端末デバイスとＵＰＦとの間のセッション接続が第１の端末デバイスに専用される場合、第２の端末デバイスが第１の端末デバイスにデータパケットを送信する時に、第２の端末デバイスとＵＰＦとの間のセッションのアドレス情報を該データパケットにカプセル化することができる。このように、第１の端末デバイスは、該データパケットを受信した後、第２の端末デバイスとＵＰＦとの間のセッションのアドレス情報に基づいて、該データパケットの送信元が第２の端末デバイスであると決定する。
【０１５０】
任意選択で、第２の端末デバイスがアイドル状態にある場合、該ネットワークデバイスが第２の端末デバイスをページングして、第２の端末デバイスがセッション接続確立要求を送信するようにトリガーする。
【０１５１】
該ネットワークデバイスがＳＭＦであってもよく、ＳＭＦが第２の端末デバイスをページングすることは、ＳＭＦがＡＭＦを介して第２の端末デバイスをページングすることであってもよい。
【０１５２】
任意選択で、ネットワークデバイスは、第１の端末デバイスのために第１の端末デバイスが３ＧＰＰネットワークにおいて第２の端末デバイスと通信するためのセッション接続を確立する時に、第１の端末デバイスのために第２の端末デバイスと同じであるＵＰＦを選択し、第１の端末デバイスと該ＵＰＦとの間のセッション接続を確立することができる。
【０１５３】
第１の端末デバイスのＵＰＦが第２の端末デバイスのＵＰＦと異なる場合、該ネットワークデバイスは、さらに、第１の端末デバイスのＵＰＦと第２の端末デバイスのＵＰＦとの間の接続を確立することができる。
【０１５４】
図５は本願の実施例における他の無線通信方法の模式図である、図５の方法は、ステップ４１０を含む。
【０１５５】
Ｓ４１０において、第１の端末デバイスが第２の端末デバイスにデータパケットを送信し、該データパケットには、第２の端末デバイスとＵＰＦとの間のセッション接続のアドレス情報、又は、第１の端末デバイスとＵＰＦとの間のセッション接続のアドレス情報が含まれ、該第１の端末デバイスとＵＰＦとの間のセッション接続は、第１の端末デバイスが３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０１５６】
第１の端末デバイスとＵＰＦとの間のセッション接続が第１の端末デバイスが３ＧＰＰネットワークにおいて第２の端末デバイスと通信するために専用されることは、ＵＰＦが該専用されるアドレス情報に基づいて該データパケットが第２の端末デバイスに送信されると決定することができる。
【０１５７】
本願の実施例に係る技術案では、第１の端末デバイスが第２の端末デバイスとが３ＧＰＰネットワーク内部において通信することができ、外部サーバーを介して解析やカプセル化等のプロセスが必要ではなく、遅延を低減させることができる。また、第１の端末デバイスとＵＰＦとの間のセッション接続のアドレス情報が第１の端末デバイスと第２の端末デバイスとの３ＧＰＰネットワーク内の通信に専用されるため、ネットワークデバイスは、データパケットに他の情報をカプセル化せず、該アドレス情報に基づいてデータパケットを第２の端末デバイスに直接にルーティングすることで、通信プロセスを簡単化させることができる。
【０１５８】
任意選択で、第１の端末デバイスが第２の端末デバイスにデータパケットを送信する前に、第１の端末デバイスは、ネットワークデバイスにより送信された第２の端末デバイスとＵＰＦとの間のセッション接続のアドレス情報、又は第１の端末デバイスとＵＰＦとの間のセッション接続のアドレス情報を受信することができる。
【０１５９】
第１の端末デバイスは、第２の端末デバイスとＵＰＦとの間のセッション接続のアドレス情報をデータパケットにカプセル化し、データパケットを第２の端末デバイスに送信することができる。このように、データパケットがルーティングするネットワークノードは、第２の端末デバイスとＵＰＦとの間のセッション接続のアドレス情報に基づいて、データパケットの受信先が第２の端末デバイスであると決定し、データパケットを第２の端末デバイスに送信することができる。
【０１６０】
第１の端末デバイスは、第１の端末デバイスとＵＰＦとの間のセッション接続のアドレス情報をデータパケットにカプセル化し、該データパケットを第２の端末デバイスに送信することができる。第１の端末デバイスとＵＰＦとの間のセッション接続のアドレス情報が第２の端末デバイスに専用されるため、データパケットがルーティングするネットワークノードは、第１の端末デバイスとＵＰＦとの間のセッション接続のアドレス情報に基づいて、データパケットの受信先が第２の端末デバイスであると決定し、該データパケットを第２の端末デバイスに送信することができる。
【０１６１】
任意選択で、第２の端末デバイスとＵＰＦとの間のセッション接続のアドレス情報は、ブロードキャスト情報又は専用シグナリングに搬送される。
【０１６２】
例えば、第１の端末デバイスは、ブロードキャスト情報の到着によってネットワークデバイスにより送信された第２の端末デバイスとＵＰＦとの間のセッション接続のアドレス情報を受信し、又は、専用シグナリングでネットワークデバイスにより送信された第２の端末デバイスとＵＰＦとの間のセッション接続のアドレス情報を受信する。該専用シグナリングは、例えば、ＲＲＣシグナリング等である。
【０１６３】
図６は本願の実施例におけるＵＥ ＡとＵＥ Ｂとの間のセッション接続の確立方法の模式図である。
【０１６４】
ステップ５１０において、ＵＥ ＡがＳＭＦに要求メッセージを送信し、該要求メッセージにＵＥ Ｂの識別情報が含まれ、ＵＥ ＡとＵＥ Ｂとの間の接続を確立するために使用される。該要求メッセージは、セッション確立要求メッセージ、又は、サービス要求メッセージであってもよい。
【０１６５】
ステップ５２０において、ＳＭＦが要求メッセージを受信した後、ＵＥ ＢがＵＰＦ Ｂとのセッション接続を確立するかどうかを判断する。
【０１６６】
ＵＥ ＢとＵＰＦ Ｂにセッション接続があり、ＵＥ Ｂが接続状態にある場合、ステップ５９０に移行する。
【０１６７】
ＵＥ ＢとＵＰＦ Ｂにセッション接続があり、ＵＥ Ｂがアイドル状態にある場合、
ＵＥ ＢとＵＰＦ Ｂにセッション接続がない場合、ステップ５３０に移行する。
【０１６８】
ステップ５３０において、ＳＭＦがＡＭＦにＵＥ Ｂをページングするように要求する。
【０１６９】
ステップ５４０において、ＡＭＦがＵＥ Ｂをページングする。
【０１７０】
ステップ５５０において、ＡＭＦがＵＥ Ｂをページングした場合、ＳＭＦにページング応答メッセージを送信する。
【０１７１】
ＵＥ Ｂがアイドル状態から接続状態に遷移し、ＵＥ ＢとＵＰＦ Ｂにセッション接続がある場合、ステップ５９０に移行する。
【０１７２】
ＵＥ Ｂがアイドル状態から接続状態に遷移し、ＵＥ ＢとＵＰＦ Ｂにセッション接続がない場合、ステップ５６０を実行する。
【０１７３】
ステップ５６０において、ＳＭＦがＵＥ Ｂにセッション接続確立の要求メッセージを送信し、要求メッセージにＵＥ Ａの識別情報が含まれる。
【０１７４】
ステップ５７０において、ＵＥ ＢがＰＤＵとのセッション接続を確立し、セッション接続確立の要求メッセージに応答する。
【０１７５】
ステップ５８０において、ＳＭＦがＵＰＦ ＡとＵＰＦ Ｂとの間のチャネルを確立する。該チャネルは、ＵＥ Ａ及びＵＥ Ｂのそれぞれのセッション接続に接続される。
【０１７６】
ステップ５９０において、ＳＭＦがＵＥ Ａに確認メッセージを送信し、該確認メッセージにＵＥ Ｂのアドレス情報が含まれる。
【０１７７】
図６に示す技術案では、ネットワークデバイスが第１の端末デバイスのために第２の端末デバイスとのセッション接続を確立することができ、ＵＥ ＡとＵＰＦ Ａとの間の接続、ＵＥ ＢとＵＰＦ Ｂとの間の接続及びＵＰＦ ＡとＵＰＦ Ｂとの間の接続を含み、該セッション接続は、第１の端末デバイスと第２の端末デバイスとが３ＧＰＰネットワーク内部において通信するために使用され、伝送遅延を低減させることができる。
【０１７８】
図７は本願の実施例における無線通信方法の模式図である。
【０１７９】
図７に示す方法は、ＵＥ Ａがユーザプレーンを介してＵＥ Ｂにデータパケットを送信するプロセスであり、また、ＵＥ ＡとＵＰＦ ＡとがＵＥ Ｂとの通信に専用される接続を確立し、ＵＥ ＢとＵＰＦ ＢとがＵＥ Ａと通信するために専用される接続を確立し、ＵＰＦ ＡとＵＰＦ ＢとがＵＥ ＡとＵＥ Ｂと通信するために専用される接続を確立する。
【０１８０】
ＵＥ ＡとＵＥ Ｂとの間の接続が第１のセッション接続であり、第１のセッション接続は、ＵＥ ＡとＵＰＦ Ａとの間のセッションのアドレス情報、ＵＰＦ ＡとＵＰＦ Ｂとの間の接続のアドレス情報、ＵＥ ＢとＵＰＦ Ｂとの間のセッションのアドレス情報を含む。
【０１８１】
ここで、第１のセッション接続に含まれるアドレス情報が互いに関連してもよく、例えば、あるアドレス情報に基づいて他の２つのアドレス情報を一意に決定することができる。
【０１８２】
任意選択で、第１のセッション接続に第１のセッション接続の識別情報が含まれ、該識別情報に基づいて上記の３つのアドレス情報を一意に決定することができる。
【０１８３】
以下、データパケットにはＵＥ ＡとＵＰＦ Ａとの間のセッションアドレス情報が含まれることを例として説明する。
【０１８４】
ステップ６１０において、ＵＥ ＡがＵＰＦ Ａにデータパケットを送信し、該データパケットにはＵＥ ＡとＵＰＦ Ａとの間のセッションのアドレス情報が含まれる。
【０１８５】
ステップ６２０において、ＵＰＦ Ａが該データパケットを受信した後、ＵＥ ＡとＵＰＦ Ａとの間のセッションのアドレス情報に基づいて、ＵＰＦ ＡとＵＰＦ Ｂとの間の接続のアドレス情報を決定することができる。ＵＰＦ Ａは、ＵＰＦ ＡとＵＰＦ Ｂとの間の接続のアドレス情報をデータパケットにカプセル化し、該データパケットをＵＰＦ Ｂに送信することができる。
【０１８６】
ステップ６３０において、ＵＰＦ Ｂは、データパケットを受信した後、データパケットに含まれるＵＰＦ ＡとＵＰＦ Ｂとの間の接続のアドレス情報に基づいて、ＵＰＦ ＢとＵＥ Ｂとの間のセッションのアドレス情報を決定することができる。ＵＰＦ Ｂは、ＵＰＦ ＢとＵＥ Ｂとの間のセッションのアドレス情報をデータパケットにカプセル化し、ＵＥ Ｂに送信することができる。
【０１８７】
図８は本願の実施例における他の無線通信方法の模式図である。図８に示す方法は、ＵＥ Ａが制御プレーンを介してＵＥ Ｂにデータパケットを送信するプロセスである。
【０１８８】
図８において隣接するノードの間のアドレス情報が互いに関連され、ＵＥ ＡとＵＥ Ｂとが専用される第１のセッション接続を確立する。
【０１８９】
ステップ７１０において、ＵＥ Ａは、送信されるデータパケットを制御プレーンデータパケットとしてカプセル化し、該データパケットをＡＭＦに送信する。該データパケットには、第１のセッション接続識別子、第１のセッション接続のアドレス情報、ＵＥ Ａの識別情報、ＵＥ Ｂの識別情報のうちの少なくとも１つが含まれる。
【０１９０】
ここで、制御プレーンデータパケットは、ＮＡＳ（ｎｅｔｗｏｒｋ ａｔｔａｃｈｅｄ ｓｔｏｒａｇｅ）ＰＤＵであってもよい。
【０１９１】
第１のセッション接続のアドレス情報には、ＵＥ ＡとＳＭＦとの接続のアドレス情報、ＳＭＦとＵＰＦ Ａとの接続のアドレス情報、ＵＰＦ ＡとＵＰＦ Ｂとの接続のアドレス情報、ＵＰＦ ＢとＵＥ Ａとの接続のアドレス情報が含まれる。
【０１９２】
第１のセッション接続に含まれる各アドレス情報が互いに関連され、あるアドレス情報に基づいて他のアドレス情報を一意に決定することができる。
【０１９３】
ステップ７２０において、ＡＭＦは、該データパケットを受信した後、該データパケットをカプセル化解除し、データパケットに含まれる少なくとも１つの情報に基づいて、直後のホップノードがＵＰＦ Ａであると決定する。ＡＭＦは、データパケットをカプセル化しＵＰＦ Ａに送信し、データパケットにＵＥ Ａ、ＵＥ Ｂの識別情報が含まれる。
【０１９４】
ステップ７３０において、ＵＰＦ Ａは、該データパケットを受信した後、該データパケットをカプセル化解除し、該少なくとも１つの情報に基づいて、直後のホップノードがＵＰＦ Ｂであると決定する。ＵＰＦ Ａは、データパケットをカプセル化しデータパケットをＵＰＦ Ｂに送信し、データパケットにＵＥ Ａ、ＵＥ Ｂの識別情報が含まれる。
【０１９５】
ステップ７４０において、ＵＰＦ Ｂは、該データパケットを受信した後、該データパケットをカプセル化解除し、該少なくとも１つの情報に基づいて、直後のホップノードがＵＥ Ｂであると決定する。ＵＰＦ Ｂは、データパケットをカプセル化しＵＥ Ｂに送信し、データパケットにＵＥ Ａ、ＵＥ Ｂの識別情報が含まれる。
【０１９６】
ＵＥ Ｂは、該データパケットを受信した後、該少なくとも１つの情報に基づいてデータパケットの送信元がＵＥ Ａであると決定する。
【０１９７】
ＵＥ ＢがＵＥ Ａにデータパケットを送信する場合、図８に示すルーティングでＵＥ Ａに送信してもよい。
【０１９８】
図９に示す方法において、ＵＰＦ ＡとＵＰＦ Ｂとが同一のＵＰＦであってもよい。ＡＭＦがデータパケットを該のＵＰＦに送信し、該ＵＰＦからＵＥ Ｂに送信してもよい。
【０１９９】
図９は本願の実施例における他の無線通信方法の模式図である。
【０２００】
図９に示す方法は、ネットワークデバイスの直接ルーティングでＵＥ ＡからのデータパケットをＵＥ Ｂにルーティングする。
【０２０１】
任意選択で、該ネットワークデバイスがＡＭＦであってもよい。
【０２０２】
ステップ８１０において、ＵＥ ＡがＡＭＦにデータパケットを送信し、該データパケットには、ＵＥ Ａのアドレス又は識別子、及びＵＥ Ｂのアドレス又は識別子が含まれる。
【０２０３】
該データパケットが制御プレーンデータパケットであり、例えば、該データパケットがＮＡＳ ＰＤＵである。
【０２０４】
ステップ８２０において、ＡＭＦは、該データパケットを受信した後、該データパケットをカプセル化解除し、ＵＥ Ｂのアドレス又は識別子情報を取得し、次に、ＵＥ Ｂのアドレス又は識別子情報に基づいてＵＥ Ｂのアクセスネットワークを選択する。
【０２０５】
ＡＭＦは、データパケットをカプセル化し、カプセル化されたデータパケットをＵＥ Ｂのアクセスネットワークに送信する。ここで、カプセル化されたデータパケットにＵＥ Ａのアドレス又は識別子、ＵＥ Ｂのアドレス又は識別子が含まれる。
【０２０６】
ステップ８３０において、ＵＥ Ｂのアクセスネットワークは、該データパケットを受信した後、データパケットにおけるＵＥ Ｂのアドレス又は識別子に基づいて、直後のホップノードがＵＥ Ｂであると決定し、データパケットをＵＥ Ｂに送信する。
【０２０７】
ＵＥ Ｂは、データパケットを受信した後、データパケットをカプセル化解除してＵＥ Ａのアドレス又は識別子を取得し、データパケットの送信元がＵＥ Ａであると決定する。ＵＥ Ｂは、ＵＥ Ａのアドレス又は識別子に基づいてＵＥ Ａにデータパケットを送信することができる。
【０２０８】
任意選択で、ＡＭＦがブロードキャストでＵＥ Ｂにデータパケットを送信する場合、専用シグナリングでＵＥ Ｂにデータパケットを送信してもよい。
【０２０９】
ＵＥ Ｂがアイドル状態にある場合、ＡＭＦがブロードキャストでＵＥ Ｂにデータパケットを送信する。ＵＥ Ｂがデータパケットを受信した後、データパケットに含まれるＵＥ Ｂのアドレス又は識別子に基づいて、該データパケットが自分に送信されると決定する。
【０２１０】
ＵＥ Ｂがアイドル状態にある場合、ＡＭＦがＵＥ Ｂをページングして、ＵＥ Ｂがアイドル状態から接続状態に遷移する。この時、ＡＭＦが専用シグナリングでＵＥ Ｂにデータパケットを送信することができる。
【０２１１】
勿論、ＵＥ Ｂが接続状態かアイドル状態かにあるに関わらず、ＡＭＦは、ブロードキャストでＵＥ Ｂにデータパケットを送信することができる。
【０２１２】
以上、図１〜図８を参照して無線通信方法を説明したが、以下、図１０〜図１６を参照して本願の実施例に係る装置を説明し、方法の実施例に記載の技術的特徴は以下の装置の実施例に適用される。
【０２１３】
図１０は本願の実施例におけるネットワークデバイス９００のブロック図である。図１０に示すように、該ネットワークデバイス９００は、通信ユニット９１０を含み、通信ユニット９１０は、第１の端末デバイスから第３世代パートナーシッププロジェクト３ＧＰＰネットワークにおける制御プレーンまたはユーザプレーンを介して伝送されたデータパケットを受信し、３ＧＰＰネットワークにおける制御プレーンまたはユーザプレーンを介して第２の端末デバイスに前記データパケットを送信するように構成される。
【０２１４】
任意選択で、前記第１の端末デバイスと前記第２の端末デバイスとの間に第１のセッション接続が存在し、前記第１のセッション接続が前記第１の端末デバイスと前記第２の端末デバイスとの間の通信に使用され、前記データパケットは、前記第１のセッション接続を利用してユーザプレーンを介して前記ネットワークデバイス８００に送信され、前記通信ユニット９１０は、さらに、第１のセッション接続を利用して前記３ＧＰＰネットワークにおけるユーザプレーンを介して前記第２の端末デバイスに前記データパケットを送信するように構成される。
【０２１５】
任意選択で、前記第１の端末デバイスのユーザプレーン機能ＵＰＦと前記第２の端末デバイスのＵＰＦとが同一の第１のＵＰＦであり、前記ネットワークデバイス９００が前記第１のＵＰＦである。
【０２１６】
任意選択で、前記ネットワークデバイス９００が受信するデータパケットには、前記第１のセッション接続において第１の端末デバイスと第１のＵＰＦとの間の接続の第１のアドレス情報が含まれ、ネットワークデバイス９００が処理ユニットをさらに含み、処理ユニットは、第１のアドレス情報に基づいて第２のアドレス情報を決定し、第２のアドレス情報は、第１のセッション接続において第２の端末デバイスと第１のＵＰＦとの間の接続の第２のアドレス情報であり、通信ユニット９１０は、さらに、前記データパケットに前記第２のアドレス情報をカプセル化し、前記第２の端末デバイスに前記データパケットを送信するように構成される。
【０２１７】
任意選択で、前記第１の端末デバイスのＵＰＦが第２のＵＰＦであり、前記第２の端末デバイスのＵＰＦが前記第２のＵＰＦではない第３のＵＰＦであり、前記ネットワークデバイス９００が前記第２のＵＰＦである。
【０２１８】
任意選択で、ネットワークデバイス９００が受信するデータパケットには、第１のセッション接続において第１の端末デバイスと第２のＵＰＦとの間の第３のアドレス情報が含まれ、処理ユニットは、さらに、前記第３のアドレス情報に基づいて第４のアドレス情報を決定するように構成され、前記第４のアドレス情報は、前記第１のセッション接続において前記第２のＵＰＦと前記第３のＵＰＦとの間の接続の第４のアドレス情報であり、通信ユニット９１０は、さらに、データパケットに前記第４のアドレス情報をカプセル化し、前記第３のＵＰＦを介して前記第２の端末デバイスに前記データパケットを送信するように構成される。
【０２１９】
任意選択で、前記第１の端末デバイスのＵＰＦが第２のＵＰＦであり、前記第２の端末デバイスのＵＰＦが前記第２のＵＰＦではない第３のＵＰＦであり、前記ネットワークデバイス９００が前記第３のＵＰＦである。
【０２２０】
任意選択で、前記ネットワークデバイス９００が受信する前記データパケットには、前記第１のセッション接続において前記第２のＵＰＦと前記第３のＵＰＦとの間の第４のアドレス情報が含まれ、前記処理ユニットは、さらに、前記第４のアドレス情報に基づいて第５のアドレス情報を決定するように構成され、前記第５のアドレス情報が前記第１のセッション接続において第３のＵＰＦと前記第２の端末デバイスとの間の接続のアドレス情報であり、前記通信ユニット９１０は、さらに、データパケットに前記第５のアドレス情報をカプセル化し、前記第２の端末デバイスに前記データパケットを送信するように構成される。
【０２２１】
任意選択で、前記ネットワークデバイス９００がコアネットワークエンティティであり、前記データパケットには、前記第１のセッション接続の識別子、前記第１のセッション接続のアドレス情報、前記第１の端末デバイスの識別情報及び前記第２の端末デバイスの識別情報のうちの少なくとも１つの情報が含まれ、前記データパケットが制御プレーンを介して前記ネットワークデバイス９００に伝送され、前記処理ユニットは、さらに、前記少なくとも１つの情報に基づいて前記データパケットの直後のホップノードを決定するように構成され、前記通信ユニット９１０は、さらに、制御プレーンを介して前記データパケットを前記直後のホップノードに送信して、前記直後のホップノードが前記データパケットを前記第２の端末デバイスに送信する。
【０２２２】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦと前記第２の端末デバイスのＵＰＦとが同一の第４のＵＰＦであり、前記ネットワークデバイス９００が前記第４のＵＰＦである。
【０２２３】
任意選択で、前記データパケットには前記第３のセッション接続のアドレス情報及び／又は前記第２の端末デバイスの識別情報が含まれ、前記通信ユニット９１０は、さらに、前記第３のセッション接続のアドレス情報、及び／又は前記第２の端末デバイスの識別情報に基づいて、ユーザプレーンを介して前記第２の端末デバイスに前記データパケットを送信するように構成される。
【０２２４】
任意選択で、前記処理ユニットは、さらに、前記第２の端末デバイスの識別情報に基づいて前記第３のセッション接続のアドレス情報を決定するように構成され、前記通信ユニット９１０は、さらに、前記ネットワークデバイス９００が前記データパケットに前記第３のセッション接続のアドレス情報をカプセル化し、前記第２の端末デバイスに前記データパケットを送信するように構成される。
【０２２５】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイス９００が前記第５のＵＰＦである。
【０２２６】
任意選択で、前記データパケットには前記第３のセッション接続のアドレス情報及び／又は前記第２の端末デバイスの識別情報が含まれ、前記処理ユニットは、さらに、前記第３のセッション接続のアドレス情報、及び／又は前記第２の端末デバイスの識別情報に基づいて第６のＵＰＦを決定するように構成され、前記通信ユニット９１０は、さらに、前記第６のＵＰＦを介して前記第２の端末デバイスに前記データパケットを送信するように構成される。
【０２２７】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイス９００が前記第６のＵＰＦである。
【０２２８】
任意選択で、前記データパケットには前記第３のセッション接続のアドレス情報又は前記第２の端末デバイスの識別情報が含まれ、前記通信ユニット９１０は、さらに、前記第３のセッション接続のアドレス情報又は前記第２の端末デバイスの識別情報に基づいて、ユーザプレーンを介して前記第２の端末デバイスに前記データパケットを送信するように構成される。
【０２２９】
任意選択で、処理ユニットは、さらに、第２の端末デバイスの識別情報に基づいて第３のセッション接続のアドレス情報を決定するように構成され、通信ユニット９１０は、さらに、データパケットに第３のセッション接続のアドレス情報をカプセル化し、第２の端末デバイスに該データパケットを送信するように構成される。
【０２３０】
任意選択で、第１の端末デバイスとＵＰＦとの間に第２のセッション接続が存在し、第２の端末デバイスとＵＰＦとの間に第３のセッション接続が存在し、データパケットには、前記第２のセッション接続の識別子、前記第３のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれ、前記データパケットが制御プレーンを介して前記ネットワークデバイス９００に伝送され、前記処理ユニットは、さらに、前記少なくとも１つの情報に基づいて前記データパケットの直後のホップノードを決定するように構成され、前記通信ユニット９１０は、さらに、制御プレーンを介して前記データパケットを前記直後のホップノードに送信して、前記直後のホップノードが前記データパケットを前記第２の端末デバイスに送信する。
【０２３１】
任意選択で、前記ネットワークデバイス９００がコアネットワーク制御プレーンエンティティであり、前記ネットワークデバイス９００が受信するデータパケットには第２の端末デバイスの識別情報又はアドレス情報が含まれ、前記通信ユニット９１０は、さらに、前記第２の端末デバイスの識別情報又はアドレス情報に基づいて、制御プレーンを介して前記第２の端末デバイスに前記データパケットを送信するように構成される。
【０２３２】
任意選択で、前記通信ユニット９１０は、さらに、前記第２の端末デバイスの識別情報又はアドレス情報に基づいて、前記第２の端末デバイスが接続状態にある場合、制御プレーンを介して前記第２の端末デバイスに前記データパケットを送信するように構成される。
【０２３３】
任意選択で、前記通信ユニット９１０は、さらに、前記第２の端末デバイスがアイドル状態にある場合、前記第２の端末デバイスにページングメッセージを送信して、前記第２の端末デバイスがアイドル状態から接続状態に遷移する。
【０２３４】
任意選択で、前記通信ユニット９１０は、さらに、前記第２の端末デバイスがアイドル状態にある場合、前記第２の端末デバイスの識別情報又はアドレス情報に基づいて、ページングメッセージで制御プレーンを介して前記第２の端末デバイスに前記データパケットを送信するように構成される。
【０２３５】
なお、該ネットワークデバイス９００は、図２に示すネットワークデバイスに対応してもよく、図２に示すネットワークデバイスにより実現される対応する動作を実現してもよく、簡潔にするために、ここでその説明を省略する。
【０２３６】
図１１は本願の実施例におけるコアネットワーク制御プレーンエンティティ１０００のブロック図である。該コアネットワーク制御プレーンエンティティ１０００は、通信ユニット１０１０を含む。
【０２３７】
ここで、通信ユニット１０１０は、第１の端末デバイスに第２の端末デバイスとＵＰＦとの間のセッション接続のアドレス情報を送信するように構成され、前記アドレス情報は、第１の端末デバイスと第２の端末デバイスとが３ＧＰＰネットワークにおいて通信するために使用される。
【０２３８】
任意選択で、前記通信ユニット１０１０は、さらに、前記第２の端末デバイスに前記第１の端末デバイスとＵＰＦとの間のセッションのアドレス情報を送信するように構成される。
【０２３９】
任意選択で、該コアネットワーク制御プレーンエンティティ１０００が処理ユニットをさらに含み、処理ユニットは、前記第１の端末デバイスのＵＰＦが前記第２の端末デバイスのＵＰＦと異なる場合、第１の端末デバイスと第２の端末デバイスとの間の通信のための前記第１の端末デバイスのＵＰＦと前記第２の端末デバイスのＵＰＦとの間のチャネルを確立するように構成される。
【０２４０】
任意選択で、前記チャネルは、ＩＰチャネル又は汎用パケット無線サービストンネリングプロトコルＧＴＰ−Ｕチャネルである。
【０２４１】
任意選択で、前記通信ユニット１０１０は、さらに、前記第１の端末デバイスにより送信されたサービス要求メッセージを受信し、前記サービス要求メッセージに前記第２の端末デバイスの識別情報が含まれ、前記サービス要求メッセージに応答し、サービス確認メッセージで第１の端末デバイスに第２の端末デバイスとＵＰＦとの間のセッションのアドレス情報を送信するように構成される。
【０２４２】
任意選択で、前記通信ユニット１０１０は、さらに、前記第１の端末デバイスにより送信されたセッション確立要求メッセージを受信し、前記セッション確立要求メッセージに前記第２の端末デバイスの識別情報が含まれ、前記セッション確立要求メッセージに応答し、セッション確立確認メッセージで第１の端末デバイスに第２の端末デバイスとＵＰＦとの間のセッションのアドレス情報を送信するように構成される。
【０２４３】
任意選択で、該コアネットワーク制御プレーンエンティティ１０００が処理ユニットをさらに含み、処理ユニットは、前記第２の端末デバイスがＵＰＦとのセッションを確立しない場合、前記第２の端末デバイスのために前記第２の端末デバイスとＵＰＦとの間の接続を確立するように構成される。
【０２４４】
任意選択で、前記通信ユニット１０１０は、さらに、前記第２の端末デバイスをページングするように構成される。
【０２４５】
任意選択で、該コアネットワーク制御プレーンエンティティ１０００が処理ユニットをさらに含み、処理ユニットは、前記第１の端末デバイスのために前記第１の端末デバイスと前記ＵＰＦとの間の接続を確立するように構成される。
【０２４６】
任意選択で、前記処理ユニットが前記第１の端末デバイスと前記ＵＰＦとの間の接続を確立する時に、前記第１の端末デバイスのために選定されたＵＰＦが前記第２の端末デバイスのＵＰＦと同じである。
【０２４７】
任意選択で、前記通信ユニット１０１０は、さらに、前記第２の端末デバイスとＵＰＦとのセッションを確立した後、第１の端末デバイスに第２の端末デバイスとＵＰＦとの間のセッションのアドレス情報を送信するように構成される。
【０２４８】
任意選択で、前記アドレス情報は、ブロードキャストメッセージ又は専用シグナリングに搬送される。
【０２４９】
任意選択で、前記アドレス情報は、ＩＰアドレス、媒体アクセス制御ＭＡＣアドレス又はトンネルエンドポイント識別子ＴＥＩＤである。
【０２５０】
なお、該コアネットワーク制御プレーンエンティティ１０００は、図３に示すコアネットワーク制御プレーンエンティティに対応し、該図３に示すコアネットワーク制御プレーンエンティティの対応する操作を実現し、簡潔にするために、ここでその説明を省略する。
【０２５１】
図１２は本願の実施例におけるネットワークデバイス１１００のブロック図である。該ネットワークデバイス１１００が処理ユニット１１１０を含み、処理ユニット１１１０は、第１の端末デバイスのために、第１の端末デバイスが第３世代パートナーシッププロジェクト３ＧＰＰネットワークにおいて前記第２の端末デバイスと通信するためのセッション接続を確立するように構成され、前記セッション接続が前記第１の端末デバイスとユーザプレーン機能ＵＰＦとの間のセッション接続を含む。
【０２５２】
任意選択で、前記処理ユニット１１１０は、さらに、前記第１の端末デバイスのために前記第２の端末デバイスと通信するためのアドレス情報を割り当て、前記アドレス情報が前記第１の端末デバイスとＵＰＦとの間のセッション接続のアドレス情報である。
【０２５３】
任意選択で、ネットワークデバイス１１００が通信ユニットをさらに含み、通信ユニットは、前記第１の端末デバイスにより送信されたセッション確立要求を受信し、前記セッション確立要求に前記第２の端末デバイスの識別情報が含まれ、前記処理ユニット１１１０は、さらに、前記セッション確立要求に応答し、第１の端末デバイスのために前記第１の端末デバイスが前記第２の端末デバイスと通信するセッション接続を確立するように構成される。
【０２５４】
任意選択で、前記処理ユニット１１１０は、さらに、第２の端末デバイスがＵＰＦとの共通セッション接続を確立した場合、共通セッション接続に基づいて、第１の端末デバイスのために前記第１の端末デバイスが前記第２の端末デバイスと通信するセッション接続を確立するように構成される。
【０２５５】
任意選択で、前記処理ユニット１１１０は、さらに、第１の端末デバイスのＵＰＦにおいて、第１の端末デバイスと前記第２の端末デバイス通信とのセッション接続のアドレス情報と、前記共通セッション接続のアドレス情報との関連関係を確立するように構成される。
【０２５６】
任意選択で、前記処理ユニット１１１０は、さらに、第２の端末デバイスのために第２のセッション接続を確立し、第２のセッション接続は、前記第２の端末デバイスとＵＰＦとの間のセッション接続であり、第２の端末デバイスと第１の端末デバイスとの通信に使用される。
【０２５７】
任意選択で、ネットワークデバイス１０００が通信ユニットをさらに含み、通信ユニットは、前記第２の端末デバイスがアイドル状態にある場合、前記第２の端末デバイスをページングして、前記第２の端末デバイスがセッション接続確立要求を送信するようにトリガーするように構成される。
【０２５８】
任意選択で、前記処理ユニット１１１０は、さらに、前記第１の端末デバイスのために前記第２の端末デバイスと同じであるＵＰＦを選定するように構成される。
【０２５９】
任意選択で、前記処理ユニット１１１０は、さらに、前記第１の端末デバイスのＵＰＦが前記第２の端末デバイスのＵＰＦと異なる場合、前記第１の端末デバイスのＵＰＦと前記第２の端末デバイスのＵＰＦとの間の接続を確立するように構成される。
【０２６０】
なお、該ネットワークデバイス１１００は図４に示すネットワークデバイスに対応してもよく、該図４に示すネットワークデバイスにより実現される対応する動作を実現してもよく、簡潔にするために、ここでその説明を省略する。
【０２６１】
図１３は本願の実施例における端末デバイス１２００のブロック図である。該端末デバイス１２００が通信ユニット１２１０をさらに含み、通信ユニット１２１０は、第２の端末デバイスにデータパケットを送信するように構成され、前記データパケットが第２の端末デバイスとユーザプレーン機能ＵＰＦとの間のセッション接続のアドレス情報又は第１の端末デバイスとＵＰＦとの間のセッション接続のアドレス情報を含み、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０２６２】
任意選択で、前記通信ユニット１２１０は、さらに、ネットワークデバイスにより送信された第２の端末デバイスとＵＰＦとの間のセッション接続のアドレス情報又は第１の端末デバイスとＵＰＦとの間のセッション接続のアドレス情報を受信するように構成される。
【０２６３】
任意選択で、前記第２の端末デバイスとＵＰＦとの間のセッション接続のアドレス情報は、ブロードキャスト情報又は専用シグナリングに搬送される。
【０２６４】
なお、該端末デバイス１２００は、図５に示す第１の端末デバイスに対応し、図５に示す第１の端末デバイスにより実現される相応の操作を実現することができ、簡潔にするために、ここでは詳しい説明を省略する。
【０２６５】
図１４は、本願の実施例に係る通信デバイス１３００の概略構成図である。図１３に示す通信デバイス１３００は、メモリからコンピュータプログラムを呼び出して実行することにより、本願の実施例における方法を実行するプロセッサ１３１０を備える。
【０２６６】
任意選択で、図１４に示されるように、通信デバイス１３００は、メモリ１３２０をさらに含み得る。プロセッサ１３１０は、メモリ１３２０からコンピュータプログラムを呼び出して実行し、本願の実施例における方法を実施する。
【０２６７】
メモリ１３２０は、プロセッサ１３１０とは独立した１つの別個の部品であってもよく、プロセッサ１３１０に集積されてもよい。
【０２６８】
任意選択で、図１４に示されるように、通信デバイス１３００は、プロセッサ１３１０が他のデバイスと通信するように制御することができる、具体的には、他のデバイスに情報またはデータを送信することができ、または他のデバイスによって送信された情報またはデータを受信することができる、送受信機１３３０をさらに含むことができる。
【０２６９】
任意選択で、通信デバイス１３００は、本願の実施例における端末デバイスであってもよく、且つ該チップは、本願の実施例における各方法において端末デバイスにより実現される対応するフローを実現してもよく、簡潔にするために、ここではその説明を省略する。
【０２７０】
任意選択で、通信デバイス１３００は、本願の実施例におけるネットワークデバイスであって、具体的には、コアネットワーク制御プレーンエンティティ(例えば、ＡＭＦ、ＳＭＦ又はＵＰＦ等)であってもよく、該チップは、本願の実施例の各方法における端末デバイスにより実現される対応するフローを実現することができるが、簡潔にするために、ここではその説明を省略する。
【０２７１】
図１５は、本願の実施例におけるチップの概略構成図である。図１５に示されるチップ１４００は、メモリからコンピュータプログラムを呼び出して実行することにより、本願の実施例における方法を実行することができるプロセッサ１４１０を含む。
【０２７２】
任意選択で、図１４に示されるように、チップ１４００は、メモリ１４２０をさらに含んでもよい。ここで、プロセッサ１４１０は、メモリ１４２０からコンピュータプログラムを呼び出して実行することにより、本願の実施例における方法を実施する。
【０２７３】
ここで、メモリ１４２０は、プロセッサ１４１０とは独立した１つの別個の部品であってもよく、プロセッサ１４１０に集積されてもよい。
【０２７４】
任意選択で、チップ１４００は、入力インターフェース１４３０をさらに含むことができる。プロセッサ１４１０は、入力インターフェース１４３０を制御して、他のデバイスまたはチップと通信してもよく、具体的には、他のデバイスまたはチップによって送信された情報またはデータを取得してもよい。
【０２７５】
任意選択で、チップ１４００は、出力インターフェース１４４０をさらに含むことができる。プロセッサ１４１０は、出力インターフェース１４４０を制御して、他のデバイス又はチップと通信してもよく、具体的には、他のデバイス又はチップに情報又はデータを出力してもよい。
【０２７６】
任意選択で、該チップは、本願の実施例における端末デバイスに適用され、且つ該チップは、本願の実施例における各方法において端末デバイスにより実現される対応するフローを実現することができ、簡潔にするために、ここでその説明を省略する。
【０２７７】
任意選択で、該チップは、本願の実施例におけるネットワークデバイスに適用され、具体的には、コアネットワーク制御プレーンエンティティ(例えば、ＡＭＦ、ＳＭＦ又はＵＰＦ等)であってもよく、且つ該チップは、本願の実施例の各方法における端末デバイスにより実現される相応のフローを実現してもよいが、簡潔にするために、ここではその説明を省略する。
【０２７８】
なお、本願の実施例で言及されるチップは、システムチップ、チップシステム、またはシステムオンチップなどと呼ばれることもある。
【０２７９】
図１６は、本願の実施例で提供される通信システム１５００の概略ブロック図である。図１６に示すように、通信システム１５００は、端末デバイス１５１０と、ネットワークデバイス１５２０とを有する。
【０２８０】
ここで、該端末デバイス１５１０は、上記方法において端末デバイスにより実現される相応の機能を実現するために用いられてもよく、及び該ネットワークデバイス１５２０は、具体的には、コアネットワーク制御プレーンエンティティ(例えば、ＡＭＦ、ＳＭＦ又はＵＰＦ等)であってもよく、上記方法においてネットワークデバイスにより実現される相応の機能を実現するために用いられてもよく、簡潔のため、ここではその説明を省略する。
【０２８１】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ(Ｄｉｇｉｔａｌ Ｓｉｇｎａｌ Ｐｒｏｃｅｓｓｏｒ、ＤＳＰ)、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、既存のプログラマブルゲートアレイ(Ｆｉｅｌｄ Ｐｒｏｇｒａｍｍａｂｌｅ Ｇａｔｅ Ａｒｒａｙ、ＦＰＧＡ)又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０２８２】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ(Ｒｅａｄ−Ｏｎｌｙ Ｍｅｍｏｒｙ、ＲＯＭ)、プログラマブルリードオンリーメモリ(Ｐｒｏｇｒａｍｍａｂｌｅ ＲＯＭ、ＰＲＯＭ)、消去可能プログラマブルリードオンリーメモリ(Ｅｒａｓａｂｌｅ ＰＲＯＭ、ＥＰＲＯＭ)、電気的消去可能プログラマブルリードオンリーメモリ(Ｅｌｅｃｔｒｉｃａｌｌｙ ＥＰＲＯＭ、ＥＥＰＲＯＭ)、またはフラッシュメモリであってもよい。揮発性メモリは、外部キャッシュとして使用されるランダムアクセスメモリ(Ｒａｎｄｏｍ Ａｃｃｅｓｓ Ｍｅｍｏｒｙ、ＲＡＭ)であってよい。限定ではなく例として、ＲＡＭは、スタティックランダムアクセスメモリ(Ｓｔａｔｉｃ ＲＡＭ、ＳＲＡＭ)、ダイナミックランダムアクセスメモリ(Ｄｙｎａｍｉｃ ＲＡＭ、ＤＲＡＭ)、シンクロナスダイナミックランダムアクセスメモリ(Ｓｙｎｃｈｒｏｎｏｕｓ ＤＲＡＭ、ＳＤＲＡＭ)、ダブルデータレートシンクロナスダイナミックランダムアクセスメモリ(Ｄｏｕｂｌｅ Ｄａｔａ Ｒａｔｅ ＳＤＲＡＭ、ＤＤＲ ＳＤＲＡＭ)、エンハンスメント型シンクロナスダイナミックランダムアクセスメモリ(Ｅｎｈａｎｃｅｄ ＳＤＲＡＭ、ＥＳＤＲＡＭ)、シンクロナス接続ダイナミックランダムアクセスメモリ(Ｓｙｎｃｈｌｉｎｋ ＤＲＡＭ、ＳＬＤＲＡＭ)、及びダイレクトメモリバスランダムアクセスメモリ(Ｄｉｒｅｃｔ  Ｒａｍｂｕｓ  ＲＡＭ、ＤＲ ＲＡＭ)など、多くの形態で利用可能である。本明細書に記載のシステム及び方法のメモリは、これら及び任意の他の適切なタイプのメモリを含むことが意図されているが、これらに限定されない。
【０２８３】
上述のメモリは、限定ではなく例示的であるが、例えば、本願の実施例におけるメモリは、スタティックランダムアクセスメモリ(ｓｔａｔｉｃ ＲＡＭ、ＳＲＡＭ)、ダイナミックランダムアクセスメモリ(ｄｙｎａｍｉｃ ＲＡＭ、ＤＲＡＭ)、同期ダイナミックランダムアクセスメモリ(ｓｙｎｃｈｒｏｎｏｕｓ ＤＲＡＭ、ＳＤＲＡＭ)、デュアルデータレート同期ダイナミックランダムアクセスメモリ(ｄｏｕｂｌｅ ｄａｔａ ｒａｔｅ ＳＤＲＡＭ、ＤＤＲ ＳＤＲＡＭ)、拡張同期ダイナミックランダムアクセスメモリ(ｅｎｈａｎｃｅｄ ＳＤＲＡＭ、ＥＳＤＲＡＭ)、同期接続ダイナミックランダムアクセスメモリ(ｓｙｎｃｈ ｌｉｎｋ ＤＲＡＭ、ＳＬＤＲＡＭ)、及びダイレクトメモリバスランダムアクセスメモリ(Ｄｉｒｅｃｔ  Ｒａｍｂｕｓ  ＲＡＭ、ＤＲ ＲＡＭ)等であってもよいことが理解されるべきである。すなわち、本願の実施例におけるメモリは、これら及び任意の他の適切なタイプのメモリを含むことを意図しているが、これらに限定されない。
【０２８４】
本願の実施例は、コンピュータプログラムを記憶するためのコンピュータ可読記憶媒体をさらに提供する。任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させが、簡潔にするために、ここでは詳しい説明は省略する。任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０２８５】
本願の実施例は、コンピュータプログラム命令を含むコンピュータプログラム製品も提供する。任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明は省略する。
【０２８６】
本願の実施例は、コンピュータプログラムをさらに提供する。任意選択で、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは詳しい説明は省略する。任意選択で、プログラムがコンピュータ上で実行される場合、コンピュータに、本願の実施例に係る各方法のうち移動端末機で実現される対応する工程を実行させてもよく、簡潔のために、ここでは詳しい説明は省略する。
【０２８７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０２８８】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０２８９】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２９０】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０２９１】
また、本願の各実施例における各機能部は、１つの処理部に集積されてもよいし、各部は、物理的に別個に存在してもよいし、２つ以上の部が１つの部に集積されてもよい。
【０２９２】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバー、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０２９３】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2022501866.tif 000003
【図２】
2022501866.tif 000004
【図３】
2022501866.tif 000005
【図４】
2022501866.tif 000006
【図５】
2022501866.tif 000007
【図６】
2022501866.tif 000008
【図７】
2022501866.tif 000009
【図８】
2022501866.tif 000010
【図９】
2022501866.tif 000011
【図１０】
2022501866.tif 000012
【図１１】
2022501866.tif 000013
【図１２】
2022501866.tif 000014
【図１３】
2022501866.tif 000015
【図１４】
2022501866.tif 000016
【図１５】
2022501866.tif 000017
【図１６】
2022501866.tif 000018
【手続補正書】
【提出日】令和3年8月2日(2021.8.2)
【手続補正１】
【補正対象書類名】明細書
【補正対象項目名】全文
【補正方法】変更
【補正の内容】
【発明の詳細な説明】
【技術分野】
【０００１】
本願の実施例は、通信技術分野に関し、具体的に、無線通信方法及び通信デバイスに関する。
【背景技術】
【０００２】
現在、第１の端末デバイスが第２の端末デバイスにデータパケットを送信する際、第１の端末デバイスから送信されたデータパケットが、アクセスネットワーク、コアネットワーク、及び、ＤＮＳ (ｄｏｍａｉｎ ｎａｍｅ ｓｙｓｔｅｍ)などの外部サーバーを経由して、第２の端末デバイスに到達する。
【０００３】
データパケットの送信過程において、第３世代パートナーシッププロジェクト(３ｒｄ ｇｅｎｅｒａｔｉｏｎ ｐａｒｔｎｅｒｓｈｉｐ ｐｒｏｊｅｃｔ、３ＧＰＰ)内部ネットワークだけでなく、ＤＮＳのような外部サーバーの解析及びルーティングを経由する必要があり、通信遅延が長い。
【発明の概要】
【０００４】
本願の実施例は、３ＧＰＰネットワーク内でのデータパケットの伝送を実現し、通信遅延を低減することができる無線通信方法及びデバイスを提供する。
【０００５】
第１の態様は、無線通信方法を提供し、ネットワークデバイスが、第１の端末デバイスから第３世代パートナーシッププロジェクト３ＧＰＰネットワークにおける制御プレーンまたはユーザプレーンを介して伝送されるデータパケットを受信することと、前記ネットワークデバイスが３ＧＰＰネットワークにおける制御プレーンまたはユーザプレーンを介して第２の端末デバイスに前記データパケットを送信することとを含む。
【０００６】
第２の態様は、無線通信方法を提供し、コアネットワーク制御プレーンエンティティが第１の端末デバイスに第２の端末デバイスとユーザプレーン機能ＵＰＦとの間のセッション接続のアドレス情報を送信することを含み、前記アドレス情報は、前記第１の端末デバイスと前記第２の端末デバイスとが第３世代パートナーシッププロジェクト３ＧＰＰネットワークにおいて通信するために使用される。
【０００７】
第３の態様は、無線通信方法を提供し、ネットワークデバイスが第１の端末デバイスのために、前記第１の端末デバイスが第３世代パートナーシッププロジェクト３ＧＰＰネットワークにおいて前記第２の端末デバイスと通信するためのセッション接続を確立することを含み、前記セッション接続が前記第１の端末デバイスとユーザプレーン機能ＵＰＦとの間のセッション接続を含む。
【０００８】
第４の態様は、無線通信方法を提供し、第１の端末デバイスが第２の端末デバイスにデータパケットを送信することを含み、前記データパケットには第２の端末デバイスとユーザプレーン機能ＵＰＦとの間のセッション接続のアドレス情報又は第１の端末デバイスとＵＰＦとの間のセッション接続のアドレス情報が含まれ、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０００９】
第５の態様は、上記第１の態様又はその様々な実施態様における方法を実行するためのネットワークデバイスを提供する。
【００１０】
具体的には、このネットワークデバイスは、上記第１の態様又はその各実施例による方法を実行するための機能モジュールを備える。
【００１１】
第６の態様は、上記第２の態様又はその様々な実施態様における方法を実行するためのコアネットワーク制御プレーンエンティティを提供する。
【００１２】
具体的には、このコアネットワーク制御プレーンエンティティは、上記第２の態様又はその各実施例による方法を実行するための機能モジュールを備える。
【００１３】
第７の態様は、上記第３の態様又はその様々な実施態様における方法を実行するためのネットワークデバイスを提供する。
【００１４】
具体的には、このネットワークデバイスは、上記第３の態様又はその各実施例による方法を実行するための機能モジュールを備える。
【００１５】
第８の態様は、上記第４の態様又はその様々な実施態様における方法を実行するための端末デバイスを提供する。
【００１６】
具体的には、この端末デバイスは、上記第４の態様又はその各実施例による方法を実行するための機能モジュールを備える。
【００１７】
第９の態様は、プロセッサとメモリとを備えるネットワークデバイスを提供する。このメモリは、コンピュータプログラムを記憶し、プロセッサは、メモリに記憶されたコンピュータプログラムを呼び出して実行し、上記第１の態様またはその様々な実施例における方法を実行する。
【００１８】
第１０の態様は、プロセッサとメモリとを備えるコアネットワーク制御プレーンエンティティを提供する。このメモリは、コンピュータプログラムを記憶し、プロセッサは、メモリに記憶されたコンピュータプログラムを呼び出して実行し、上記第２の態様またはその様々な実施例における方法を実行する。
【００１９】
第１１の態様は、プロセッサとメモリとを備えるネットワークデバイスを提供する。このメモリは、コンピュータプログラムを記憶し、プロセッサは、メモリに記憶されたコンピュータプログラムを呼び出して実行し、上記第３の態様またはその様々な実施例における方法を実行する。
【００２０】
第１２の態様は、プロセッサとメモリとを備える端末デバイスを提供する。このメモリは、コンピュータプログラムを記憶し、プロセッサは、メモリに記憶されたコンピュータプログラムを呼び出して実行し、上記第４の態様またはその様々な実施例における方法を実行する。
【００２１】
第１３の態様は、上述の第１から第４の態様のいずれか、またはその各実施態様における方法を実施するためのチップを提供する。
【００２２】
具体的には、このチップは、コンピュータプログラムをメモリから呼び出して実行し、このチップが実装されたデバイスに、第１の態様から第４の態様のいずれか、またはそれらの実装形態による方法を実行させるプロセッサを含む。
【００２３】
第１４の態様は、コンピュータに、上述の第１の態様から第４の態様のいずれか、またはそれらの実装形態における方法を実行させるコンピュータプログラムを記憶するコンピュータ可読記憶媒体を提供する。
【００２４】
第１５の態様は、コンピュータに、上述の第１の態様から第４の態様のいずれか、またはそれらの実装形態における方法を実行させるコンピュータプログラム命令を含む、コンピュータプログラム製品を提供する。
【００２５】
第１０の態様は、コンピュータ上で実行されたときに、コンピュータに、上記の第１から第４の態様のいずれか、またはその様々な実施態様における方法を実行させるコンピュータプログラムを提供する。
【００２６】
上記技術案により、３ＧＰＰネットワーク内の制御プレーン又はユーザプレーンを介してデータパケットの伝送を行うことができ、外部サーバーの解析及びルーティングの経由が不要となり、通信遅延を低減することができる。
【図面の簡単な説明】
【００２７】
【図１】本願の実施例における通信システムのアーキテクチャの模式図である。
【図２】本願の実施例における無線通信方法の模式図である。
【図３】本願の実施例における無線通信方法の模式図である。
【図４】本願の実施例における無線通信方法の模式図である。
【図５】本願の実施例における無線通信方法の模式図である。
【図６】本願の実施例における無線通信方法の模式図である。
【図７】本願の実施例における無線通信方法の模式図である。
【図８】本願の実施例における無線通信方法の模式図である。
【図９】本願の実施例における無線通信方法の模式図である。
【図１０】本願の実施例におけるネットワークデバイスのブロック図である。
【図１１】本願の実施例におけるコアネットワーク制御プレーンエンティティのブロック図である。
【図１２】本願の実施例におけるネットワークデバイスのブロック図である。
【図１３】本願の実施例におけるネットワークデバイスのブロック図である。
【図１４】本願の実施例における通信デバイスの構成図である。
【図１５】本願の実施例におけるシステムチップの構成図である。
【図１６】本願の実施例における通信システムのブロック図である。
【発明を実施するための形態】
【００２８】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００２９】
本明細書において、用語「システム」及び「ネットワーク」は、しばしば、交換可能に使用されることが理解される。ここで言う「及び/又は」とは、単に関連対象を説明する関連関係のことであり、Ａ及び/又はＢのように３つの関係があり、Ａ単独の場合、ＡとＢの両方の場合、Ｂ単独の場合の３つの場合があることを意味する。また、本文中の「/」は、前後関係オブジェクトが「または」の関係であることを一般的に示す。
【００３０】
本願の実施例に係る技術方案は、様々な通信システム、例えば、ＧＳＭ (Ｇｌｏｂａｌ Ｓｙｓｔｅｍ ｏｆ Ｍｏｂｉｌｅ Ｃｏｍｍｕｎｉｃａｔｉｏｎ)システム、ＣＤＭＡ (Ｃｏｄｅ Ｄｉｖｉｓｉｏｎ Ｍｕｌｔｉｐｌｅ Ａｃｃｅｓｓ)システム、ＷＣＤＭＡ (Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ (Ｇｅｎｅｒａｌ Ｐａｃｋｅｔ Ｒａｄｉｏ Ｓｅｒｖｉｃｅ)、ＬＴＥ (Ｌｏｎｇ Ｔｅｒｍ Ｅｖｏｌｕｔｉｏｎ)システム、ＬＴＥのＦＤＤ (Ｆｒｅｑｕｅｎｃｙ Ｄｉｖｉｓｉｏｎ Ｄｕｐｌｅｘ)システム、ＬＴＥのＴＤＤ (Ｔｉｍｅ  Ｄｉｖｉｓｉｏｎ  Ｄｕｐｌｅｘ)システム、ＵＭＴＳ (Ｕｎｉｖｅｒｓａｌ  Ｍｏｂｉｌｅ  Ｔｅｌｅｃｏｍｍｕｎｉｃａｔｉｏｎ  Ｓｙｓｔｅｍ)、ＷｉＭＡＸ (Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ)通信システム又は５Ｇシステムに適用されることができる。
【００３１】
本願の実施例に係る端末デバイスとは、公衆回線交換網ＰＳＴＮ、ＤＳＬ、デジタル回線、直接ケーブルなどの有線回線接続、および/または別のデータ接続/ネットワーク、および/または、例えばセルラネットワーク、無線ローカルエリアネットワーク(ＷＬＡＮ)、例えばＤＶＢ−Ｈネットワークのようなディジタルテレビネットワーク、衛星ネットワーク、ＡＭ−ＦＭ放送送信機のための無線インターフェースを介し、及び/又は別の端末デバイスの通信信号を受信/送信するように構成された手段、および/またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム(ＰＣＳ)端末、無線電話、ページャ、インターネット/イントラネット接続、Ｗｅｂブラウザ、メモ帳、カレンダ、及び/又はＧＰＳ受信機を含むことができるＰＤＡ、および従来のラップトップおよび/またはパームトップ受信機または無線電話送受信機を含む他の電子デバイスが挙げられる。端末デバイスは、アクセス端末、ＵＥ、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ)電話、ＷＬＬ （ Ｗｉｒｅｌｅｓｓ Ｌｏｃａｌ Ｌｏｏｐ)局、ＰＤＡ (Ｐｅｒｓｏｎａｌ Ｄｉｇｉｔａｌ Ａｓｓｉｓｔａｎｔ)、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００３２】
本願の実施例に係るアクセスネットワークデバイスは、端末デバイス(または通信端末、端末)と通信するデバイスであってもよい。ネットワークデバイスは、特定の地理的エリアに通信カバレッジを提供し得、そのカバレッジ内に位置する端末デバイスと通信し得る。任意選択で、ネットワークデバイス１１０は、ＧＳＭシステムまたはＣＤＭＡシステムにおける基地局(Ｂａｓｅ Ｔｒａｎｓｃｅｉｖｅｒ Ｓｔａｔｉｏｎ、ＢＴＳ)、ＷＣＤＭＡシステムにおける基地局（ ＮｏｄｅＢ、ＮＢ ）、ＬＴＥシステムにおける発展型基地局（ Ｅｖｏｌｕｔｉｏｎａｌ Ｎｏｄｅ Ｂ、ｅＮＢ、またはｅＮｏｄｅＢ ）、又はクラウド無線アクセスネットワーク（ Ｃｌｏｕｄ Ｒａｄｉｏ Ａｃｃｅｓｓ Ｎｅｔｗｏｒｋ、ＣＲＡＮ)における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、又は将来進化するパブリック地上モバイルネットワーク(Ｐｕｂｌｉｃ Ｌａｎｄ Ｍｏｂｉｌｅ Ｎｅｔｗｏｒｋ、ＰＬＭＮ)におけるネットワークデバイスなどであってもよい。
【００３３】
本願の実施例に係るコアネットワークデバイスは、５Ｇコアネットワークデバイスであり得る。例えば、アクセス及び移動性管理機能(Ａｃｃｅｓｓ ａｎｄ Ｍｏｂｉｌｉｔｙ Ｍａｎａｇｅｍｅｎｔ Ｆｕｎｃｔｉｏｎ、ＡＭＦ)のように、アクセス及び移動性管理を担当することができ、ユーザに対する認証、ハンドオーバー、位置更新などの機能を有することができる。また例えば、セッション管理機能(ＳＭＦ)であってもよく、セッション管理を担当し、パケットデータユニット(ＰＤＵ)セッションの確立、修正、解放などを含む。また例えば、ユーザデータの転送を担当するユーザプレーン機能（ｕｓｅｒ ｐｌａｎｅ ｆｕｎｃｔｉｏｎ、ＵＰＦ）であってもよい。ここで、コアネットワークデバイスは、ＬＴＥシステム又は他のシステムのコアネットワークデバイスであってもよい。
【００３４】
任意選択で、本願の実施例は、ローカルネットワーク及び公衆陸上ネットワークに適用され得る。
【００３５】
ここで、公衆陸上ネットワークはＰＬＭＮに基づく公衆陸上ネットワークであってもよい。
【００３６】
ローカルネットワークは、ローカルエリアネットワーク又はプライベートネットワークとも称され、オフィス、家庭、工場の現場に配置されることが多く、ローカルネットワークは、典型的には、ローカルなユーザ又は管理者によってレイアウトされることが多く、より効率的で安全な管理を可能にする。通常、許可されたアクセス可能なユーザは、ローカルネットワークへのアクセス権を有する。
【００３７】
ローカルネットワークは、公衆陸上ネットワークによって管理又は管轄され得るが、公衆陸上ネットワークによって管理又は管轄されなくてもよい。
【００３８】
任意選択で、ローカルネットワークは、免許不要周波数帯域を用いて通信を行ってもよいし、公衆陸上ネットワークとの間で免許周波数帯域を共有してもよい。
【００３９】
任意選択で、ローカルネットワークは、３ＧＰＰの範囲に属するネットワークでもある。ここで、該ローカルネットワークのコアネットワークはＮＲ技術又はＬＴＥ技術のコアネットワークであってもよく、及びローカルネットワークはＮＲアクセスネットワーク、ＬＴＥアクセスネットワーク又はＷｉｒｅｌｅｓｓ Ｆｉｄｅｌｉｔｙ （Ｗｉｆｉ)を介してコアネットワークにアクセスしてもよい。
【００４０】
任意選択で、本願の実施例では、公衆陸上ネットワークおよびローカルネットワークは、コアネットワークを共用し、アクセスネットワークは独立しており、又は、アクセスネットワークを共用し、コアネットワークが独立しおり、又は、アクセスネットワークおよびコアネットワークを共用し、又は、アクセスネットワークもコアネットワークも共用しない。通信システムの中でも、例えば、ＰＬＭＮ (ｐｕｂｌｉｃ ｌａｎｄ ｍｏｂｉｌｅ ｎｅｔｗｏｒｋ)に基づくネットワークシステムのような公共ネットワークシステムが一般的に構成される。しかしながら、公共ネットワークシステムにおいて、第１の端末デバイスと第２の端末デバイスとの間で通信を行う場合、データパケットは、３ＧＰＰネットワークの内部のノードだけでなく、３ＧＰＰネットワークの外部のＤＮＳによるデータの解析やルーティングを経由して第２の端末デバイスに到達する必要があり、通信遅延が長くなる。
【００４１】
本願の実施例は、上記に鑑み、データパケットが送信過程において、３ＧＰＰネットワーク内部ノード間でルーティングするだけで、第２端末デバイスに到達することができるポイントツーポイント通信方式を提供する。
【００４２】
３ＧＰＰ内部でのデータの伝送が伝送遅延を低減することができ、内部伝送は、データが３ＧＰＰ内部においてネットワークノードＲＡＮ（ｒａｄｉｏ ａｃｃｅｓｓ ｎｅｔｗｏｒｋ）、ＡＭＦ及び/又はＳＭＦ間でのルーティングのみを指し、外部のＤＮＳの解析ルーティングプロセスを経由しない。
【００４３】
本願の実施例は、ローカルネットワーク又は公衆陸上ネットワークに適用され得る。
【００４４】
ここで、公衆陸上ネットワークはＰＬＭＮに基づく公衆陸上ネットワークであってもよい。
【００４５】
ローカルネットワークは、ローカルエリアネットワーク又はプライベートネットワークとも称され、オフィス、家庭、工場の現場に配置されることが多く、ローカルネットワークは、典型的には、ローカルなユーザ又は管理者によってレイアウトされることが多く、より効率的で安全な管理を可能にする。通常、許可されたアクセス可能なユーザは、ローカルネットワークへのアクセス権を有する。
【００４６】
ローカルネットワークは、公衆陸上ネットワークによって管理又は管轄され得るが、公衆陸上ネットワークによって管理又は管轄されなくてもよい。
【００４７】
任意選択で、ローカルネットワークは、免許不要周波数帯域を用いて通信を行ってもよいし、公衆陸上ネットワークとの間で免許周波数帯域を共有してもよい。
【００４８】
任意選択で、ローカルネットワークは、３ＧＰＰの範囲に属するネットワークでもある。ここで、該ローカルネットワークのコアネットワークはＮＲ技術又はＬＴＥ技術のコアネットワークであってもよく、及びローカルネットワークはＮＲアクセスネットワーク、ＬＴＥアクセスネットワーク又はＷｉｒｅｌｅｓｓ Ｆｉｄｅｌｉｔｙ （Ｗｉｆｉ)を介してコアネットワークにアクセスしてもよい。
【００４９】
任意選択で、本願の実施例では、公衆陸上ネットワークおよびローカルネットワークは、コアネットワークを共用し、アクセスネットワークは独立しており、又は、アクセスネットワークを共用し、コアネットワークが独立しおり、又は、アクセスネットワークおよびコアネットワークを共用し、又は、アクセスネットワークもコアネットワークも共用しない。
【００５０】
図１は本願の実施例におけるポイントツーポイント通信方式の構成図である。該通信方式は、伝送遅延を低減させることができる。
【００５１】
第１の端末デバイスが第２の端末デバイスにデータパケットを送信する時に、データパケットは、３ＧＰＰネットワーク内部のノード間のみでルーティングされ、第２の端末デバイスに到達する。
【００５２】
例えば、データパケットは、ユーザプレーンのみを介して第２の端末デバイスに到達する。第１の端末デバイスが送信したデータパケットは、第１のＵＰＦ、第２のＵＰＦを介して第２の端末デバイスに到達する。
【００５３】
また、例えば、データパケットは、制御プレーンを介して第２の端末デバイスに到達する。第１の端末デバイスがデータパケットを制御プレーンを介してＳＭＦエンティティに送信し、次に、ＳＭＦエンティティが該データパケットを第１のＵＰＦにルーティングし、第１のＵＰＦが該データパケットを第２のＵＰＦに送信し、次に、第２のＵＰＦがデータパケットを第２の端末デバイスに送信する。
【００５４】
図２は本願の実施例における無線通信方法の模式図であり、図２の方法は、ステップ１１０〜１２０を含む。
【００５５】
Ｓ１１０において、ネットワークデバイスが第１の端末デバイスから３ＧＰＰネットワークにおける制御プレーンまたはユーザプレーンを介して伝送されたデータパケットを受信する。
【００５６】
任意選択で、該ネットワークデバイスは、コアネットワークデバイス、例えば、ＡＭＦ、ＳＭＦ又はＵＰＦ等であっても良い。
【００５７】
制御プレーンを介して伝送されたデータパケットは、制御プレーンデータパケットと呼ばれ、例えば、ＡＭＦを介して伝送されたデータパケット又はＳＭＦを介して伝送されたデータパケットである。
【００５８】
Ｓ１２０において、ネットワークデバイスは、３ＧＰＰネットワークにおける制御プレーンまたはユーザプレーンを介して第２の端末デバイスにデータパケットを伝送する。
【００５９】
本願の実施例に係る技術案は、第１の端末デバイスが第２の端末デバイスにデータパケットを送信する場合、該データパケットは３ＧＰＰネットワーク内部のノード間でのみ伝送され、外部サーバーを経由せず、データ伝送過程でカプセル化や解析の回数を減少させ、遅延を減少させることができる。
【００６０】
任意選択で、第１の端末デバイスと第２の端末デバイスとの間に第１のセッション接続が存在し、該第１のセッションが接続第１の端末デバイスと第２の端末デバイスとの間の通信に使用される。
【００６１】
該第１のセッション接続は、第１の端末デバイスと第２の端末デバイスとの間に専用されるセッション接続であっても良い。
【００６２】
該第１のセッション接続は、セッション接続識別子、第１の端末デバイスと第１の端末デバイスのＵＰＦとの間のセッションのアドレス情報、第１の端末デバイスのＵＰＦと第２の端末デバイスのＵＰＦとの間のセッションのアドレス情報、第２の端末デバイスとＵＰＦとの間のセッションのアドレス情報のうちの少なくとも１つによって識別する。例えば、該第１のセッション接続は、セッション接続識別子によって識別する。また、例えば、該第１のセッション接続は、第１の端末デバイスと第１の端末デバイスＵＰＦとの間のセッションのアドレス情報、第１の端末デバイスのＵＰＦと第２の端末デバイスのＵＰＦとの間のセッションのアドレス情報及び第２の端末デバイスと第２の端末デバイスＵＰＦとの間のセッションのアドレス情報によって識別する。
【００６３】
第１の端末デバイスは、第１のセッション接続を利用してネットワークデバイスにデータパケットを送信することができる。該データパケットがユーザプレーンデータパケットである場合、第１の端末デバイスは、ユーザプレーンを介してネットワークデバイスにデータパケットを送信する。該ネットワークデバイスは、第１の端末デバイスのＵＰＦであっても良いし、第２の端末デバイスのＵＰＦであっても良い。ネットワークデバイスは、第１の端末デバイスが送信したデータパケットを受信した後、第１のセッション接続を利用して第２の端末デバイスにデータパケットを送信しても良い。
【００６４】
任意選択で、第１の端末デバイスのＵＰＦと第２の端末デバイスのＵＰＦとは、同一のＵＰＦであっても良い。本願の実施例は、同じＵＰＦを第１のＵＰＦと呼ばれる。
【００６５】
第１の端末デバイスが第１のＵＰＦにユーザプレーンデータパケットを送信し、該データパケットに第１の端末デバイスと第１のＵＰＦとの間の接続の第１のアドレス情報が含まれる。第１のＵＰＦが該データパケットを受信した後、該第１のアドレス情報を利用して、第２のアドレス情報を決定し、該第２のアドレス情報が第１のセッション接続における第２の端末デバイスと第１のＵＰＦとの間の接続のアドレス情報であっても良い。
【００６６】
第１のセッション接続が第１の端末デバイスと第２の端末デバイスとの間の専用セッション接続であるため、第１のアドレス情報と第２のアドレス情報とが一意の対応関係を有し、第１のアドレス情報が第２のアドレス情報に一意にマッピングし、第２のアドレス情報が第２のアドレス情報に一意にマッピングする。第１の端末デバイスが送信するデータパケットに含まれる第１のアドレス情報は、該データパケットが第２の端末デバイスに送信することを指示する。
【００６７】
任意選択で、第１のＵＰＦに第１のアドレス情報と第２のアドレス情報との対応関係が予め構成される。第１のＵＰＦは、受信した第１のアドレス情報に基づいて対応関係を検索して第２のアドレス情報を決定し、データパケットに第２のアドレス情報をカプセル化し第２の端末デバイスに送信することができる。
【００６８】
任意選択で、あるシナリオにおいて、第１の端末デバイスのＵＰＦが第１の端末デバイスと第２の端末デバイスとの通信に専用される場合、データパケットには第１の端末デバイスの識別情報のみが含まれても良い。第１の端末デバイスのＵＰＦが受信したデータパケットに第１の端末デバイスの識別子が含まれる場合、該データパケットが第２の端末デバイスに送信すると決定されても良い。
【００６９】
端末デバイスの識別情報は、端末デバイスの一時識別子、永久識別子又はデバイス番号であっても良い。なお、本願の実施例において、端末デバイスの識別情報は、端末デバイスのアドレス情報で切り替えても良く、例えば、端末デバイスのインターネットプロトコル（Ｉｎｔｅｒｎｅｔ Ｐｒｏｔｏｃｏｌ、ＩＰ）アドレス又は媒体アクセス制御（ｍｅｄｉｕｍ ａｃｃｅｓｓ ｃｏｎｔｒｏｌ、ＭＡＣ）アドレス等であっても良い。
【００７０】
また、例えば、第１の端末デバイスのＵＰＦは、第２の端末デバイスとの間の通信に専用されなくても良く、他の端末デバイスとの通信に使用されても良い。しかし、第１の端末デバイスのＵＰＦと第１の端末デバイスとの間の接続のアドレス情報は、第２の端末デバイスとの通信に専用されても良い。第１の端末デバイスのＵＰＦが受信したデータパケットに第１の端末デバイスと第１の端末デバイスのＵＰＦとの間の接続のアドレス情報が含まれる場合、第１の端末デバイスのＵＰＦは、該データパケットが第２の端末デバイスに送信されると決定することができる。
【００７１】
任意選択で、第１の端末デバイスのＵＰＦと第２の端末デバイスのＵＰＦとが異なっても良く、第１の端末デバイスと第２の端末デバイスとが自分のＵＰＦをそれぞれ有しても良い。
【００７２】
第１の端末デバイスのＵＰＦが第２のＵＰＦ、第２の端末デバイスのＵＰＦが第３のＵＰＦであると仮定する。
【００７３】
ネットワークデバイスが第２のＵＰＦである場合、第２のＵＰＦが第１の端末デバイスにより送信されたデータパケットを受信し、該データパケットには第１の端末デバイスと第２のＵＰＦとの間の接続の第３のアドレス情報が含まれる。第２のＵＰＦが第３のアドレス情報に基づいて、第４のアドレス情報を決定することができ、該第４のアドレス情報は、第２のＵＰＦと第３のＵＰＦとの間の接続のアドレス情報である。
【００７４】
第２のＵＰＦは、第４のアドレス情報をデータパケットにカプセル化し、第３のＵＰＦを介して第２の端末デバイスにデータパケットを送信することができる。
【００７５】
ネットワークデバイスが第３のＵＰＦである場合、第３のＵＰＦが受信したデータパケットには第４のアドレス情報が含まれ、第３のＵＰＦが第４のアドレス情報に基づいて第５のアドレス情報を一意に決定することができ、該第５のアドレス情報は、第３のＵＰＦと第２の端末デバイスとの間の接続のアドレス情報である。
【００７６】
第３のＵＰＦは、第５のアドレス情報をデータパケットにカプセル化し、該データパケットを第２の端末デバイスに送信することができる。
【００７７】
任意選択で、該ネットワークデバイスがコアネットワークエンティティ（例えば、ＵＰＦ、ＳＭＦ又はＡＭＦ）であっても良く、コアネットワークエンティティが第１の端末デバイスが制御プレーンを介して送信されたデータパケットを受信し、該データパケットには、第１のセッション接続の識別子、第１のセッション接続のアドレス情報、第１の端末デバイスの識別情報及び第２の端末デバイスの識別情報のうちの少なくとも１つが含まれる。該データパケットは、制御プレーンを介してコアネットワークエンティティに送信されても良い。ここで、該第１のセッション接続は、セッション接続識別子、第１の端末デバイスと第１の端末デバイスＵＰＦとの間のセッションのアドレス情報、第１の端末デバイスのＵＰＦと第２の端末デバイスのＵＰＦとの間のセッションのアドレス情報、第２の端末デバイスと第２の端末デバイスＵＰＦとの間のセッションのアドレス情報のうちの少なくとも１つによって識別する。
【００７８】
コアネットワーク制御プレーンエンティティは、データパケットに含まれる上記の少なくとも１つの情報に基づいて、データパケットの直後のホップノードを決定する。コアネットワーク制御プレーンエンティティは、制御プレーンを介してデータパケットを直後のホップノードにルーティングして、直後のホップノードが該データパケットを第２の端末デバイスにルーティングする。
【００７９】
第１の端末デバイスと第２の端末デバイスとの間に第１のセッション接続が確立された場合、上記の少なくとも１つの情報は、互いに関連しても良い。
【００８０】
ここで、第１の端末デバイスと第２の端末デバイスとの間にセッション接続が確立された場合、第１の端末デバイスが第２の端末デバイスにデータパケットを送信することは、第１の端末デバイス、第１の端末デバイスのＡＭＦ、第１の端末デバイスのＳＭＦ、第１の端末デバイスのＵＰＦ、第２の端末デバイスのＵＰＦ、第２の端末デバイスのＳＭＦ、第２の端末デバイスのＡＭＦ、第２の端末デバイス、又は、第１の端末デバイス、ＡＭＦ、ＳＭＦ、第１の端末デバイスのＵＰＦ、第２の端末デバイスのＵＰＦ、第２の端末デバイスのノードを経由する。ここで、アクセスネットワークデバイスは、パススルーの役割を果たすことができる。
【００８１】
任意選択で、第１の端末デバイスがコアネットワーク制御プレーンエンティティに送信するデータパケットには第２の端末デバイスの情報が含まれ、第２の端末デバイスの情報は、第２の端末デバイスの識別情報及び／又は第２の端末デバイスと第２の端末デバイスのＵＰＦとの間のアドレス情報であっても良い。このように、コアネットワーク制御プレーンエンティティは、第２の端末デバイスの情報に基づいて、直後のホップノードを順次決定し、第２の端末デバイスの情報をデータパケットにカプセル化し直後のホップノードに送信することができる。
【００８２】
なお、データパケットに第２の端末デバイスの情報が含まれるとともに、第１の端末デバイスの情報も含まれ、第１の端末デバイスの情報は、第１の端末デバイスの識別情報及び／又は第１の端末デバイスと第１の端末デバイスのＵＰＦとの間のアドレス情報であっても良い。このように、第２の端末デバイスは、該データパケットを受信した後、データパケットの第１の端末デバイスの情報に基づいて、データパケットの送信元が第１の端末デバイスであると決定することができる。
【００８３】
又は、第１の端末デバイスがコアネットワークに送信するデータパケットに第１の端末デバイスの情報が含めるが、第２の端末デバイスの情報が含まない。
【００８４】
第１の端末デバイスの情報が第１のセッション接続に対応する第１の端末デバイスとＵＰＦとの間のアドレス情報である場合、ネットワーク側が該アドレス情報に基づいて直後のホップノードを決定することができる。
【００８５】
第１の端末デバイスの情報が第１のセッション接続に対応する第１の端末デバイスの識別情報である場合、この時、第１の端末デバイスが同一の時刻に１つの端末デバイスと接続を確立する。任意選択で、ネットワークデバイスが第１の端末デバイスのために新しい接続を確立する場合、ネットワークデバイスに記録された第１の端末デバイスの前の接続状態を削除して、第１の端末デバイスが同一の時刻に１つの端末デバイスのみと通信する。
【００８６】
第１の端末デバイスがネットワークデバイスにデータパケットを送信する場合、データパケットに第１の端末デバイスの識別子が含まれても良い。現在確立された接続が第１の端末デバイスと第２の端末デバイスとの接続である場合、ネットワークデバイスは、該データパケットが第２の端末デバイスに送信されると決定することができる。ネットワークデバイスは、データパケットに第１のセッション接続のアドレス情報をカプセル化し、該データパケットを直後のホップノードに送信しても良く、又は、データパケットに第１のセッション接続の識別情報をカプセル化せず第１の端末デバイスの識別情報を保留しても良く、又は、データパケットに第１の端末デバイスの識別情報を保留し、第１のセッション接続の識別情報をカプセル化しても良い。
【００８７】
例えば、第１の端末デバイスが第１の端末デバイスの識別情報をデータパケットにカプセル化し、ネットワークデバイスがＡＭＦである場合、該ＡＭＦは、該第１の端末デバイスの識別情報に基づいて、端末デバイスにサービスするＳＭＦを決定し、該データパケットをＳＭＦを送信し、ＳＭＦは、該データパケットを受信した後、データパケットにおける第１の端末デバイスの識別情報に基づいて、該第１の端末デバイスのセッション接続に対応するＵＰＦを決定し、この時、該ＳＭＦに端末デバイスの識別情報とＵＰＦとの対応関係が記憶されており、次に、該データパケットを第１の端末デバイスのＵＰＦに送信し、第１の端末デバイスのＵＰＦと第２の端末デバイスのＵＰＦとが同じである場合、同じＵＰＦが第１の端末デバイスの識別情報に基づいて、ＵＰＦと第２の端末デバイスとの間のアドレス情報を検索し、該アドレス情報をデータパケットにカプセル化し、第２の端末デバイスに送信し、又は、該ＵＰＦが該第１の端末デバイスの識別情報に基づいて、第２の端末デバイスの識別情報を検索し、該第２の端末デバイスにサービスするＳＭＦを決定し、該第２の端末デバイスの識別情報をデータパケットにカプセル化し、また、該データパケットをＳＭＦに送信し、ＳＭＦは、該データパケットにおける第２の端末デバイスの識別情報に基づいてＡＭＦを決定し、さらに、ＡＭＦは、該データパケットを第２の端末デバイスに送信することができる。
【００８８】
以上の例において、第１の端末デバイスのＵＰＦと第２の端末デバイスのＵＰＦとが異なる場合、該第１の端末デバイスのＵＰＦは、第１の端末デバイスの識別情報に基づいて、第１のセッション接続に対応する、第１の端末デバイスのＵＰＦと第２の端末デバイスのＵＰＦとの間に属するアドレス情報を取得し、該アドレス情報をデータパケットにカプセル化し、該データパケットを第２の端末デバイスのＵＰＦに送信し、第２の端末デバイスのＵＰＦは、データパケットにカプセル化されたアドレス情報に基づいて、第１のセッション接続に対応する、第２の端末デバイスのＵＰＦと第２の端末デバイスとの間に属するアドレス情報を、データパケットにカプセル化し、第２の端末デバイスに送信することができる。該第１の端末デバイスのＵＰＦは、第１の端末デバイスの識別情報に基づいて、第２の端末デバイスのＵＰＦを決定し、該データパケットを介して第２の端末デバイスのＵＰＦに送信し、第２の端末デバイスのＵＰＦは、第２の端末デバイスとの間のアドレス情報を検索し、該アドレス情報をデータパケットにカプセル化し、第２の端末デバイスに送信しても良く、又は、該第１の端末デバイスの識別情報に基づいて、第２の端末デバイスの識別情報を検索し、該第２の端末デバイスにサービスするＳＭＦを決定し、該第２の端末デバイスの識別情報をデータパケットにカプセル化し、また、該データパケットをＳＭＦに送信し、ＳＭＦは、該データパケットにおける第２の端末デバイスの識別情報に基づいてＡＭＦを決定し、さらに、ＡＭＦは、該データパケットを第２の端末デバイスに送信することができる。
【００８９】
任意選択で、データパケットに第１のセッション接続識別子が含まれ、ネットワークデバイスは、該接続識別子に基づいてセッション接続の直後のホップノードを決定することができる。さらに、直後のホップとの接続のアドレス情報を決定し、該アドレス情報をデータパケットにカプセル化し直後のホップノードに送信する。 
任意選択で、データパケットに第２の端末デバイスの識別子が含まれてもよく、ネットワークデバイスが第２の端末デバイスの識別子に基づいて、直後のホップノードを決定してもよい。さらに、直後のホップとの間の接続のアドレス情報を決定し、該アドレス情報が第２の端末デバイスに関連する。ネットワークデバイスは、データパケットに該アドレス情報をカプセル化し、カプセル化されたデータパケットを直後のホップノードに送信することができる。
【００９０】
上記の実施例から分かるように、第１の端末デバイスと第２の端末デバイスとが第１のセッション接続を確立した場合、第１の端末デバイスの情報及び／又は第２の端末デバイスの情報に基づいて、直後のホップノードを取得することができる。ここで、各ホップの間のカプセル化した情報は、同じであってもよいし、異なってもよく、例えば、各ホップが第２の端末デバイスの識別情報をカプセル化し、例えば、直前のホップが第１の端末デバイスの識別情報をカプセル化し、直後のホップが第２の端末デバイスの識別情報をカプセル化し、直後のホップがカプセル化する情報は、直前のホップがカプセル化する情報に基づいて決定される。
【００９１】
任意選択で、第１の端末デバイスとＵＰＦとの間に第２のセッション接続が存在し、第２の端末デバイスとＵＰＦとの間に第３のセッション接続が存在する。第１の端末デバイスのＵＰＦと第２の端末デバイスのＵＰＦとが同一のＵＰＦであり、第４のＵＰＦと表してもよい。
【００９２】
ネットワークデバイスが第４のＵＰＦである場合、第１の端末デバイスが第４のＵＰＦに送信するデータパケットには、第３のセッション接続のアドレス情報、及び／又は第２の端末デバイスの識別情報が含まれてもよい。
【００９３】
第４のＵＰＦは、該第３のセッション接続のアドレス情報、及び／又は第２の端末デバイスの識別情報に基づいて、ユーザプレーンを介して第２の端末デバイスに該データパケットを送信することができる。
【００９４】
具体的に、第４のＵＰＦは、第２の端末デバイスの識別情報に基づいて、第３のセッション接続のアドレス情報を決定し、データパケットに第３のセッション接続のアドレス情報をカプセル化し、ユーザプレーンを介して第２の端末デバイスに送信することができる。
【００９５】
第１の端末デバイスのＵＰＦと第２の端末デバイスのＵＰＦとは、異なるＵＰＦであってもよく、第１の端末デバイスのＵＰＦを第５のＵＰＦと表し、第２の端末デバイスのＵＰＦを第６のＵＰＦと表してもよい。
【００９６】
ネットワークデバイスが第５のＵＰＦである場合、第１の端末デバイスが第５のＵＰＦに送信するデータパケットには、第３のセッション接続のアドレス情報、及び／又は第２の端末デバイスの識別情報が含まれてもよい。第５のＵＰＦは、第３のセッション接続のアドレス情報、及び／又は第２の端末デバイスの識別情報に基づいて第６のＵＰＦを決定し、第６のＵＰＦを介して第２の端末デバイスにデータパケットを送信することができる。
【００９７】
ネットワークデバイスが第６のＵＰＦである場合、第６のＵＰＦが第１の端末デバイスにより送信されたデータパケットを受信し、該データパケットに第３のセッション接続のアドレス情報、及び／又は第２の端末デバイスの識別情報が含まれる。なお、第１の端末デバイスが第６のＵＰＦに送信するデータパケットは、第１の端末デバイスが第５のＵＰＦを介して第６のＵＰＦに送信するデータパケットであってもよい。
【００９８】
第６のＵＰＦは、第３のセッション接続のアドレス情報、及び／又は第２の端末デバイスの識別情報に基づいて、ユーザプレーンを介して第２の端末デバイスにデータパケットを送信することができる。
【００９９】
データパケットに第２の端末デバイスの識別情報が含まれる場合、第６のＵＰＦは、第２の端末デバイスの識別情報に基づいて、第３のセッション接続のアドレスを決定することができる。第６のＵＰＦは、第３のセッション接続識別子をデータパケットにカプセル化し第２の端末デバイスに送信することができる。
【０１００】
なお、第１の端末デバイスがデータパケットにカプセル化する第３のセッション接続識別子は、ネットワークデバイスにより第１の端末デバイスに構成されるものであってもよい。
【０１０１】
任意選択で、上記の第２のセッション接続及び第３のセッション接続が存在する場合、データパケットは、制御プレーンを介して第２の端末デバイスに送信されてもよい。
【０１０２】
第１の端末デバイスにより送信されたデータパケットには、第２のセッション接続の識別子、前記第２のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれてもよい。
【０１０３】
例えば、該データパケットには、第２のセッション接続の情報（例えば、識別子又はアドレス情報）又は第１の端末デバイスの識別子が含まれ、また、第３のセッション接続の情報（例えば、識別子又はアドレス情報）又は第２の端末デバイスの識別情報が含まれ、ネットワークデバイスは、第３のセッション接続の情報又は第２の端末デバイスの識別情報に基づいて直後のホップノードを決定し、第２のセッション接続の情報又は第１の端末デバイスの識別子は、第２の端末デバイスが第１の端末デバイスを識別し及び／又は第１の端末デバイスにデータパケットを送信するために、データパケットにカプセル化されてもよい。
【０１０４】
ネットワークデバイスは、該少なくとも１つの情報に基づいてデータパケットの直後のホップノードを決定することができる。ネットワークデバイスは、制御プレーンを介して、該データパケットを直後のホップノードに送信して、直後のホップノードは、データパケットを第２の端末デバイスに送信する。
【０１０５】
任意選択で、データパケットがルーティングして経由するネットワークノードは、順次に、第１の端末デバイスのＡＭＦ、第１の端末デバイスのＳＭＦ、第１の端末デバイスのＵＰＦ、第２の端末デバイスのＵＰＦ、第２の端末デバイス、又は、第１の端末デバイスのＡＭＦ、第１の端末デバイスのＳＭＦ、第１の端末デバイスのＵＰＦ、第２の端末デバイスのＵＰＦ、第２の端末デバイスのＳＭＦ、第２の端末デバイスのＡＭＦ、第２の端末デバイスである。ここで、アクセスネットワークデバイスは、パススルーの役割を果たすことができる。
【０１０６】
ここで、各ホップの間でカプセル化された情報は、同じであってもよいし、異なってもよく、例えば、第２のセッション接続に対して、各ホップが第２のセッション接続の識別情報をカプセル化し、又は、直前のホップが第２のセッション接続の識別情報をカプセル化し、直後のホップが第２のセッション接続のアドレス情報をカプセル化する。
【０１０７】
任意選択で、ネットワークデバイスがコアネットワーク制御プレーンエンティティであってもよく、該コアネットワーク制御プレーンエンティティが第１の端末デバイスにより送信されたデータパケットを受信し、該データパケットには第１の端末デバイスの識別情報又はアドレス情報（例えば、端末デバイスのＩＰアドレス又はＭＡＣアドレスである）が含まれてもよい。コアネットワーク制御プレーンエンティティは、該第１の端末デバイスの識別情報又はアドレス情報に基づいて、制御プレーンを介して第２の端末デバイスに該データパケットを送信することができる。
【０１０８】
具体的に、コアネットワーク制御プレーンエンティティは、第１の端末デバイスの識別情報又はアドレス情報に基づいて、第２の端末デバイスが接続状態にある場合、制御プレーンを介して第２の端末デバイスにデータパケットを送信することができる。
【０１０９】
第２の端末デバイスがアイドル状態にある場合、コアネットワーク制御プレーンエンティティが第２の端末デバイスにページングメッセージを送信して、該第２の端末デバイスがアイドル状態から接続状態に遷移する。
【０１１０】
任意選択で、該コアネットワーク制御プレーンエンティティがＳＭＦであってもよい。コアネットワーク制御プレーンエンティティが第２の端末デバイスにページングメッセージを送信することは、ＳＭＦがＡＭＦを介して第２の端末デバイスにページングメッセージを送信すると理解されてもよい。
【０１１１】
任意選択で、第２の端末デバイスがアイドル状態にある場合、コアネットワーク制御プレーンエンティティは、第２の端末デバイスの識別情報又はアドレス情報に基づいて、ページングメッセージを利用して制御プレーンを介して第２の端末デバイスにデータパケットを送信することができる。
【０１１２】
具体的に、コアネットワーク制御プレーンエンティティがブロードキャストで端末デバイスにデータパケットを送信してもよく、該データパケットに第２の端末デバイスの識別情報又はアドレス情報が含まれ、第２の端末デバイスは、該データパケットを受信した後、該データパケットに含まれる識別情報又はアドレス情報に基づいて、該データパケットが自分に送信されると決定することができる。
【０１１３】
また、該データパケットには、第１の端末デバイスの識別情報又はアドレス情報が含まれてもよく、このように、第２の端末デバイスは、該データパケットを受信した後、該データパケットの送信元が第１の端末デバイスであると決定することができる。
【０１１４】
図３は本願の実施例における他の無線通信方法を示し、図３の方法はステップ２１０を含む。図３の関連特徴の説明は、図２を参照し、重複を避けるために、ここではその説明を省略する。
【０１１５】
Ｓ２１０において、コアネットワーク制御プレーンエンティティが第１の端末デバイスに第２の端末デバイスとＵＰＦとの間のセッション接続のアドレス情報を送信し、該アドレス情報は、第１の端末デバイスと第２の端末デバイスとが３ＧＰＰネットワークにおいて通信するために使用される。
【０１１６】
本願の実施例に係る技術案は、第２の端末デバイスとＵＰＦとの間にセッション接続を確立した後、コアネットワーク制御プレーンエンティティが第２の端末デバイスとＵＰＦとの間のセッション接続のアドレス情報を第１の端末デバイスに送信し、このように、第１の端末デバイスと第２の端末デバイスとの以降の通信プロセスにおいて、該アドレス情報を直接利用して通信することで、通信プロセスを簡単化させることができる。
【０１１７】
第１の端末デバイスは、該アドレス情報を受信した後、第２の端末デバイスに送信するデータパケットに該アドレス情報をカプセル化してもよい。
【０１１８】
なお、コアネットワーク制御プレーンエンティティは、第１の端末デバイスに第１の端末デバイスとＵＰＦとの間のセッションアドレス情報を送信してもよい。
【０１１９】
そして、第１の端末デバイスは、第１の端末デバイスとＵＰＦとの間のセッションのアドレス情報に基づいて、ユーザプレーンを介して第１の端末デバイスのＵＰＦにデータパケットを送信することができる。
【０１２０】
同様、コアネットワーク制御プレーンエンティティが第２の端末デバイスに第１の端末デバイスとＵＰＦとの間のセッションのアドレス情報を送信してもよい。コアネットワーク制御プレーンエンティティは、第２の端末デバイスに第２の端末デバイスとＵＰＦとの間のセッションのアドレス情報を送信してもよい。
【０１２１】
第１の端末デバイスは、第１の端末デバイスとＵＰＦとの間の接続のアドレス情報をデータパケットにカプセル化し、該データパケットを第２の端末デバイスに送信することができる。第２の端末デバイスは、該データパケットを受信した後、該アドレス情報に基づいて該データパケットの送信元が第１の端末デバイスであると決定することができる。
【０１２２】
任意選択で、第１の端末デバイスのＵＰＦが第２の端末デバイスのＵＰＦと異なる場合、コアネットワーク制御プレーンエンティティは、さらに、該チャネル第１の端末デバイスと第２の端末デバイスとの間の通信のための第１の端末デバイスのＵＰＦと第２の端末デバイスのＵＰＦとの間のチャネルを確立することができる。
【０１２３】
任意選択で、該チャネルは、ＩＰチャネル又は汎用パケット無線サービストンネリングプロトコル（Ｇｅｎｅｒａｌ Ｐａｃｋｅｔ Ｒａｄｉｏ Ｓｅｒｖｉｃｅ Ｔｕｎｎｅｌｌｉｎｇ Ｐｒｏｔｏｃｏｌ、 ＧＴＰ−Ｕ）チャネルであってもよい。
【０１２４】
任意選択で、コアネットワーク制御プレーンエンティティは、第１の端末デバイスにより送信されたサービス要求メッセージを受信し、サービス要求メッセージに第２の端末デバイスの識別情報が含まれる。該識別情報は、第２の端末デバイスの一時識別子、永久識別子又はデバイス番号等であってもよい。
【０１２５】
コアネットワーク制御プレーンエンティティは、該サービス要求メッセージに応答し、第１の端末デバイスにサービス確認メッセージを送信してもよく、該サービス確認メッセージに第２の端末デバイスとＵＰＦとの間のセッションのアドレス情報が含まれる。
【０１２６】
任意選択で、コアネットワーク制御プレーンエンティティが第１の端末デバイスにより送信されたセッション確立要求メッセージを受信し、該セッション確立要求メッセージには第２の端末デバイスの識別情報が含まれる。コアネットワーク制御プレーンエンティティは、該セッション確立要求メッセージに応答し、第１の端末デバイスにセッション確立確定メッセージを送信し、該セッション確認メッセージに第２の端末デバイスとＵＰＦとの間のセッションのアドレス情報が含まれる。
【０１２７】
第２の端末デバイスとＵＰＦとの間にセッション接続が確立されない場合、コアネットワーク制御プレーンエンティティは、第２の端末デバイスのために第２の端末デバイスとＵＰＦとの間の接続を確立することができる。
【０１２８】
具体的に、コアネットワーク制御プレーンエンティティが第２の端末デバイスに要求メッセージを送信し、該要求メッセージが第２の端末デバイスがＵＰＦとの接続を確立するように指示し、該要求メッセージに第１の端末デバイスの識別情報が含まれてもよい。第２の端末デバイスが該要求メッセージを受信した後、ＵＰＦとの接続を確立し、該接続が第１の端末デバイスと第２の端末デバイスとの間の通信に使用される。第２の端末デバイスは、該要求メッセージに応答し、コアネットワーク制御プレーンエンティティに接続確立確認メッセージを送信する。
【０１２９】
任意選択で、第２の端末デバイスがアイドル状態にある場合、コアネットワーク制御プレーンエンティティが第２の端末デバイスのために第２の端末デバイスとＵＰＦとの間の接続を確立する前に、コアネットワーク制御プレーンエンティティが第２の端末デバイスをページングしてもよい。
【０１３０】
任意選択で、コアネットワーク制御プレーンエンティティが第１の端末デバイスのために第１の端末デバイスとＵＰＦとの間の接続を確立することができる。
【０１３１】
任意選択で、コアネットワーク制御プレーンエンティティは、第１の端末デバイスのために第１の端末デバイスとＵＰＦとの間の接続を確立する場合、第１の端末デバイスのためにＵＰＦを選択することができる。
【０１３２】
具体的に、コアネットワーク制御プレーンエンティティは、第２の端末デバイスのＵＰＦを第１の端末デバイスのＵＰＦとし、第１の端末デバイスのために第１の端末デバイスと第２の端末デバイスのＵＰＦとの間の接続を確立することができる。この時、第１の端末デバイスのＵＰＦと第２の端末デバイスのＵＰＦとが、同一のＵＰＦである。又は、コアネットワーク制御プレーンエンティティが第１の端末デバイスと第１の端末デバイスのＵＰＦとの間の接続を確立することができ、この時、第１の端末デバイスのＵＰＦと第２の端末デバイスのＵＰＦとが同一のＵＰＦではない。また、コアネットワーク制御プレーンエンティティは、さらに、第１の端末デバイスのＵＰＦと第２の端末デバイスのＵＰＦとの間の接続チャネルを確立することができる。
【０１３３】
任意選択で、コアネットワーク制御プレーンエンティティが第１の端末デバイスに第２の端末デバイスとＵＰＦとの間のセッションのアドレス情報を送信することは、第２の端末デバイスがＵＰＦとのセッション接続を確立した後、ネットワークデバイスが第１の端末デバイスに第２の端末デバイスとＵＰＦとの間のセッションのアドレス情報に送信するようにトリガーすることであってもよい。
【０１３４】
具体的に、ネットワークシステムにおいて、端末デバイスがＵＰＦとのセッション接続を確立すると、コアネットワーク制御プレーンエンティティが他の端末デバイスに該セッションのアドレス情報を送信して、他の端末デバイスと該端末デバイスとの間の通信に使用される。
【０１３５】
任意選択で、ネットワークデバイスは、第２の端末デバイスとＵＰＦとの間のセッションのアドレス情報をブロードキャストで第１の端末デバイスに送信してもよいし、又は、専用シグナリングで第１の端末デバイスに送信してもよい。
【０１３６】
この方式で第１の端末デバイスがネットワークデバイスに第２の端末デバイスとＵＰＦとの間の接続のアドレス情報を要求せず、ネットワークデバイスが第１の端末デバイスに該情報を能動に送信することで、通信プロセスの遅延を低減させることができる。
【０１３７】
任意選択で、端末デバイスとＵＰＦとの間のセッションのアドレス情報は、ＩＰアドレス、ＭＡＣアドレス又はトンネルエンドポイント識別子（ｔｕｎｎｅｌ ｅｎｄｐｏｉｎｔ ｉｄｅｎｔｉｔｙ、ＴＥＩＤ）であってもよい。
【０１３８】
図４は本願の実施例における無線通信方法の模式図である。図４の方法は、ステップ３１０を含む。
【０１３９】
Ｓ３１０において、ネットワークデバイスは、第１の端末デバイスのために第１の端末デバイスが３ＧＰＰネットワークにおいて第２の端末デバイスと通信するためにセッション接続を確立し、該セッション接続には第１の端末デバイスとＵＰＦとの間のセッション接続が含まれる。
【０１４０】
本願の実施例に係る技術案では、ネットワークデバイスは、第１の端末デバイスのために第２の端末デバイスとの通信に専用されるセッション接続を確立することができ、該セッション接続は、第１の端末デバイスと第２の端末デバイスとが３ＧＰＰネットワーク内部において通信するために使用され、通信遅延を低減させることができる。
【０１４１】
任意選択で、ネットワークデバイスが第１の端末デバイスのために確立する接続は、第２の端末デバイスとの通信に専用される接続であってもよい。
【０１４２】
具体的に、該ネットワークデバイスが第１の端末デバイスに第２の端末デバイスとの通信に専用されるアドレス情報を割り当て、該アドレス情報が第１の端末デバイスとＵＰＦとの間のセッション接続のアドレス情報である。
【０１４３】
例えば、第１の端末デバイスは、該専用されるアドレス情報をデータパケットにカプセル化し、ＵＰＦに送信してもよい。ＵＰＦは、該データパケットを受信した後、該アドレス情報に基づいて該データパケットが第２の端末デバイスに送信されると決定することができる。
【０１４４】
任意選択で、ネットワークデバイスが第１の端末デバイスにより送信されたセッション確立要求メッセージを受信し、該セッション確立要求メッセージに第２の端末デバイスの識別情報が含まれる。該ネットワークデバイスは、該セッション確立要求メッセージに応答し、第１の端末デバイスのために第１の端末デバイスと第２の端末デバイスとの通信のセッション接続を確立することができる。
【０１４５】
第２の端末デバイスとＵＰＦとの間のセッション接続は、共用されるセッション接続であってもよいし、第１の端末デバイスに専用されるものであってもよい。
【０１４６】
任意選択で、第２の端末デバイスがＵＰＦとの共通セッション接続を確立した時、ネットワークデバイスは、該共通セッション接続に基づいて、第１の端末デバイスのために第１の端末デバイスと第２の端末デバイスとの通信のセッション接続を確立することができる。
【０１４７】
第２の端末デバイスとＵＰＦとの間のセッション接続が共通セッション接続に属する場合、ネットワークデバイスは、第１の端末デバイスのＵＰＦにおいて、第１の端末デバイスと第２の端末デバイスとの通信のセッション接続のアドレス情報と、該共通セッション接続のアドレス情報との関連関係を作成することができる。
【０１４８】
該共通セッション接続は、第２の端末デバイスが該共通セッション接続を介して各端末デバイスと通信することができる。
【０１４９】
第２の端末デバイスとＵＰＦとの間のセッション接続が第１の端末デバイスに専用される場合、第２の端末デバイスが第１の端末デバイスにデータパケットを送信する時に、第２の端末デバイスとＵＰＦとの間のセッションのアドレス情報を該データパケットにカプセル化することができる。このように、第１の端末デバイスは、該データパケットを受信した後、第２の端末デバイスとＵＰＦとの間のセッションのアドレス情報に基づいて、該データパケットの送信元が第２の端末デバイスであると決定する。
【０１５０】
任意選択で、第２の端末デバイスがアイドル状態にある場合、該ネットワークデバイスが第２の端末デバイスをページングして、第２の端末デバイスがセッション接続確立要求を送信するようにトリガーする。
【０１５１】
該ネットワークデバイスがＳＭＦであってもよく、ＳＭＦが第２の端末デバイスをページングすることは、ＳＭＦがＡＭＦを介して第２の端末デバイスをページングすることであってもよい。
【０１５２】
任意選択で、ネットワークデバイスは、第１の端末デバイスのために第１の端末デバイスが３ＧＰＰネットワークにおいて第２の端末デバイスと通信するためのセッション接続を確立する時に、第１の端末デバイスのために第２の端末デバイスと同じであるＵＰＦを選択し、第１の端末デバイスと該ＵＰＦとの間のセッション接続を確立することができる。
【０１５３】
第１の端末デバイスのＵＰＦが第２の端末デバイスのＵＰＦと異なる場合、該ネットワークデバイスは、さらに、第１の端末デバイスのＵＰＦと第２の端末デバイスのＵＰＦとの間の接続を確立することができる。
【０１５４】
図５は本願の実施例における他の無線通信方法の模式図である、図５の方法は、ステップ４１０を含む。
【０１５５】
Ｓ４１０において、第１の端末デバイスが第２の端末デバイスにデータパケットを送信し、該データパケットには、第２の端末デバイスとＵＰＦとの間のセッション接続のアドレス情報、又は、第１の端末デバイスとＵＰＦとの間のセッション接続のアドレス情報が含まれ、該第１の端末デバイスとＵＰＦとの間のセッション接続は、第１の端末デバイスが３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０１５６】
第１の端末デバイスとＵＰＦとの間のセッション接続が第１の端末デバイスが３ＧＰＰネットワークにおいて第２の端末デバイスと通信するために専用されることは、ＵＰＦが該専用されるアドレス情報に基づいて該データパケットが第２の端末デバイスに送信されると決定することができる。
【０１５７】
本願の実施例に係る技術案では、第１の端末デバイスが第２の端末デバイスとが３ＧＰＰネットワーク内部において通信することができ、外部サーバーを介して解析やカプセル化等のプロセスが必要ではなく、遅延を低減させることができる。また、第１の端末デバイスとＵＰＦとの間のセッション接続のアドレス情報が第１の端末デバイスと第２の端末デバイスとの３ＧＰＰネットワーク内の通信に専用されるため、ネットワークデバイスは、データパケットに他の情報をカプセル化せず、該アドレス情報に基づいてデータパケットを第２の端末デバイスに直接にルーティングすることで、通信プロセスを簡単化させることができる。
【０１５８】
任意選択で、第１の端末デバイスが第２の端末デバイスにデータパケットを送信する前に、第１の端末デバイスは、ネットワークデバイスにより送信された第２の端末デバイスとＵＰＦとの間のセッション接続のアドレス情報、又は第１の端末デバイスとＵＰＦとの間のセッション接続のアドレス情報を受信することができる。
【０１５９】
第１の端末デバイスは、第２の端末デバイスとＵＰＦとの間のセッション接続のアドレス情報をデータパケットにカプセル化し、データパケットを第２の端末デバイスに送信することができる。このように、データパケットがルーティングするネットワークノードは、第２の端末デバイスとＵＰＦとの間のセッション接続のアドレス情報に基づいて、データパケットの受信先が第２の端末デバイスであると決定し、データパケットを第２の端末デバイスに送信することができる。
【０１６０】
第１の端末デバイスは、第１の端末デバイスとＵＰＦとの間のセッション接続のアドレス情報をデータパケットにカプセル化し、該データパケットを第２の端末デバイスに送信することができる。第１の端末デバイスとＵＰＦとの間のセッション接続のアドレス情報が第２の端末デバイスに専用されるため、データパケットがルーティングするネットワークノードは、第１の端末デバイスとＵＰＦとの間のセッション接続のアドレス情報に基づいて、データパケットの受信先が第２の端末デバイスであると決定し、該データパケットを第２の端末デバイスに送信することができる。
【０１６１】
任意選択で、第２の端末デバイスとＵＰＦとの間のセッション接続のアドレス情報は、ブロードキャスト情報又は専用シグナリングに搬送される。
【０１６２】
例えば、第１の端末デバイスは、ブロードキャスト情報の到着によってネットワークデバイスにより送信された第２の端末デバイスとＵＰＦとの間のセッション接続のアドレス情報を受信し、又は、専用シグナリングでネットワークデバイスにより送信された第２の端末デバイスとＵＰＦとの間のセッション接続のアドレス情報を受信する。該専用シグナリングは、例えば、ＲＲＣシグナリング等である。
【０１６３】
図６は本願の実施例におけるＵＥ ＡとＵＥ Ｂとの間のセッション接続の確立方法の模式図である。
【０１６４】
ステップ５１０において、ＵＥ ＡがＳＭＦに要求メッセージを送信し、該要求メッセージにＵＥ Ｂの識別情報が含まれ、ＵＥ ＡとＵＥ Ｂとの間の接続を確立するために使用される。該要求メッセージは、セッション確立要求メッセージ、又は、サービス要求メッセージであってもよい。
【０１６５】
ステップ５２０において、ＳＭＦが要求メッセージを受信した後、ＵＥ ＢがＵＰＦ Ｂとのセッション接続を確立するかどうかを判断する。
【０１６６】
ＵＥ ＢとＵＰＦ Ｂにセッション接続があり、ＵＥ Ｂが接続状態にある場合、ステップ５９０に移行する。
【０１６７】
ＵＥ ＢとＵＰＦ Ｂにセッション接続があり、ＵＥ Ｂがアイドル状態にある場合、ステップ５４０に移行する。
ＵＥ ＢとＵＰＦ Ｂにセッション接続がない場合、ステップ５３０に移行する。
【０１６８】
ステップ５３０において、ＳＭＦがＡＭＦにＵＥ Ｂをページングするように要求する。
【０１６９】
ステップ５４０において、ＡＭＦがＵＥ Ｂをページングする。
【０１７０】
ステップ５５０において、ＡＭＦがＵＥ Ｂをページングした場合、ＳＭＦにページング応答メッセージを送信する。
【０１７１】
ＵＥ Ｂがアイドル状態から接続状態に遷移し、ＵＥ ＢとＵＰＦ Ｂにセッション接続がある場合、ステップ５９０に移行する。
【０１７２】
ＵＥ Ｂがアイドル状態から接続状態に遷移し、ＵＥ ＢとＵＰＦ Ｂにセッション接続がない場合、ステップ５６０を実行する。
【０１７３】
ステップ５６０において、ＳＭＦがＵＥ Ｂにセッション接続確立の要求メッセージを送信し、要求メッセージにＵＥ Ａの識別情報が含まれる。
【０１７４】
ステップ５７０において、ＵＥ ＢがＰＤＵとのセッション接続を確立し、セッション接続確立の要求メッセージに応答する。
【０１７５】
ステップ５８０において、ＳＭＦがＵＰＦ ＡとＵＰＦ Ｂとの間のチャネルを確立する。該チャネルは、ＵＥ Ａ及びＵＥ Ｂのそれぞれのセッション接続に接続される。
【０１７６】
ステップ５９０において、ＳＭＦがＵＥ Ａに確認メッセージを送信し、該確認メッセージにＵＥ Ｂのアドレス情報が含まれる。
【０１７７】
図６に示す技術案では、ネットワークデバイスが第１の端末デバイスのために第２の端末デバイスとのセッション接続を確立することができ、ＵＥ ＡとＵＰＦ Ａとの間の接続、ＵＥ ＢとＵＰＦ Ｂとの間の接続及びＵＰＦ ＡとＵＰＦ Ｂとの間の接続を含み、該セッション接続は、第１の端末デバイスと第２の端末デバイスとが３ＧＰＰネットワーク内部において通信するために使用され、伝送遅延を低減させることができる。
【０１７８】
図７は本願の実施例における無線通信方法の模式図である。
【０１７９】
図７に示す方法は、ＵＥ Ａがユーザプレーンを介してＵＥ Ｂにデータパケットを送信するプロセスであり、また、ＵＥ ＡとＵＰＦ ＡとがＵＥ Ｂとの通信に専用される接続を確立し、ＵＥ ＢとＵＰＦ ＢとがＵＥ Ａと通信するために専用される接続を確立し、ＵＰＦ ＡとＵＰＦ ＢとがＵＥ ＡとＵＥ Ｂと通信するために専用される接続を確立する。
【０１８０】
ＵＥ ＡとＵＥ Ｂとの間の接続が第１のセッション接続であり、第１のセッション接続は、ＵＥ ＡとＵＰＦ Ａとの間のセッションのアドレス情報、ＵＰＦ ＡとＵＰＦ Ｂとの間の接続のアドレス情報、ＵＥ ＢとＵＰＦ Ｂとの間のセッションのアドレス情報を含む。
【０１８１】
ここで、第１のセッション接続に含まれるアドレス情報が互いに関連してもよく、例えば、あるアドレス情報に基づいて他の２つのアドレス情報を一意に決定することができる。
【０１８２】
任意選択で、第１のセッション接続に第１のセッション接続の識別情報が含まれ、該識別情報に基づいて上記の３つのアドレス情報を一意に決定することができる。
【０１８３】
以下、データパケットにはＵＥ ＡとＵＰＦ Ａとの間のセッションアドレス情報が含まれることを例として説明する。
【０１８４】
ステップ６１０において、ＵＥ ＡがＵＰＦ Ａにデータパケットを送信し、該データパケットにはＵＥ ＡとＵＰＦ Ａとの間のセッションのアドレス情報が含まれる。
【０１８５】
ステップ６２０において、ＵＰＦ Ａが該データパケットを受信した後、ＵＥ ＡとＵＰＦ Ａとの間のセッションのアドレス情報に基づいて、ＵＰＦ ＡとＵＰＦ Ｂとの間の接続のアドレス情報を決定することができる。ＵＰＦ Ａは、ＵＰＦ ＡとＵＰＦ Ｂとの間の接続のアドレス情報をデータパケットにカプセル化し、該データパケットをＵＰＦ Ｂに送信することができる。
【０１８６】
ステップ６３０において、ＵＰＦ Ｂは、データパケットを受信した後、データパケットに含まれるＵＰＦ ＡとＵＰＦ Ｂとの間の接続のアドレス情報に基づいて、ＵＰＦ ＢとＵＥ Ｂとの間のセッションのアドレス情報を決定することができる。ＵＰＦ Ｂは、ＵＰＦ ＢとＵＥ Ｂとの間のセッションのアドレス情報をデータパケットにカプセル化し、ＵＥ Ｂに送信することができる。
【０１８７】
図８は本願の実施例における他の無線通信方法の模式図である。図８に示す方法は、ＵＥ Ａが制御プレーンを介してＵＥ Ｂにデータパケットを送信するプロセスである。
【０１８８】
図８において隣接するノードの間のアドレス情報が互いに関連され、ＵＥ ＡとＵＥ Ｂとが専用される第１のセッション接続を確立する。
【０１８９】
ステップ７１０において、ＵＥ Ａは、送信されるデータパケットを制御プレーンデータパケットとしてカプセル化し、該データパケットをＡＭＦに送信する。該データパケットには、第１のセッション接続識別子、第１のセッション接続のアドレス情報、ＵＥ Ａの識別情報、ＵＥ Ｂの識別情報のうちの少なくとも１つが含まれる。
【０１９０】
ここで、制御プレーンデータパケットは、ＮＡＳ（ｎｅｔｗｏｒｋ ａｔｔａｃｈｅｄ ｓｔｏｒａｇｅ）ＰＤＵであってもよい。
【０１９１】
第１のセッション接続のアドレス情報には、ＵＥ ＡとＳＭＦとの接続のアドレス情報、ＳＭＦとＵＰＦ Ａとの接続のアドレス情報、ＵＰＦ ＡとＵＰＦ Ｂとの接続のアドレス情報、ＵＰＦ ＢとＵＥ  Ｂとの接続のアドレス情報が含まれる。
【０１９２】
第１のセッション接続に含まれる各アドレス情報が互いに関連され、あるアドレス情報に基づいて他のアドレス情報を一意に決定することができる。
【０１９３】
ステップ７２０において、ＡＭＦは、該データパケットを受信した後、該データパケットをカプセル化解除し、データパケットに含まれる少なくとも１つの情報に基づいて、直後のホップノードがＵＰＦ Ａであると決定する。ＡＭＦは、データパケットをカプセル化しＵＰＦ Ａに送信し、データパケットにＵＥ Ａ、ＵＥ Ｂの識別情報が含まれる。
【０１９４】
ステップ７３０において、ＵＰＦ Ａは、該データパケットを受信した後、該データパケットをカプセル化解除し、該少なくとも１つの情報に基づいて、直後のホップノードがＵＰＦ Ｂであると決定する。ＵＰＦ Ａは、データパケットをカプセル化しデータパケットをＵＰＦ Ｂに送信し、データパケットにＵＥ Ａ、ＵＥ Ｂの識別情報が含まれる。
【０１９５】
ステップ７４０において、ＵＰＦ Ｂは、該データパケットを受信した後、該データパケットをカプセル化解除し、該少なくとも１つの情報に基づいて、直後のホップノードがＵＥ Ｂであると決定する。ＵＰＦ Ｂは、データパケットをカプセル化しＵＥ Ｂに送信し、データパケットにＵＥ Ａ、ＵＥ Ｂの識別情報が含まれる。
【０１９６】
ＵＥ Ｂは、該データパケットを受信した後、該少なくとも１つの情報に基づいてデータパケットの送信元がＵＥ Ａであると決定する。
【０１９７】
ＵＥ ＢがＵＥ Ａにデータパケットを送信する場合、図８に示すルーティングでＵＥ Ａに送信してもよい。
【０１９８】
図８に示す方法において、ＵＰＦ ＡとＵＰＦ Ｂとが同一のＵＰＦであってもよい。ＡＭＦがデータパケットを該のＵＰＦに送信し、該ＵＰＦからＵＥ Ｂに送信してもよい。
【０１９９】
図９は本願の実施例における他の無線通信方法の模式図である。
【０２００】
図９に示す方法は、ネットワークデバイスの直接ルーティングでＵＥ ＡからのデータパケットをＵＥ Ｂにルーティングする。
【０２０１】
任意選択で、該ネットワークデバイスがＡＭＦであってもよい。
【０２０２】
ステップ８１０において、ＵＥ ＡがＡＭＦにデータパケットを送信し、該データパケットには、ＵＥ Ａのアドレス又は識別子、及びＵＥ Ｂのアドレス又は識別子が含まれる。
【０２０３】
該データパケットが制御プレーンデータパケットであり、例えば、該データパケットがＮＡＳ ＰＤＵである。
【０２０４】
ステップ８２０において、ＡＭＦは、該データパケットを受信した後、該データパケットをカプセル化解除し、ＵＥ Ｂのアドレス又は識別子情報を取得し、次に、ＵＥ Ｂのアドレス又は識別子情報に基づいてＵＥ Ｂのアクセスネットワークを選択する。
【０２０５】
ＡＭＦは、データパケットをカプセル化し、カプセル化されたデータパケットをＵＥ Ｂのアクセスネットワークに送信する。ここで、カプセル化されたデータパケットにＵＥ Ａのアドレス又は識別子、ＵＥ Ｂのアドレス又は識別子が含まれる。
【０２０６】
ステップ８３０において、ＵＥ Ｂのアクセスネットワークは、該データパケットを受信した後、データパケットにおけるＵＥ Ｂのアドレス又は識別子に基づいて、直後のホップノードがＵＥ Ｂであると決定し、データパケットをＵＥ Ｂに送信する。
【０２０７】
ＵＥ Ｂは、データパケットを受信した後、データパケットをカプセル化解除してＵＥ Ａのアドレス又は識別子を取得し、データパケットの送信元がＵＥ Ａであると決定する。ＵＥ Ｂは、ＵＥ Ａのアドレス又は識別子に基づいてＵＥ Ａにデータパケットを送信することができる。
【０２０８】
任意選択で、ＡＭＦがブロードキャストでＵＥ Ｂにデータパケットを送信する場合、専用シグナリングでＵＥ Ｂにデータパケットを送信してもよい。
【０２０９】
ＵＥ Ｂがアイドル状態にある場合、ＡＭＦがブロードキャストでＵＥ Ｂにデータパケットを送信する。ＵＥ Ｂがデータパケットを受信した後、データパケットに含まれるＵＥ Ｂのアドレス又は識別子に基づいて、該データパケットが自分に送信されると決定する。
【０２１０】
ＵＥ Ｂがアイドル状態にある場合、ＡＭＦがＵＥ Ｂをページングして、ＵＥ Ｂがアイドル状態から接続状態に遷移する。この時、ＡＭＦが専用シグナリングでＵＥ Ｂにデータパケットを送信することができる。
【０２１１】
勿論、ＵＥ Ｂが接続状態かアイドル状態かにあるに関わらず、ＡＭＦは、ブロードキャストでＵＥ Ｂにデータパケットを送信することができる。
【０２１２】
以上、図１〜図８を参照して無線通信方法を説明したが、以下、図１０〜図１６を参照して本願の実施例に係る装置を説明し、方法の実施例に記載の技術的特徴は以下の装置の実施例に適用される。
【０２１３】
図１０は本願の実施例におけるネットワークデバイス９００のブロック図である。図１０に示すように、該ネットワークデバイス９００は、通信ユニット９１０を含み、通信ユニット９１０は、第１の端末デバイスから第３世代パートナーシッププロジェクト３ＧＰＰネットワークにおける制御プレーンまたはユーザプレーンを介して伝送されたデータパケットを受信し、３ＧＰＰネットワークにおける制御プレーンまたはユーザプレーンを介して第２の端末デバイスに前記データパケットを送信するように構成される。
【０２１４】
任意選択で、前記第１の端末デバイスと前記第２の端末デバイスとの間に第１のセッション接続が存在し、前記第１のセッション接続が前記第１の端末デバイスと前記第２の端末デバイスとの間の通信に使用され、前記データパケットは、前記第１のセッション接続を利用してユーザプレーンを介して前記ネットワークデバイス８００に送信され、前記通信ユニット９１０は、さらに、第１のセッション接続を利用して前記３ＧＰＰネットワークにおけるユーザプレーンを介して前記第２の端末デバイスに前記データパケットを送信するように構成される。
【０２１５】
任意選択で、前記第１の端末デバイスのユーザプレーン機能ＵＰＦと前記第２の端末デバイスのＵＰＦとが同一の第１のＵＰＦであり、前記ネットワークデバイス９００が前記第１のＵＰＦである。
【０２１６】
任意選択で、前記ネットワークデバイス９００が受信するデータパケットには、前記第１のセッション接続において第１の端末デバイスと第１のＵＰＦとの間の接続の第１のアドレス情報が含まれ、ネットワークデバイス９００が処理ユニットをさらに含み、処理ユニットは、第１のアドレス情報に基づいて第２のアドレス情報を決定し、第２のアドレス情報は、第１のセッション接続において第２の端末デバイスと第１のＵＰＦとの間の接続の第２のアドレス情報であり、通信ユニット９１０は、さらに、前記データパケットに前記第２のアドレス情報をカプセル化し、前記第２の端末デバイスに前記データパケットを送信するように構成される。
【０２１７】
任意選択で、前記第１の端末デバイスのＵＰＦが第２のＵＰＦであり、前記第２の端末デバイスのＵＰＦが前記第２のＵＰＦではない第３のＵＰＦであり、前記ネットワークデバイス９００が前記第２のＵＰＦである。
【０２１８】
任意選択で、ネットワークデバイス９００が受信するデータパケットには、第１のセッション接続において第１の端末デバイスと第２のＵＰＦとの間の接続の第３のアドレス情報が含まれ、処理ユニットは、さらに、前記第３のアドレス情報に基づいて第４のアドレス情報を決定するように構成され、前記第４のアドレス情報は、前記第１のセッション接続において前記第２のＵＰＦと前記第３のＵＰＦとの間の接続の第４のアドレス情報であり、通信ユニット９１０は、さらに、データパケットに前記第４のアドレス情報をカプセル化し、前記第３のＵＰＦを介して前記第２の端末デバイスに前記データパケットを送信するように構成される。
【０２１９】
任意選択で、前記第１の端末デバイスのＵＰＦが第２のＵＰＦであり、前記第２の端末デバイスのＵＰＦが前記第２のＵＰＦではない第３のＵＰＦであり、前記ネットワークデバイス９００が前記第３のＵＰＦである。
【０２２０】
任意選択で、前記ネットワークデバイス９００が受信する前記データパケットには、前記第１のセッション接続において前記第２のＵＰＦと前記第３のＵＰＦとの間の接続の第４のアドレス情報が含まれ、前記処理ユニットは、さらに、前記第４のアドレス情報に基づいて第５のアドレス情報を決定するように構成され、前記第５のアドレス情報が前記第１のセッション接続において第３のＵＰＦと前記第２の端末デバイスとの間の接続のアドレス情報であり、前記通信ユニット９１０は、さらに、データパケットに前記第５のアドレス情報をカプセル化し、前記第２の端末デバイスに前記データパケットを送信するように構成される。
【０２２１】
任意選択で、前記ネットワークデバイス９００がコアネットワークエンティティであり、前記データパケットには、前記第１のセッション接続の識別子、前記第１のセッション接続のアドレス情報、前記第１の端末デバイスの識別情報及び前記第２の端末デバイスの識別情報のうちの少なくとも１つの情報が含まれ、前記データパケットが制御プレーンを介して前記ネットワークデバイス９００に伝送され、前記処理ユニットは、さらに、前記少なくとも１つの情報に基づいて前記データパケットの直後のホップノードを決定するように構成され、前記通信ユニット９１０は、さらに、制御プレーンを介して前記データパケットを前記直後のホップノードに送信して、前記直後のホップノードが前記データパケットを前記第２の端末デバイスに送信する。
【０２２２】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦと前記第２の端末デバイスのＵＰＦとが同一の第４のＵＰＦであり、前記ネットワークデバイス９００が前記第４のＵＰＦである。
【０２２３】
任意選択で、前記データパケットには前記第３のセッション接続のアドレス情報及び／又は前記第２の端末デバイスの識別情報が含まれ、前記通信ユニット９１０は、さらに、前記第３のセッション接続のアドレス情報、及び／又は前記第２の端末デバイスの識別情報に基づいて、ユーザプレーンを介して前記第２の端末デバイスに前記データパケットを送信するように構成される。
【０２２４】
任意選択で、前記処理ユニットは、さらに、前記第２の端末デバイスの識別情報に基づいて前記第３のセッション接続のアドレス情報を決定するように構成され、前記通信ユニット９１０は、さらに、前記ネットワークデバイス９００が前記データパケットに前記第３のセッション接続のアドレス情報をカプセル化し、前記第２の端末デバイスに前記データパケットを送信するように構成される。
【０２２５】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイス９００が前記第５のＵＰＦである。
【０２２６】
任意選択で、前記データパケットには前記第３のセッション接続のアドレス情報及び／又は前記第２の端末デバイスの識別情報が含まれ、前記処理ユニットは、さらに、前記第３のセッション接続のアドレス情報、及び／又は前記第２の端末デバイスの識別情報に基づいて第６のＵＰＦを決定するように構成され、前記通信ユニット９１０は、さらに、前記第６のＵＰＦを介して前記第２の端末デバイスに前記データパケットを送信するように構成される。
【０２２７】
任意選択で、前記第１の端末デバイスとＵＰＦとの間に第２のセッション接続が存在し、前記第２の端末デバイスとＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイス９００が前記第６のＵＰＦである。
【０２２８】
任意選択で、前記データパケットには前記第３のセッション接続のアドレス情報又は前記第２の端末デバイスの識別情報が含まれ、前記通信ユニット９１０は、さらに、前記第３のセッション接続のアドレス情報又は前記第２の端末デバイスの識別情報に基づいて、ユーザプレーンを介して前記第２の端末デバイスに前記データパケットを送信するように構成される。
【０２２９】
任意選択で、処理ユニットは、さらに、第２の端末デバイスの識別情報に基づいて第３のセッション接続のアドレス情報を決定するように構成され、通信ユニット９１０は、さらに、データパケットに第３のセッション接続のアドレス情報をカプセル化し、第２の端末デバイスに該データパケットを送信するように構成される。
【０２３０】
任意選択で、第１の端末デバイスとＵＰＦとの間に第２のセッション接続が存在し、第２の端末デバイスとＵＰＦとの間に第３のセッション接続が存在し、データパケットには、前記第２のセッション接続の識別子、前記第２のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれ、前記データパケットが制御プレーンを介して前記ネットワークデバイス９００に伝送され、前記処理ユニットは、さらに、前記少なくとも１つの情報に基づいて前記データパケットの直後のホップノードを決定するように構成され、前記通信ユニット９１０は、さらに、制御プレーンを介して前記データパケットを前記直後のホップノードに送信して、前記直後のホップノードが前記データパケットを前記第２の端末デバイスに送信する。
【０２３１】
任意選択で、前記ネットワークデバイス９００がコアネットワーク制御プレーンエンティティであり、前記ネットワークデバイス９００が受信するデータパケットには第２の端末デバイスの識別情報又はアドレス情報が含まれ、前記通信ユニット９１０は、さらに、前記第２の端末デバイスの識別情報又はアドレス情報に基づいて、制御プレーンを介して前記第２の端末デバイスに前記データパケットを送信するように構成される。
【０２３２】
任意選択で、前記通信ユニット９１０は、さらに、前記第２の端末デバイスの識別情報又はアドレス情報に基づいて、前記第２の端末デバイスが接続状態にある場合、制御プレーンを介して前記第２の端末デバイスに前記データパケットを送信するように構成される。
【０２３３】
任意選択で、前記通信ユニット９１０は、さらに、前記第２の端末デバイスがアイドル状態にある場合、前記第２の端末デバイスにページングメッセージを送信して、前記第２の端末デバイスがアイドル状態から接続状態に遷移する。
【０２３４】
任意選択で、前記通信ユニット９１０は、さらに、前記第２の端末デバイスがアイドル状態にある場合、前記第２の端末デバイスの識別情報又はアドレス情報に基づいて、ページングメッセージで制御プレーンを介して前記第２の端末デバイスに前記データパケットを送信するように構成される。
【０２３５】
なお、該ネットワークデバイス９００は、図２に示すネットワークデバイスに対応してもよく、図２に示すネットワークデバイスにより実現される対応する動作を実現してもよく、簡潔にするために、ここでその説明を省略する。
【０２３６】
図１１は本願の実施例におけるコアネットワーク制御プレーンエンティティ１０００のブロック図である。該コアネットワーク制御プレーンエンティティ１０００は、通信ユニット１０１０を含む。
【０２３７】
ここで、通信ユニット１０１０は、第１の端末デバイスに第２の端末デバイスとＵＰＦとの間のセッション接続のアドレス情報を送信するように構成され、前記アドレス情報は、第１の端末デバイスと第２の端末デバイスとが３ＧＰＰネットワークにおいて通信するために使用される。
【０２３８】
任意選択で、前記通信ユニット１０１０は、さらに、前記第２の端末デバイスに前記第１の端末デバイスとＵＰＦとの間のセッションのアドレス情報を送信するように構成される。
【０２３９】
任意選択で、該コアネットワーク制御プレーンエンティティ１０００が処理ユニットをさらに含み、処理ユニットは、前記第１の端末デバイスのＵＰＦが前記第２の端末デバイスのＵＰＦと異なる場合、第１の端末デバイスと第２の端末デバイスとの間の通信のための前記第１の端末デバイスのＵＰＦと前記第２の端末デバイスのＵＰＦとの間のチャネルを確立するように構成される。
【０２４０】
任意選択で、前記チャネルは、ＩＰチャネル又は汎用パケット無線サービストンネリングプロトコルＧＴＰ−Ｕチャネルである。
【０２４１】
任意選択で、前記通信ユニット１０１０は、さらに、前記第１の端末デバイスにより送信されたサービス要求メッセージを受信し、前記サービス要求メッセージに前記第２の端末デバイスの識別情報が含まれ、前記サービス要求メッセージに応答し、サービス確認メッセージで第１の端末デバイスに第２の端末デバイスとＵＰＦとの間のセッションのアドレス情報を送信するように構成される。
【０２４２】
任意選択で、前記通信ユニット１０１０は、さらに、前記第１の端末デバイスにより送信されたセッション確立要求メッセージを受信し、前記セッション確立要求メッセージに前記第２の端末デバイスの識別情報が含まれ、前記セッション確立要求メッセージに応答し、セッション確立確認メッセージで第１の端末デバイスに第２の端末デバイスとＵＰＦとの間のセッションのアドレス情報を送信するように構成される。
【０２４３】
任意選択で、該コアネットワーク制御プレーンエンティティ１０００が処理ユニットをさらに含み、処理ユニットは、前記第２の端末デバイスがＵＰＦとのセッションを確立しない場合、前記第２の端末デバイスのために前記第２の端末デバイスとＵＰＦとの間の接続を確立するように構成される。
【０２４４】
任意選択で、前記通信ユニット１０１０は、さらに、前記第２の端末デバイスをページングするように構成される。
【０２４５】
任意選択で、該コアネットワーク制御プレーンエンティティ１０００が処理ユニットをさらに含み、処理ユニットは、前記第１の端末デバイスのために前記第１の端末デバイスと前記ＵＰＦとの間の接続を確立するように構成される。
【０２４６】
任意選択で、前記処理ユニットが前記第１の端末デバイスと前記ＵＰＦとの間の接続を確立する時に、前記第１の端末デバイスのために選定されたＵＰＦが前記第２の端末デバイスのＵＰＦと同じである。
【０２４７】
任意選択で、前記通信ユニット１０１０は、さらに、前記第２の端末デバイスとＵＰＦとのセッションを確立した後、第１の端末デバイスに第２の端末デバイスとＵＰＦとの間のセッションのアドレス情報を送信するように構成される。
【０２４８】
任意選択で、前記アドレス情報は、ブロードキャストメッセージ又は専用シグナリングに搬送される。
【０２４９】
任意選択で、前記アドレス情報は、ＩＰアドレス、媒体アクセス制御ＭＡＣアドレス又はトンネルエンドポイント識別子ＴＥＩＤである。
【０２５０】
なお、該コアネットワーク制御プレーンエンティティ１０００は、図３に示すコアネットワーク制御プレーンエンティティに対応し、該図３に示すコアネットワーク制御プレーンエンティティの対応する操作を実現し、簡潔にするために、ここでその説明を省略する。
【０２５１】
図１２は本願の実施例におけるネットワークデバイス１１００のブロック図である。該ネットワークデバイス１１００が処理ユニット１１１０を含み、処理ユニット１１１０は、第１の端末デバイスのために、第１の端末デバイスが第３世代パートナーシッププロジェクト３ＧＰＰネットワークにおいて前記第２の端末デバイスと通信するためのセッション接続を確立するように構成され、前記セッション接続が前記第１の端末デバイスとユーザプレーン機能ＵＰＦとの間のセッション接続を含む。
【０２５２】
任意選択で、前記処理ユニット１１１０は、さらに、前記第１の端末デバイスのために前記第２の端末デバイスと通信するためのアドレス情報を割り当て、前記アドレス情報が前記第１の端末デバイスとＵＰＦとの間のセッション接続のアドレス情報である。
【０２５３】
任意選択で、ネットワークデバイス１１００が通信ユニットをさらに含み、通信ユニットは、前記第１の端末デバイスにより送信されたセッション確立要求を受信し、前記セッション確立要求に前記第２の端末デバイスの識別情報が含まれ、前記処理ユニット１１１０は、さらに、前記セッション確立要求に応答し、第１の端末デバイスのために前記第１の端末デバイスが前記第２の端末デバイスと通信するセッション接続を確立するように構成される。
【０２５４】
任意選択で、前記処理ユニット１１１０は、さらに、第２の端末デバイスがＵＰＦとの共通セッション接続を確立した場合、共通セッション接続に基づいて、第１の端末デバイスのために前記第１の端末デバイスが前記第２の端末デバイスと通信するセッション接続を確立するように構成される。
【０２５５】
任意選択で、前記処理ユニット１１１０は、さらに、第１の端末デバイスのＵＰＦにおいて、第１の端末デバイスと前記第２の端末デバイス通信とのセッション接続のアドレス情報と、前記共通セッション接続のアドレス情報との関連関係を確立するように構成される。
【０２５６】
任意選択で、前記処理ユニット１１１０は、さらに、第２の端末デバイスのために第２のセッション接続を確立し、第２のセッション接続は、前記第２の端末デバイスとＵＰＦとの間のセッション接続であり、第２の端末デバイスと第１の端末デバイスとの通信に使用される。
【０２５７】
任意選択で、ネットワークデバイス１０００が通信ユニットをさらに含み、通信ユニットは、前記第２の端末デバイスがアイドル状態にある場合、前記第２の端末デバイスをページングして、前記第２の端末デバイスがセッション接続確立要求を送信するようにトリガーするように構成される。
【０２５８】
任意選択で、前記処理ユニット１１１０は、さらに、前記第１の端末デバイスのために前記第２の端末デバイスと同じであるＵＰＦを選定するように構成される。
【０２５９】
任意選択で、前記処理ユニット１１１０は、さらに、前記第１の端末デバイスのＵＰＦが前記第２の端末デバイスのＵＰＦと異なる場合、前記第１の端末デバイスのＵＰＦと前記第２の端末デバイスのＵＰＦとの間の接続を確立するように構成される。
【０２６０】
なお、該ネットワークデバイス１１００は図４に示すネットワークデバイスに対応してもよく、該図４に示すネットワークデバイスにより実現される対応する動作を実現してもよく、簡潔にするために、ここでその説明を省略する。
【０２６１】
図１３は本願の実施例における端末デバイス１２００のブロック図である。該端末デバイス１２００が通信ユニット１２１０をさらに含み、通信ユニット１２１０は、第２の端末デバイスにデータパケットを送信するように構成され、前記データパケットが第２の端末デバイスとユーザプレーン機能ＵＰＦとの間のセッション接続のアドレス情報又は第１の端末デバイスとＵＰＦとの間のセッション接続のアドレス情報を含み、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される。
【０２６２】
任意選択で、前記通信ユニット１２１０は、さらに、ネットワークデバイスにより送信された第２の端末デバイスとＵＰＦとの間のセッション接続のアドレス情報又は第１の端末デバイスとＵＰＦとの間のセッション接続のアドレス情報を受信するように構成される。
【０２６３】
任意選択で、前記第２の端末デバイスとＵＰＦとの間のセッション接続のアドレス情報は、ブロードキャスト情報又は専用シグナリングに搬送される。
【０２６４】
なお、該端末デバイス１２００は、図５に示す第１の端末デバイスに対応し、図５に示す第１の端末デバイスにより実現される相応の操作を実現することができ、簡潔にするために、ここでは詳しい説明を省略する。
【０２６５】
図１４は、本願の実施例に係る通信デバイス１３００の概略構成図である。図１３に示す通信デバイス１３００は、メモリからコンピュータプログラムを呼び出して実行することにより、本願の実施例における方法を実行するプロセッサ１３１０を備える。
【０２６６】
任意選択で、図１４に示されるように、通信デバイス１３００は、メモリ１３２０をさらに含み得る。プロセッサ１３１０は、メモリ１３２０からコンピュータプログラムを呼び出して実行し、本願の実施例における方法を実施する。
【０２６７】
メモリ１３２０は、プロセッサ１３１０とは独立した１つの別個の部品であってもよく、プロセッサ１３１０に集積されてもよい。
【０２６８】
任意選択で、図１４に示されるように、通信デバイス１３００は、プロセッサ１３１０が他のデバイスと通信するように制御することができる、具体的には、他のデバイスに情報またはデータを送信することができ、または他のデバイスによって送信された情報またはデータを受信することができる、送受信機１３３０をさらに含むことができる。
【０２６９】
任意選択で、通信デバイス１３００は、本願の実施例における端末デバイスであってもよく、且つ該チップは、本願の実施例における各方法において端末デバイスにより実現される対応するフローを実現してもよく、簡潔にするために、ここではその説明を省略する。
【０２７０】
任意選択で、通信デバイス１３００は、本願の実施例におけるネットワークデバイスであって、具体的には、コアネットワーク制御プレーンエンティティ(例えば、ＡＭＦ、ＳＭＦ又はＵＰＦ等)であってもよく、該チップは、本願の実施例の各方法における端末デバイスにより実現される対応するフローを実現することができるが、簡潔にするために、ここではその説明を省略する。
【０２７１】
図１５は、本願の実施例におけるチップの概略構成図である。図１５に示されるチップ１４００は、メモリからコンピュータプログラムを呼び出して実行することにより、本願の実施例における方法を実行することができるプロセッサ１４１０を含む。
【０２７２】
任意選択で、図１５に示されるように、チップ１４００は、メモリ１４２０をさらに含んでもよい。ここで、プロセッサ１４１０は、メモリ１４２０からコンピュータプログラムを呼び出して実行することにより、本願の実施例における方法を実施する。
【０２７３】
ここで、メモリ１４２０は、プロセッサ１４１０とは独立した１つの別個の部品であってもよく、プロセッサ１４１０に集積されてもよい。
【０２７４】
任意選択で、チップ１４００は、入力インターフェース１４３０をさらに含むことができる。プロセッサ１４１０は、入力インターフェース１４３０を制御して、他のデバイスまたはチップと通信してもよく、具体的には、他のデバイスまたはチップによって送信された情報またはデータを取得してもよい。
【０２７５】
任意選択で、チップ１４００は、出力インターフェース１４４０をさらに含むことができる。プロセッサ１４１０は、出力インターフェース１４４０を制御して、他のデバイス又はチップと通信してもよく、具体的には、他のデバイス又はチップに情報又はデータを出力してもよい。
【０２７６】
任意選択で、該チップは、本願の実施例における端末デバイスに適用され、且つ該チップは、本願の実施例における各方法において端末デバイスにより実現される対応するフローを実現することができ、簡潔にするために、ここでその説明を省略する。
【０２７７】
任意選択で、該チップは、本願の実施例におけるネットワークデバイスに適用され、具体的には、コアネットワーク制御プレーンエンティティ(例えば、ＡＭＦ、ＳＭＦ又はＵＰＦ等)であってもよく、且つ該チップは、本願の実施例の各方法における端末デバイスにより実現される相応のフローを実現してもよいが、簡潔にするために、ここではその説明を省略する。
【０２７８】
なお、本願の実施例で言及されるチップは、システムチップ、チップシステム、またはシステムオンチップなどと呼ばれることもある。
【０２７９】
図１６は、本願の実施例で提供される通信システム１５００の概略ブロック図である。図１６に示すように、通信システム１５００は、端末デバイス１５１０と、ネットワークデバイス１５２０とを有する。
【０２８０】
ここで、該端末デバイス１５１０は、上記方法において端末デバイスにより実現される相応の機能を実現するために用いられてもよく、及び該ネットワークデバイス１５２０は、具体的には、コアネットワーク制御プレーンエンティティ(例えば、ＡＭＦ、ＳＭＦ又はＵＰＦ等)であってもよく、上記方法においてネットワークデバイスにより実現される相応の機能を実現するために用いられてもよく、簡潔のため、ここではその説明を省略する。
【０２８１】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ(Ｄｉｇｉｔａｌ Ｓｉｇｎａｌ Ｐｒｏｃｅｓｓｏｒ、ＤＳＰ)、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、既存のプログラマブルゲートアレイ(Ｆｉｅｌｄ Ｐｒｏｇｒａｍｍａｂｌｅ Ｇａｔｅ Ａｒｒａｙ、ＦＰＧＡ)又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０２８２】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ(Ｒｅａｄ−Ｏｎｌｙ Ｍｅｍｏｒｙ、ＲＯＭ)、プログラマブルリードオンリーメモリ(Ｐｒｏｇｒａｍｍａｂｌｅ ＲＯＭ、ＰＲＯＭ)、消去可能プログラマブルリードオンリーメモリ(Ｅｒａｓａｂｌｅ ＰＲＯＭ、ＥＰＲＯＭ)、電気的消去可能プログラマブルリードオンリーメモリ(Ｅｌｅｃｔｒｉｃａｌｌｙ ＥＰＲＯＭ、ＥＥＰＲＯＭ)、またはフラッシュメモリであってもよい。揮発性メモリは、外部キャッシュとして使用されるランダムアクセスメモリ(Ｒａｎｄｏｍ Ａｃｃｅｓｓ Ｍｅｍｏｒｙ、ＲＡＭ)であってよい。限定ではなく例として、ＲＡＭは、スタティックランダムアクセスメモリ(Ｓｔａｔｉｃ ＲＡＭ、ＳＲＡＭ)、ダイナミックランダムアクセスメモリ(Ｄｙｎａｍｉｃ ＲＡＭ、ＤＲＡＭ)、シンクロナスダイナミックランダムアクセスメモリ(Ｓｙｎｃｈｒｏｎｏｕｓ ＤＲＡＭ、ＳＤＲＡＭ)、ダブルデータレートシンクロナスダイナミックランダムアクセスメモリ(Ｄｏｕｂｌｅ Ｄａｔａ Ｒａｔｅ ＳＤＲＡＭ、ＤＤＲ ＳＤＲＡＭ)、エンハンスメント型シンクロナスダイナミックランダムアクセスメモリ(Ｅｎｈａｎｃｅｄ ＳＤＲＡＭ、ＥＳＤＲＡＭ)、シンクロナス接続ダイナミックランダムアクセスメモリ(Ｓｙｎｃｈｌｉｎｋ ＤＲＡＭ、ＳＬＤＲＡＭ)、及びダイレクトメモリバスランダムアクセスメモリ(Ｄｉｒｅｃｔ  Ｒａｍｂｕｓ  ＲＡＭ、ＤＲ ＲＡＭ)など、多くの形態で利用可能である。本明細書に記載のシステム及び方法のメモリは、これら及び任意の他の適切なタイプのメモリを含むことが意図されているが、これらに限定されない。
【０２８３】
上述のメモリは、限定ではなく例示的であるが、例えば、本願の実施例におけるメモリは、スタティックランダムアクセスメモリ(ｓｔａｔｉｃ ＲＡＭ、ＳＲＡＭ)、ダイナミックランダムアクセスメモリ(ｄｙｎａｍｉｃ ＲＡＭ、ＤＲＡＭ)、同期ダイナミックランダムアクセスメモリ(ｓｙｎｃｈｒｏｎｏｕｓ ＤＲＡＭ、ＳＤＲＡＭ)、デュアルデータレート同期ダイナミックランダムアクセスメモリ(ｄｏｕｂｌｅ ｄａｔａ ｒａｔｅ ＳＤＲＡＭ、ＤＤＲ ＳＤＲＡＭ)、拡張同期ダイナミックランダムアクセスメモリ(ｅｎｈａｎｃｅｄ ＳＤＲＡＭ、ＥＳＤＲＡＭ)、同期接続ダイナミックランダムアクセスメモリ(ｓｙｎｃｈ ｌｉｎｋ ＤＲＡＭ、ＳＬＤＲＡＭ)、及びダイレクトメモリバスランダムアクセスメモリ(Ｄｉｒｅｃｔ  Ｒａｍｂｕｓ  ＲＡＭ、ＤＲ ＲＡＭ)等であってもよいことが理解されるべきである。すなわち、本願の実施例におけるメモリは、これら及び任意の他の適切なタイプのメモリを含むことを意図しているが、これらに限定されない。
【０２８４】
本願の実施例は、コンピュータプログラムを記憶するためのコンピュータ可読記憶媒体をさらに提供する。任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させが、簡潔にするために、ここでは詳しい説明は省略する。任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０２８５】
本願の実施例は、コンピュータプログラム命令を含むコンピュータプログラム製品も提供する。任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明は省略する。
【０２８６】
本願の実施例は、コンピュータプログラムをさらに提供する。任意選択で、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは詳しい説明は省略する。任意選択で、プログラムがコンピュータ上で実行される場合、コンピュータに、本願の実施例に係る各方法のうち移動端末機で実現される対応する工程を実行させてもよく、簡潔のために、ここでは詳しい説明は省略する。
【０２８７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０２８８】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０２８９】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２９０】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０２９１】
また、本願の各実施例における各機能部は、１つの処理部に集積されてもよいし、各部は、物理的に別個に存在してもよいし、２つ以上の部が１つの部に集積されてもよい。
【０２９２】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバー、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０２９３】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
ネットワークデバイスが、第１の端末デバイスから第３世代パートナーシッププロジェクト３ＧＰＰネットワークにおける制御プレーンまたはユーザプレーンを介して伝送されるデータパケットを受信することと、
前記ネットワークデバイスが３ＧＰＰネットワークにおける制御プレーンまたはユーザプレーンを介して第２の端末デバイスに前記データパケットを送信することとを含む
ことを特徴とする無線通信方法。
【請求項２】
前記第１の端末デバイスと前記第２の端末デバイスとの間に第１のセッション接続が存在し、前記第１のセッション接続が前記第１の端末デバイスと前記第２の端末デバイスとの間の通信に使用され、
前記データパケットが前記第１のセッション接続を利用してユーザプレーンを介して前記ネットワークデバイスに送信され、
前記ネットワークデバイスが３ＧＰＰネットワークにおける制御プレーンまたはユーザプレーンを介して第２の端末デバイスに前記データパケットを送信することは、
前記ネットワークデバイスが前記第１のセッション接続を利用して、前記３ＧＰＰネットワークにおけるユーザプレーンを介して前記第２の端末デバイスに前記データパケットを送信することを含む
ことを特徴とする請求項１に記載の無線通信方法。
【請求項３】
前記第１の端末デバイスのユーザプレーン機能ＵＰＦと前記第２の端末デバイスのＵＰＦとが同一の第１のＵＰＦであり、前記ネットワークデバイスが前記第１のＵＰＦであり、
前記ネットワークデバイスが受信した前記データパケットには、前記第１のセッション接続において前記第１の端末デバイスと前記第１のＵＰＦとの間の接続の第１のアドレス情報が含まれ、
前記ネットワークデバイスが前記第１のセッション接続を利用して前記３ＧＰＰネットワークにおけるユーザプレーンを介して前記第２の端末デバイスに前記データパケットを送信することは、
前記ネットワークデバイスが前記第１のアドレス情報に基づいて第２のアドレス情報を決定し、前記第２のアドレス情報が前記第１のセッション接続において前記第２の端末デバイスと前記第１のＵＰＦとの間の接続の第２のアドレス情報であることと、
前記ネットワークデバイスが前記データパケットに前記第２のアドレス情報をカプセル化し、前記第２の端末デバイスに前記データパケットを送信することとを含む
ことを特徴とする請求項２に記載の無線通信方法。
【請求項４】
前記第１の端末デバイスのＵＰＦが第２のＵＰＦであり、前記第２の端末デバイスのＵＰＦが前記第２のＵＰＦではない第３のＵＰＦであり、前記ネットワークデバイスが前記第２のＵＰＦであり、
前記ネットワークデバイスが受信した前記データパケットには、前記第１のセッション接続において前記第１の端末デバイスと前記第２のＵＰＦとの間の接続の第３のアドレス情報が含まれ、
前記ネットワークデバイスが前記第１のセッション接続を利用して前記３ＧＰＰネットワークにおけるユーザプレーンを介して前記第２の端末デバイスに前記データパケットを送信することは、
前記ネットワークデバイスが前記第３のアドレス情報に基づいて第４のアドレス情報を決定し、前記第４のアドレス情報が前記第１のセッション接続において前記第２のＵＰＦと前記第３のＵＰＦとの間の接続の第４のアドレス情報であることと、
前記ネットワークデバイスが前記データパケットに前記第４のアドレス情報をカプセル化し、前記第３のＵＰＦを介して前記第２の端末デバイスに前記データパケットを送信することとを含む
ことを特徴とする請求項２に記載の無線通信方法。
【請求項５】
前記第１の端末デバイスのＵＰＦが第２のＵＰＦであり、前記第２の端末デバイスのＵＰＦが前記第２のＵＰＦではない第３のＵＰＦであり、前記ネットワークデバイスが前記第３のＵＰＦであり
前記ネットワークデバイスが受信した前記データパケットには、前記第１のセッション接続において前記第２のＵＰＦと前記第３のＵＰＦとの間の接続の第４のアドレス情報が含まれ、
前記ネットワークデバイスが前記第１のセッション接続を利用して、前記３ＧＰＰネットワークにおけるユーザプレーンを介して前記第２の端末デバイスに前記データパケットを送信することは、
前記ネットワークデバイスが前記第４のアドレス情報に基づいて第５のアドレス情報を決定し、前記第５のアドレス情報が前記第１のセッション接続において第３のＵＰＦと前記第２の端末デバイスとの間の接続のアドレス情報であることと、
前記ネットワークデバイスが前記データパケットに前記第５のアドレス情報をカプセル化し、前記第２の端末デバイスに前記データパケットを送信することとを含む
ことを特徴とする請求項２に記載の無線通信方法。
【請求項６】
前記ネットワークデバイスがコアネットワークエンティティであり、前記データパケットには、前記第１のセッション接続の識別子、前記第１のセッション接続のアドレス情報、前記第１の端末デバイスの識別情報及び前記第２の端末デバイスの識別情報のうちの少なくとも１つの情報が含まれ、前記データパケットが制御プレーンを介して前記ネットワークデバイスに伝送され、
前記ネットワークデバイスが３ＧＰＰネットワークにおける制御プレーンまたはユーザプレーンを介して第２の端末デバイスに前記データパケットを送信することは、
前記ネットワークデバイスが前記少なくとも１つの情報に基づいて前記データパケットの直後のホップノードを決定することと、
前記ネットワークデバイスが制御プレーンを介して前記データパケットを前記直後のホップノードに送信して、前記直後のホップノードが前記データパケットを前記第２の端末デバイスに送信することとを含む
ことを特徴とする請求項２に記載の無線通信方法。
【請求項７】
通信ユニットを含むネットワークデバイスであって、
前記通信ユニットは、第１の端末デバイスから第３世代パートナーシッププロジェクト３ＧＰＰネットワークにおける制御プレーンまたはユーザプレーンを介して伝送されたデータパケットを受信し、
３ＧＰＰネットワークにおける制御プレーンまたはユーザプレーンを介して第２の端末デバイスに前記データパケットを送信するように構成される
ことを特徴とするネットワークデバイス。
【請求項８】
前記第１の端末デバイスとＵＰＦとの間に第２のセッション接続が存在し、前記第２の端末デバイスと第２の端末デバイスのＵＰＦとの間に第３のセッション接続が存在し、前記第１の端末デバイスのＵＰＦと前記第２の端末デバイスのＵＰＦとが同一の第４のＵＰＦであり、前記ネットワークデバイスが前記第４のＵＰＦであり、
前記データパケットには前記第３のセッション接続のアドレス情報及び／又は前記第２の端末デバイスの識別情報が含まれ、
前記通信ユニットは、さらに、前記第３のセッション接続のアドレス情報及び／又は前記第２の端末デバイスの識別情報に基づいて、ユーザプレーンを介して前記第２の端末デバイスに前記データパケットを送信するように構成される
ことを特徴とする請求項７に記載のネットワークデバイス。
【請求項９】
処理ユニットをさらに備え、
前記処理ユニットは、前記第２の端末デバイスの識別情報に基づいて前記第３のセッション接続のアドレス情報を決定し、前記データパケットに前記第３のセッション接続のアドレス情報をカプセル化するように構成される
ことを特徴とする請求項８に記載のネットワークデバイス。
【請求項１０】
処理ユニットをさらに備え、
前記第１の端末デバイスと前記第１の端末デバイスのＵＰＦとの間に第２のセッション接続が存在し、前記第２の端末デバイスと前記第２の端末デバイスのＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイスが前記第５のＵＰＦであり、
前記データパケットには前記第３のセッション接続のアドレス情報及び／又は前記第２の端末デバイスの識別情報が含まれ、
前記処理ユニットは、さらに、前記ネットワークデバイスが前記第３のセッション接続のアドレス情報及び／又は前記第２の端末デバイスの識別情報に基づいて第６のＵＰＦを決定し、
前記通信ユニットは、さらに、前記第６のＵＰＦを介して前記第２の端末デバイスに前記データパケットを送信するように構成される
ことを特徴とする請求項９に記載のネットワークデバイス。
【請求項１１】
前記第１の端末デバイスと前記第１の端末デバイスのＵＰＦとの間に第２のセッション接続が存在し、前記第２の端末デバイスと前記第２の端末デバイスのＵＰＦとの間に第３のセッション接続が存在し、前記第１の端末デバイスのＵＰＦが第５のＵＰＦであり、前記第２の端末デバイスのＵＰＦが前記第５のＵＰＦではない第６のＵＰＦであり、前記ネットワークデバイスが前記第６のＵＰＦであり、
前記データパケットには前記第３のセッション接続のアドレス情報又は前記第２の端末デバイスの識別情報が含まれ、
前記通信ユニットは、前記第３のセッション接続のアドレス情報又は前記第２の端末デバイスの識別情報に基づいて、ユーザプレーンを介して前記第２の端末デバイスに前記データパケットを送信するように構成される
ことを特徴とする請求項７に記載のネットワークデバイス。
【請求項１２】
処理ユニットをさらに備え、
前記処理ユニットは、前記第２の端末デバイスの識別情報に基づいて前記第３のセッション接続のアドレス情報を決定し、前記データパケットに前記第３のセッション接続のアドレス情報をカプセル化するように構成される
ことを特徴とする請求項１１に記載のネットワークデバイス。
【請求項１３】
処理ユニットをさらに備え、
前記第１の端末デバイスとＵＰＦとの間に第２のセッション接続が存在し、前記第２の端末デバイスとＵＰＦとの間に第３のセッション接続が存在し、 
前記データパケットには、前記第２のセッション接続の識別子、前記第３のセッション接続のアドレス情報、前記第３のセッション接続の識別子、前記第３のセッション接続のアドレス情報、前記第１の端末デバイスの識別情報、前記第２の端末デバイスの識別情報のうちの少なくとも１つの情報が含まれ、前記データパケットが制御プレーンを介して前記ネットワークデバイスに伝送され、
前記処理ユニットは、前記少なくとも１つの情報に基づいて前記データパケットの直後のホップノードを決定するように構成され、
前記通信ユニットは、制御プレーンを介して前記データパケットを前記直後のホップノードに送信して、前記直後のホップノードが前記データパケットを前記第２の端末デバイスに送信するように構成される
ことを特徴とする請求項７に記載のネットワークデバイス。
【請求項１４】
前記ネットワークデバイスがコアネットワーク制御プレーンエンティティであり、前記ネットワークデバイスが受信したデータパケットには第２の端末デバイスの識別情報又はアドレス情報が含まれ、
前記通信ユニットは、さらに、前記第２の端末デバイスが接続状態にある場合に制御プレーンを介して前記第２の端末デバイスに前記データパケットを送信するように構成される
ことを特徴とする請求項７に記載のネットワークデバイス。
【請求項１５】
通信ユニットを含み、第１の端末デバイスとする端末デバイスであって、
前記通信ユニットは、第２の端末デバイスにデータパケットを送信するように構成され、前記データパケットには第２の端末デバイスとユーザプレーン機能ＵＰＦとの間のセッション接続のアドレス情報又は第１の端末デバイスとＵＰＦとの間のセッション接続のアドレス情報が含まれ、前記第１の端末デバイスとＵＰＦとの間のセッション接続は、前記第１の端末デバイスが第３世代パートナーシッププロジェクト３ＧＰＰネットワークにおいて第２の端末デバイスと通信するために専用され、第２の端末デバイスとＵＰＦとの間のセッション接続のアドレス情報は、前記第２の端末デバイスが３ＧＰＰネットワークにおいて他の端末デバイスと通信するために使用される
ことを特徴とする端末デバイス。
【国際調査報告】
2022501866.tif 000019
2022501866.tif 000020
2022501866.tif 000021
2022501866.tif 000022